(57)【特許請求の範囲】
【請求項１】
表示面に対する指示物の近接を検出するための近接センサと、
上記表示面に対する上記指示物の接触を検出するための接触センサと、
上記近接センサを介して上記表示面に対する上記指示物の近接を検出して当該検出結果に基づいて、近接操作が行われていると判断すると、複数の画像を縮小して複数の指示対象として上記表示面に表示させると共に、上記近接操作に応じて、複数の上記指示対象を上記表示面に表示させながら上記指示物に近い当該指示対象に対応する上記画像の少なくとも一部を上記表示面の所定位置に表示させ、上記接触センサを介して上記表示面に対する上記指示物の接触を検出して当該検出結果に基づいて、複数の上記指示対象のうち一の当該指示対象を選択する接触操作が行われたと判断すると、一の上記指示対象に対応する上記画像を上記表示面に表示させる制御部と
を具える表示制御装置。
【請求項２】
上記制御部は、
上記近接操作が行われていると判断すると、種々の大きさ及び形状の複数の画像に縮小処理のみを施し、又は縮小処理と共に当該画像の一部を残すような加工処理を施して、大きさ及び形状を揃えた複数の上記指示対象を生成して上記表示面に表示させる
請求項１に記載の表示制御装置。
【請求項３】
上記制御部は、
上記近接センサを介して、上記表示面に対し上記指示物が所定時間ほとんど位置を変えずに近接していることを検出すると、上記近接操作が行われていると判断する
請求項１又は請求項２の何れかに記載の表示制御装置。
【請求項４】
上記制御部は、
上記近接操作が行われていると判断すると、複数の上記画像として、上記表示面に表示可能な状態に立ち上げている複数の立上画像を縮小して複数の上記指示対象として上記表示面に表示させる
請求項１乃至請求項３の何れかに記載の表示制御装置。
【請求項５】
上記制御部は、
複数の上記指示対象のうち一の当該指示対象を選択する上記接触操作が行われたと判断する前に、上記近接センサを介して上記表示面から上記指示物が遠ざけられたことを検出すると、上記近接操作が終了したと判断して、上記表示面に対する複数の上記指示対象の表示を終了させる
請求項１乃至請求項４の何れかに記載の表示制御装置。
【請求項６】
上記制御部は、
上記表示面の所定領域に上記指示物を近接させる上記近接操作が行われると、複数の上記指示対象のスクロールを実行する
請求項１乃至請求項５の何れかに記載の表示制御装置。
【請求項７】
上記制御部は、
上記表示面に近接している少なくとも２本以上の上記指示物の間隔を広げる上記近接操作が行われると、上記表示面に表示させている複数の上記指示対象を拡大させる
請求項１乃至請求項６の何れかに記載の表示制御装置。
【請求項８】
上記制御部は、
上記表示面に近接している少なくとも２本以上の上記指示物の間隔を狭める上記近接操作が行われると、上記表示面に表示させている複数の上記指示対象を縮小させる
請求項１乃至請求項７の何れかに記載の表示制御装置。
【請求項９】
上記制御部は、
上記表示面に近接している少なくとも２本以上の上記指示物の間隔を変化させる上記近接操作が行われると、複数の上記指示対象によって構成される行列を増減するように、複数の上記指示対象の縦横を拡大、又は縮小させる
請求項１乃至請求項８の何れかに記載の表示制御装置。
【請求項１０】
表示面に対する指示物の近接を検出するための近接センサを介して上記表示面に対する上記指示物の近接を検出して当該検出結果に基づいて、近接操作が行われていると判断すると、複数の画像を縮小して複数の指示対象として上記表示面に表示させると共に、上記近接操作に応じて、複数の上記指示対象を上記表示面に表示させながら上記指示物に近い当該指示対象に対応する上記画像の少なくとも一部を上記表示面の所定位置に表示させる指示対象表示ステップと、
上記表示面に対する上記指示物の接触を検出するための接触センサを介して上記表示面に対する上記指示物の接触を検出して当該検出結果に基づいて、複数の上記指示対象のうち一の当該指示対象を選択する接触操作が行われたと判断すると、一の上記指示対象に対応する上記画像を上記表示面に表示させる画像表示ステップと
を具える表示制御方法。
【請求項１１】
コンピュータに
表示面に対する指示物の近接を検出するための近接センサを介して上記表示面に対する上記指示物の近接を検出して当該検出結果に基づいて、近接操作が行われていると判断すると、複数の画像を縮小して複数の指示対象として上記表示面に表示させると共に、上記近接操作に応じて、複数の上記指示対象を上記表示面に表示させながら上記指示物に近い当該指示対象に対応する上記画像の少なくとも一部を上記表示面の所定位置に表示させる指示対象表示ステップと、
上記表示面に対する上記指示物の接触を検出するための接触センサを介して上記表示面に対する上記指示物の接触を検出して当該検出結果に基づいて、複数の上記指示対象のうち一の当該指示対象を選択する接触操作が行われたと判断すると、一の上記指示対象に対応する上記画像を上記表示面に表示させる画像表示ステップと
を実行させるための表示制御プログラム。
【発明の詳細な説明】
【技術分野】
【０００１】
本発明は表示制御装置、表示制御方法及び表示制御プログラムに関し、例えば、タッチパネルが設けられた携帯端末に適用して好適なものである。
【背景技術】
【０００２】
従来の受信機は、複数のチャンネルの映像信号を合成して生成されたサービス用映像信号を受信している。また受信機は、リモートコントローラを介してマルチ画面への表示の切り替えが指示されると、サービス用映像信号に基づき、複数のチャンネルの映像をマトリクス状に配置したマルチ画面を表示する。
【０００３】
受信機は、このようにマルチ画面として複数のチャンネルの映像を一覧表示した状態で、リモートコントローラを介して１個の映像を指定するフォーカスの移動が指示されると、これに応じてマルチ画面内でフォーカスの位置を変更する。
【０００４】
そして受信機は、リモートコントローラを介して映像の指定が確定されると、このときマルチ画面内でフォーカスを当てている１個の映像を選択して、当該選択した１個の映像を全画面表示する。
【０００５】
このようにして受信機は、複数のチャンネルの放送内容を確認させて、当該複数のチャンネルの中から所望のチャンネルを選択させて、当該選択されたチャンネルの放送を視聴させていた（例えば、特許文献１参照）。
【先行技術文献】
【特許文献】
【０００６】
【特許文献１】特開２００２−２８１４０６公報（第５頁、図３、図４）
【発明の概要】
【発明が解決しようとする課題】
【０００７】
ところが、かかる構成の受信機では、リモートコントローラの表面に、マルチ画面への表示の切り替えを指示するための切替キーや、フォーカスの移動を指示するための上下左右矢印キー、映像の指定の確定を指示するための確定キーが配置されている。
【０００８】
よって受信機は、マルチ画面への表示の切り替えやフォーカスの移動、映像の指定の確定を指示する毎に、ユーザにリモートコントローラの表面で切替キー、上下左右矢印キー、確定キーを選ばせて押下させるように操作させていた。
【０００９】
このため受信機は、複数の映像を一覧表示して所望の映像を選択させる場合の操作が煩雑化し、使い勝手がわるいという問題があった。
【００１０】
本発明は以上の点を考慮してなされたもので、使い勝手を向上し得る表示制御装置、表示制御方法及び表示制御プログラムを提案しようとするものである。
【課題を解決するための手段】
【００１１】
かかる課題を解決するため本発明においては、表示面に対する指示物の近接を検出するための近接センサを介して表示面に対する指示物の近接を検出して当該検出結果に基づいて、近接操作が行われていると判断すると、複数の画像を縮小して複数の指示対象として表示面に表示させると共に、当該近接操作に応じて、複数の指示対象を表示面に表示させながら指示物に近い当該指示対象に対応する画像の少なくとも一部を表示面の所定位置に表示させて、表示面に対する指示物の接触を検出するための接触センサを介して表示面に対する指示物の接触を検出して当該検出結果に基づいて、複数の指示対象のうち一の指示対象を選択する接触操作が行われたと判断すると、一の当該指示対象に対応する画像を表示面に表示させるようにした。
【００１２】
従って本発明では、操作キーを特に操作させることなく、表示面に指示物を近接させ、また接触させるようにして当該表示面上で近接操作及び接触操作を順次行わせるだけの簡易な操作で、複数の画像を縮小して複数の指示対象として表示しながら、指示物に近い指示対象に対応する画像の少なくとも一部も表示して選択可能な画像を容易に確認させたうえで、所望の画像を指示対象として選択させることができる。
【発明の効果】
【００１３】
本発明によれば、表示面に対する指示物の近接を検出するための近接センサを介して表示面に対する指示物の近接を検出して当該検出結果に基づいて、近接操作が行われていると判断すると、複数の画像を縮小して複数の指示対象として表示面に表示させると共に、当該近接操作に応じて、複数の指示対象を表示面に表示させながら指示物に近い当該指示対象に対応する画像の少なくとも一部を表示面の所定位置に表示させて、表示面に対する指示物の接触を検出するための接触センサを介して表示面に対する指示物の接触を検出して当該検出結果に基づいて、複数の指示対象のうち一の指示対象を選択する接触操作が行われたと判断すると、一の当該指示対象に対応する画像を表示面に表示させるようにしたことにより、操作キーを特に操作させることなく、表示面に指示物を近接させ、また接触させるようにして当該表示面上で近接操作及び接触操作を順次行わせるだけの簡易な操作で、複数の画像を縮小して複数の指示対象として表示しながら、指示物に近い指示対象に対応する画像の少なくとも一部も表示して選択可能な画像を容易に確認させたうえで、所望の画像を指示対象として選択させることができ、かくして使い勝手を向上し得る表示制御装置、表示制御方法及び表示制御プログラムを実現することができる。
【図面の簡単な説明】
【００１４】
【図１】本発明による表示制御装置の回路構成の一実施の形態を示すブロック図である。
【図２】携帯端末の外観構成の一実施の形態を示す略線図である。
【図３】携帯端末のハードウェア回路ブロックによる回路構成を示すブロック図である。
【図４】指と操作面との距離の変化に応じた静電センサの出力値の変化の説明に供する略線図である。
【図５】接触領域、近接領域、非近接領域の検出の説明に供する略線図である。
【図６】タップ操作に応じたＷｅｂ画像の表示の説明に供する略線図である。
【図７】音楽管理情報の構成を示す略線図である。
【図８】タップ操作に応じたジャンル一覧画像の表示の説明に供する略線図である。
【図９】タップ操作に応じたアーティスト一覧画像の表示の説明に供する略線図である。
【図１０】タップ操作に応じたアルバム一覧画像の表示の説明に供する略線図である。
【図１１】タップ操作に応じた曲一覧画像の表示の説明に供する略線図である。
【図１２】再生画像の表示の説明に供する略線図である。
【図１３】複数の立上画像の表示を待機させているときに複数の指で行われる近接操作の説明に供する略線図である。
【図１４】複数の立上画像の表示を待機させているときに１本の指で行われる近接操作の説明に供する略線図である。
【図１５】複数の指による近接操作に応じたサムネイル一覧画像の表示の説明に供する略線図である。
【図１６】１本の指による近接操作に応じたサムネイル一覧画像の表示の説明に供する略線図である。
【図１７】注目領域の検出の説明に供する略線図である。
【図１８】近接操作時の複数の指の移動に応じたサムネイルの強調表示の説明に供する略線図である。
【図１９】近接操作時の１本の指の移動に応じたサムネイルの強調表示の説明に供する略線図である。
【図２０】第１タッチスクリーン上での上スクロール指示領域及び下スクロール指示領域の設定の説明に供する略線図である。
【図２１】サムネイル一覧画像の上方向へのスクロールの説明に供する略線図である。
【図２２】サムネイル一覧画像の上スクロール最終表示状態の説明に供する略線図である。
【図２３】サムネイル一覧画像の下方向へのスクロールの説明に供する略線図である。
【図２４】サムネイル一覧画像の下スクロール最終表示状態の説明に供する略線図である。
【図２５】領域間距離の検出の説明に供する略線図である。
【図２６】画像の拡大及び縮小の指示の検出の説明に供する略線図である。
【図２７】サムネイル一覧画像の拡大及び縮小時の表示基準位置の検出の説明に供する略線図である。
【図２８】サムネイル一覧画像の拡大の説明に供する略線図である。
【図２９】第１タッチスクリーン上での右スクロール指示領域及び左スクロール指示領域の設定の説明に供する略線図である。
【図３０】サムネイル一覧拡大画像の右方向へのスクロールの説明に供する略線図である。
【図３１】サムネイル一覧拡大画像の左方向へのスクロールの説明に供する略線図である。
【図３２】サムネイル一覧画像の縮小の説明に供する略線図である。
【図３３】サムネイルの指示による立上画像の選択（１）の説明に供する略線図である。
【図３４】サムネイルの指示によって選択された立上画像の表示の説明に供する略線図である。
【図３５】サムネイルの指示による立上画像の選択（２）の説明に供する略線図である。
【図３６】再生画像を表示しているときに行われる近接操作の説明に供する略線図である。
【図３７】近接操作に応じた曲一覧画像の表示の説明に供する略線図である。
【図３８】所望の階層の画像に表示を切り替えるための近接操作の説明に供する略線図である。
【図３９】近接操作に応じたジャンル一覧画像の表示の説明に供する略線図である。
【図４０】近接操作に応じたアーティスト一覧画像の表示の説明に供する略線図である。
【図４１】近接操作に応じたアルバム一覧画像の表示の説明に供する略線図である。
【図４２】第１表示制御処理手順（１）を示すフローチャートである。
【図４３】第１表示制御処理手順（２）を示すフローチャートである。
【図４４】第２表示制御処理手順（１）を示すフローチャートである。
【図４５】第２表示制御処理手順（２）を示すフローチャートである。
【図４６】サムネイルの表示サイズに応じた配置の変形例（１）を示す略線図である。
【図４７】サムネイルの表示サイズに応じた配置の変形例（２）を示す略線図である。
【発明を実施するための形態】
【００１５】
以下図面を用いて、発明を実施するための最良の形態（以下、これを実施の形態とも呼ぶ）について説明する。なお、説明は以下の順序で行う。
１．実施の形態
２．変形例
【００１６】
＜１．実施の形態＞
［１−１．実施の形態の概要］
まず、実施の形態の概要を説明する。因みに、この概要を説明した後、本実施の形態の具体例の説明に移る。
【００１７】
図１において、１は全体として実施の形態による表示制御装置を示す。かかる表示制御装置１において近接検出部２は、表示面に対する指示物の近接を検出する。また表示制御装置１において接触検出部３は、表示面に対する指示物の接触を検出する。
【００１８】
そして表示制御装置１において制御部４は、近接検出部２が表示面に対する指示物の近接を検出すると、複数の指示対象を表示面に表示させる。また表示制御装置１において制御部４は、接触検出部３が検出した表示面に対する指示物の接触に基づいて、複数の指示対象のうち一の指示対象が選択されたと判断すると、当該一の指示対象に対応する画像を表示面に表示させる。
【００１９】
かかる構成により表示制御装置１は、操作キーを特に操作させることなく、表示面に指示物を近接させ、また接触させるように当該表示面上で近接操作及び接触操作を順次行わせるだけの簡易な操作で、複数の指示対象を表示して所望の画像を指示対象として選択させることができる。これにより表示制御装置１は、使い勝手を向上させることができる。
【００２０】
［１−２．実施の形態の具体例］
［１−２−１．携帯端末の外観構成］
次いで、図２を用いて、上述した表示制御装置１の具体例である携帯端末１０の外観構成について説明する。携帯端末１０は、略扁平矩形状の第１筐体１１と第２筐体１２とが、ヒンジ部１３Ａ及び１３Ｂを介して開閉自在に連結され、全体として片手で把持し得る程度の大きさに形成されている。
【００２１】
第１筐体１１の前面１１Ａの中央部には、長方形状の第１タッチスクリーン１４が設けられている。また第２筐体１２の前面１２Ａの中央部には、第１タッチスクリーン１４と同形状、同サイズでなる第２タッチスクリーン１５が設けられている。
【００２２】
第１タッチスクリーン１４は、第１液晶パネルと、当該第１液晶パネル上に、その表示面を覆うように積層配置された静電容量式の第１タッチパネルとから構成されている。
【００２３】
また第１タッチパネルは、透明な薄いシート状に形成され、第１液晶パネルの表示面に表示される画像が、第１タッチスクリーン１４の正面側から見えるようにしている。
【００２４】
第２タッチスクリーン１５は、第１タッチスクリーン１４と同様に、第２液晶パネルと、当該第２液晶パネル上に、その表示面を覆うように積層配置された静電容量式の第２タッチパネルとから構成されている。
【００２５】
また第２タッチパネルも、第１タッチパネルと同様に透明な薄いシート状に形成され、第２液晶パネルの表示面に表示される画像が、第２タッチスクリーン１５の正面側から見えるようにしている。
【００２６】
そして第１タッチパネル及び第２タッチパネルは、その操作面に対し例えば、ユーザの指（また、タッチペン等でも可能）によって接触操作及び近接操作が行われるものである。
【００２７】
因みに、以下の説明では、第１タッチパネルの操作面を、第１操作面とも呼び、第２タッチパネルの操作面を、第２操作面とも呼ぶ。
【００２８】
ここで、接触操作とは、第１タッチパネルの第１操作面や第２タッチパネルの第２操作面に指で触って行う操作（以下、これをタッチ操作とも呼ぶ）である。
【００２９】
また近接操作とは、第１タッチパネルの第１操作面や第２タッチパネルの第２操作面に触れずに、これら第１操作面や第２操作面に指を近づけて行う操作のことである。なお、第１タッチパネル及び第２タッチパネルは、マルチタッチに対応する。
【００３０】
そして携帯端末１０は、第１タッチスクリーン１４及び第２タッチスクリーン１５の表面（すなわち、第１操作面及び第２操作面）に対する指によるタッチ操作及び近接操作を、操作入力として受け付けるようになされている。
【００３１】
さらに第１筐体１１の前面１１Ａには、第１タッチスクリーン１４の両脇に、電源ボタン等の各種操作ボタン１６も設けられている。
【００３２】
かかる構成の携帯端末１０は、通常、第１筐体１１及び第２筐体１２が所望の角度まで開かれた状態で、第１筐体１１の前面１１Ａを目線の下側に位置させ、第２筐体１２の前面１２Ａを目線の上側に位置させるような姿勢で使用される。
【００３３】
よって携帯端末１０は、このような通常の使用姿勢により、第１タッチスクリーン１４を下画面とし、これに並設した第２タッチスクリーン１５を上画面として、これらの画面（第１液晶パネルの表示面及び第２液晶パネルの表示面）に各種画像を表示する。
【００３４】
因みに、以下の説明では、第１タッチスクリーン１４の表面（第１液晶パネル１４Ａの表示面及び第１タッチパネル１４Ｂの第１操作面）において、画面垂直方向の一方向側であるヒンジ部１３Ａ及び１３Ｂ側を上とも呼ぶ。
【００３５】
また、以下の説明では、第１タッチスクリーン１４の表面（第１液晶パネル１４Ａの表示面及び第１タッチパネル１４Ｂの第１操作面）において、画面垂直方向の他方向側を下とも呼ぶ。
【００３６】
さらに、以下の説明では、第１タッチスクリーン１４の表面（第１液晶パネル１４Ａの表示面及び第１タッチパネル１４Ｂの第１操作面）において、画面水平方向の一方向側を左とも呼び、当該画面水平方向の他方向側を右とも呼ぶ。
【００３７】
一方、以下の説明では、第２タッチスクリーン１５の表面（すなわち、第２液晶パネル１５Ａの表示面及び第２タッチパネル１５Ｂの第２操作面）において、画面垂直方向の一方向側を上とも呼ぶ、
【００３８】
また、以下の説明では、第２タッチスクリーン１５の表面（すなわち、第２液晶パネル１５Ａの表示面及び第２タッチパネル１５Ｂの第２操作面）において、画面垂直方向の他方向側であるヒンジ部１３Ａ及び１３Ｂ側を下とも呼ぶ。
【００３９】
さらに、以下の説明では、第２タッチスクリーン１５の表面（すなわち、第２液晶パネル１５Ａの表示面及び第２タッチパネル１５Ｂの第２操作面）において、画面水平方向の一方向側を左とも呼び、当該画面水平方向の他方向側を右とも呼ぶ。
【００４０】
ところで、携帯端末１０には、第１タッチスクリーン１４及び第２タッチスクリーン１５が、通常の使用姿勢の際に当該第１タッチスクリーン１４の上側の１辺と第２タッチスクリーン１５の下側の１辺とが近づいて下側から上側へ並ぶように設けられている。
【００４１】
そして携帯端末１０は、通常の使用姿勢において、第１タッチスクリーン１４及び第２タッチスクリーン１５にそれぞれ異なる画像を表示することができる。
【００４２】
また携帯端末１０は、通常の使用姿勢において、第１タッチスクリーン１４及び第２タッチスクリーン１５をあたかも１つの画面とみなして当該第２タッチスクリーン１５から第１タッチスクリーン１４に亘って１つの画像を表示することもできる。
【００４３】
［１−２−２．携帯端末のハードウェア構成］
次いで、図３を用いて、携帯端末１０のハードウェア構成について説明する。携帯端末１０には、ＣＰＵ（Central  Processing  Unit）でなる制御部２０が設けられている。
【００４４】
制御部２０は、不揮発性メモリ２１から、これに予め記憶されているプログラムをＲＡＭ（Random  Access  Memory）２２に読み出して展開し、そのプログラムに従って各種処理を実行すると共に各部を制御する。
【００４５】
これにより制御部２０は、第１タッチスクリーン１４及び第２タッチスクリーン１５の表面に対しタッチ操作や近接操作が行われたか否かを検出する。
【００４６】
そして制御部２０は、第１タッチスクリーン１４及び第２タッチスクリーン１５の表面に対しタッチ操作や近接操作が行われたことを検出すると、そのタッチ操作や近接操作によって指示された処理を実行する。
【００４７】
実際に第１タッチスクリーン１４は、上述のように画像を表示する第１液晶パネル１４Ａと、静電容量式の第１タッチパネル１４Ｂとから構成されている。
【００４８】
第１タッチパネル１４Ｂは、例えば、第１液晶パネル１４Ａの複数の画素に対向させて、第１操作面の内側にマトリクス状に配置された複数の静電センサ（図示せず）を有している。
【００４９】
複数の静電センサは、それぞれ指のような導体が近づくと静電容量が変化し、その静電容量の変化に応じて出力値も変化する。
【００５０】
図４に示すように、例えば、第１タッチパネル１４Ｂの第１操作面に指先が３０［ｍｍ］の距離まで近づけられると、当該第１操作面において指先の真下に位置する静電センサの出力値は「１０」になる。
【００５１】
また例えば、第１タッチパネル１４Ｂの第１操作面に指先が１５［ｍｍ］の距離まで近づけられると、当該第１操作面において指先の真下に位置する静電センサの出力値は「２０」になる。
【００５２】
さらに例えば、第１タッチパネル１４Ｂの第１操作面に指先が５［ｍｍ］の距離まで近づけられると、当該第１操作面において指先の真下に位置する静電センサの出力値は「４０」になる。
【００５３】
さらに例えば、第１タッチパネル１４Ｂの第１操作面に指先が接触すると、当該第１操作面において指先と接触した部分に位置する静電センサの出力値は最大の「８０」となる。
【００５４】
よって制御部２０は、格段的に短い例えば、数［ｍｓｅｃ］又は数［μｓｅｃ］のような所定の一定時間毎に領域検出処理を実行する。
【００５５】
制御部２０は、領域検出処理を実行した場合、第１タッチパネル１４Ｂから各静電センサそれぞれの出力値を、当該静電センサの配置位置を示す位置情報と共にパネル出力信号として取得する。
【００５６】
因みに、静電センサの配置位置は、例えば、当該静電センサと対向する第１液晶パネル１４Ａの画素位置の座標（すなわち、第１液晶パネル１４Ａにおいて静電センサと対向する画素が配置された位置を示す２次元座標）で示されている。
【００５７】
また図５（Ａ）及び（Ｂ）に示すように、制御部２０は、そのパネル出力信号に含まれる各静電センサの出力値を、予め選定された例えば「５０」の値のような所定の第１閾値、及び例えば「２０」の値のような所定の第２閾値と順次比較する。
【００５８】
そして制御部２０は、その比較結果と、パネル出力信号に含まれる位置情報とに基づき、第１操作面に対して指の接触している領域ＴＡ１、指が近接して陰になる領域ＣＡ１、指が接触も近接もしていない領域ＮＡ１を検出する。
【００５９】
因みに、以下の説明では、第１タッチパネル１４Ｂの第１操作面や第２タッチパネル１５Ｂの第２操作面において、指が接触している領域ＴＡ１を、接触領域ＴＡ１とも呼ぶ。
【００６０】
また、以下の説明では、第１操作面や第２操作面において、指が近接して陰になる領域ＣＡ１（すなわち、指の近接部分を第１操作面や第２操作面に投影したような領域ＣＡ１）を、近接領域ＣＡ１とも呼ぶ。
【００６１】
さらに、以下の説明では、第１操作面や第２操作面において、指が接触も近接もしていない領域ＮＡ１を、非近接領域ＮＡ１とも呼ぶ。
【００６２】
なお、第１及び第２閾値は、例えば、複数の指が互いに接触した状態で第１操作面に接触や近接した場合でも、指の腹や先端よりも指の間の部分の方が第１操作面から離れていることを利用して、指毎に接触領域や近接領域を検出可能なように適宜選定されている。
【００６３】
よって制御部２０は、領域検出処理を実行した場合、第１操作面において、第１閾値以上の出力値を得た静電センサがまとまっている１又は複数の領域ＴＡ１を、それぞれ接触領域ＴＡ１として検出する。
【００６４】
因みに、制御部２０は、この際、第１操作面における１又は複数の接触領域ＴＡ１を、それぞれ第１閾値以上の出力値を得た静電センサと対向する画素位置の座標として検出する。
【００６５】
そして制御部２０は、このように１又は複数の接触領域ＴＡ１を検出すると、当該検出した１又は複数の接触領域ＴＡ１それぞれの例えば、重心位置Ｐ１も、対向する画素位置の座標として検出する。
【００６６】
また制御部２０は、この際、第１操作面において、第２閾値以上でかつ第１閾値未満の出力値を得た静電センサがまとまっている１又は複数の領域ＣＡ１を、それぞれ近接領域ＣＡ１として検出する。
【００６７】
因みに、以下の説明では、静電センサの出力値が第２閾値以上でかつ第１閾値未満となる近接領域ＣＡ１を検出し得るような第１操作面や第２操作面から指までの距離の範囲を、近接検出距離範囲とも呼ぶ。
【００６８】
因みに、制御部２０は、この際、第１操作面における１又は複数の接触領域ＴＡ１も、それぞれ第２閾値以上でかつ第１閾値未満の出力値を得た静電センサと対向する画素位置の座標として検出する。
【００６９】
そして制御部２０は、このように１又は複数の近接領域ＣＡ１を検出したときにも、当該検出した１又は複数の近接領域ＣＡ１それぞれの例えば、重心位置Ｐ２も、対向する画素位置の座標として検出する。
【００７０】
ところで、第１タッチパネル１４Ｂの第１操作面に対しタッチ操作が行われる場合、第１操作面には、指が斜めに傾けられた状態で、その指の先端部（指先）のみ接触する場合がある。
【００７１】
この場合、第１タッチパネル１４Ｂでは、第１操作面において指の接触部分に位置する静電センサの出力値は、上述のように最大値（例えば、「８０」）となる。
【００７２】
また第１タッチパネル１４Ｂでは、第１操作面において指の陰になる部分（指の真下で接触していない部分）に位置する静電センサの出力値は、例えば、当該指の接触部分から離れるほど、小さな値となる。
【００７３】
このため制御部２０は、単に静電センサの出力値と第１及び第２閾値との比較結果を用いると、第１操作面に接触した指の陰になる部分のうち、その指先側を当該指の接触部分と共に接触領域ＴＡ１として検出する。
【００７４】
また制御部２０は、この際、第１操作面に対する指の角度によっては、当該第１操作面に接触した指の陰になる部分のうち、その指の根元側を、接触領域ＴＡ１に繋がる近接領域ＣＡ１として検出する場合がある。
【００７５】
ただし、制御部２０は、タッチ操作と近接操作とを異なる処理の実行を指示のための操作として採用し、そのタッチ操作や近接操作が行われたことを個別に検出するために、接触領域ＴＡ１や近接領域ＣＡ１を検出している。
【００７６】
このため制御部２０は、静電センサの出力値と第１及び第２閾値との比較結果に基づき、接触領域ＴＡ１と、これに繋がる近接領域ＣＡ１とを同時に検出すると、一方の接触領域ＴＡ１の検出のみを有効にし、他方の近接領域ＣＡ１の検出については無効にする。
【００７７】
すなわち、制御部２０は、接触領域ＴＡ１と、これに繋がる近接領域ＣＡ１とを同時に検出すると、第１操作面に対して行われたタッチ操作による接触領域ＴＡ１を検出したものとし、近接領域ＣＡ１の検出は誤検出として取り消す。
【００７８】
これにより制御部２０は、第１操作面に対しタッチ操作が行われたとき、近接領域ＣＡ１を検出して近接操作が行われたものと誤って判断し、誤動作（すなわち、誤った処理を実行）することを回避している。
【００７９】
さらに制御部２０は、この際、第１操作面において、第２閾値未満の出力値を得た静電センサがまとまっている１又は複数の領域ＮＡ１を、それぞれ非近接領域ＮＡ１として検出する。
【００８０】
因みに、制御部２０は、この際、第１操作面における１又は複数の非近接領域ＮＡ１も、それぞれ第２閾値未満の出力値を得た静電センサと対向する画素位置の座標として検出する。
【００８１】
このように制御部２０は、領域検出処理を実行する毎に、第１タッチパネル１４Ｂの第１操作面において１又は複数の接触領域ＴＡ１、１又は複数の近接領域ＣＡ１、１又は複数の非近接領域ＮＡ１を区別するようにして検出する。
【００８２】
そして制御部２０は、第１タッチパネル１４Ｂの第１操作面における接触領域ＴＡ１、近接領域ＣＡ１、非近接領域ＮＡ１を区別するように検出することで、第１操作面に指が接触しているのか、それとも近接しているだけなのかを認識することができる。
【００８３】
また制御部２０は、この際、第１タッチパネル１４Ｂの第１操作面において、どの位置に指が接触又は近接しているのかを認識することもできる。
【００８４】
さらに制御部２０は、第１タッチパネル１４Ｂの第１操作面に対する指の接触領域ＴＡ１の形や大きさ、当該第１操作面に対する指の近接領域ＣＡ１の形や大きさ等を認識することもできる。
【００８５】
制御部２０は、このように一定時間毎に第１タッチパネル１４Ｂからパネル出力信号を取得し、第１操作面における接触領域ＴＡ１、近接領域ＣＡ１、非近接領域ＮＡ１を判別していくことで、これらの変位を検出する。
【００８６】
また制御部２０は、その変位をもとに、第１タッチパネル１４Ｂの第１操作面上での指の動きを特定し、その特定した指の動きをもとに、第１操作面に対して行われたタッチ操作及び近接操作を認識する。
【００８７】
そして制御部２０は、その認識したタッチ操作及び近接操作によって指示された処理を実行する。このようにして制御部２０は、第１タッチスクリーン１４の第１操作面に対しタッチ操作や近接操作が行われると、これを操作入力として受け付け、その操作入力に応じた処理を実行する。
【００８８】
一方、第２タッチスクリーン１５は、上述のように画像を表示する第２液晶パネル１５Ａと、静電容量式の第２タッチパネル１５Ｂとから構成されている。
【００８９】
第２タッチパネル１５Ｂは、第１タッチパネル１４Ｂと同様に構成され、例えば、第２液晶パネル１５Ａの複数の画素に対向させて、第２操作面の内側にマトリクス状に配置された複数の静電センサ（図示せず）を有している。
【００９０】
そして第２タッチパネル１５Ｂの複数の静電センサも、それぞれ指が近づくと、第１タッチパネル１４Ｂの複数の静電センサの場合と同様に静電容量が変化し、その静電容量の変化に応じて出力値も変化する。
【００９１】
よって制御部２０は、一定時間毎に領域検出処理を実行すると、第１タッチパネル１４Ｂの場合と同様に第２タッチパネル１５Ｂからも各静電センサそれぞれの出力値を、当該静電センサの配置位置を示す位置情報と共にパネル出力信号として取得する。
【００９２】
因みに、静電センサの配置位置は、例えば、当該静電センサと対向する第２液晶パネル１５Ａの画素位置の座標（すなわち、第２液晶パネル１５Ａにおいて静電センサと対向する画素が配置された位置を示す２次元座標）で示されている。
【００９３】
そして制御部２０は、領域検出処理において、第２タッチパネル１５Ｂからパネル出力信号を取得すると、そのパネル出力信号を用いて、第２操作面において１又は複数の接触領域や１又は複数の近接領域を、これらの重心位置と共に適宜検出する。
【００９４】
また制御部２０は、領域検出処理を実行する毎に、第２タッチパネル１５Ｂの第２操作面において１又は複数の非近接領域も検出する。
【００９５】
すなわち、制御部２０は、領域検出処理を実行する毎に、第２タッチパネル１５Ｂの第２操作面における１又は複数の接触領域、１又は複数の近接領域、１又は複数の非近接領域も区別するようにして検出する。
【００９６】
よって制御部２０は、第２タッチパネル１５Ｂの第２操作面においても、当該第２操作面に指が接触しているのか、それとも近接しているだけなのかを認識することができる。
【００９７】
また制御部２０は、この際、第２タッチパネル１５Ｂの第２操作面において、どの位置に指が接触又は近接しているのかを認識することもできる。
【００９８】
さらに制御部２０は、第２タッチパネル１５Ｂの第２操作面に対する指の接触領域の形や大きさ、当該第２操作面に対する指の近接領域の形や大きさ等を認識することもできる。
【００９９】
制御部２０は、このように一定時間毎に第２タッチパネル１５Ｂからパネル出力信号を取得して、第２操作面における接触領域、近接領域、非近接領域を判別していくことで、これらの変位を検出する。
【０１００】
また制御部２０は、その変位をもとに、第２タッチパネル１５Ｂの第２操作面上での指の動きを特定し、その特定した指の動きをもとに、第２操作面に対して行われたタッチ操作及び近接操作を認識する。
【０１０１】
そして制御部２０は、その認識したタッチ操作及び近接操作によって指示された処理を実行する。このようにして制御部２０は、第２タッチスクリーン１５の第２操作面に対しタッチ操作や近接操作が行われると、これを操作入力として受け付け、その操作入力に応じた処理を実行する。
【０１０２】
ところで、第１タッチパネル１４Ｂの第１操作面や第２タッチパネル１５Ｂの第２操作面に対して行われるタッチ操作としては、当該第１操作面や第２操作面に例えば、１本の指をほぼ一点に接触させて直ちに離すような操作がある。
【０１０３】
因みに、以下の説明では、第１操作面や第２操作面に１本の指を接触させて直ちに離すような操作を、特にタップ操作とも呼ぶ。
【０１０４】
タップ操作は、例えば、表示中の画像内に配置され、指示によって選択可能な種々の情報を示すアイコンやボタン、特定の画像等のような指示対象を任意に指示するために行われる操作である。
【０１０５】
また第１タッチパネル１４Ｂの第１操作面や第２タッチパネル１５Ｂの第２操作面に対して行われるタッチ操作としては、当該第１操作面や第２操作面に例えば、１本の指を接触させて直ちに任意の方向にすばやく動かしながら離すような操作もある。
【０１０６】
因みに、以下の説明では、第１操作面や第２操作面に１本の指を接触させて直ちに任意の方向にすばやく動かしながら離すような操作を、特にフリック操作とも呼ぶ。
【０１０７】
フリック操作は、例えば、表示中の画像を比較的早くスクロールさせて表示部分を変更するような処理の実行を指示するために行われる操作である。
【０１０８】
さらに第１タッチパネル１４Ｂの第１操作面や第２タッチパネル１５Ｂの第２操作面に対して行われるタッチ操作としては、当該第１操作面や第２操作面に例えば、１本の指を接触させたまま移動させるような操作等もある。
【０１０９】
因みに、以下の説明では、第１操作面や第２操作面に１本の指を接触させたまま移動させるような操作を、特に摺動操作とも呼ぶ。
【０１１０】
摺動操作は、例えば、表示中の画像を指の移動に追従させるようにスクロールさせて表示部分を変更するような処理の実行を指示するために行われる操作である。
【０１１１】
よって制御部２０は、領域検出処理を実行する毎に、第１タッチパネル１４Ｂから取得したパネル出力信号に基づき接触領域を重心位置と共に検出すると、その一連の検出結果に基づき、第１操作面に対して行われたタッチ操作の種類を判別する。
【０１１２】
実際に制御部２０は、領域検出処理の実行間隔である上述の一定時間で、タッチ操作や近接操作を行っている指が移動可能な最大移動距離を示す最大移動距離情報を予め保持している。
【０１１３】
そして制御部２０は、領域検出処理を実行して第１タッチパネル１４Ｂからパネル出力信号を取得し１個の接触領域を重心位置と共に検出すると、その都度、前回（１回前）の領域検出処理で接触領域を検出していたか否かを判別する。
【０１１４】
その結果、制御部２０は、前回の領域検出処理で接触領域を全く検出していないと、今回の領域検出処理で検出した１個の接触領域を、第１操作面に対する指の接触開始時点の接触領域であると判別する。
【０１１５】
これに対し制御部２０は、前回の領域検出処理で接触領域を検出していると、前回の領域検出処理で検出した重心位置と、今回の領域検出処理で検出した重心位置との間の距離（以下、これを重心間距離とも呼ぶ）を総当たりで算出する。
【０１１６】
また制御部２０は、その算出した１又は複数の重心間距離を、それぞれ最大移動距離と比較する。そして制御部２０は、その比較結果に基づき、今回の領域検出処理において、前回の領域検出処理で検出した重心位置から最大移動距離以内の重心位置を検出しているか否かを判別する。
【０１１７】
その結果、制御部２０は、今回の領域検出処理で、前回の重心位置から最大移動距離以内の重心位置を検出していると、その前回及び今回の重心位置に対応する前回及び今回の接触領域を、同一の指の接触領域であると判別する。
【０１１８】
すなわち、制御部２０は、今回の領域検出処理で、前回の重心位置から最大移動距離以内の重心位置を検出すると、その今回の重心位置に対応する接触領域を、前回の領域検出処理のときから第１操作面に接触している指の接触領域であると判別する。
【０１１９】
また制御部２０は、今回の領域検出処理で、前回の何れの重心位置からも最大移動距離を越えて離れた重心位置を検出すると、今回の重心位置に対応する接触領域を、第１操作面に対する新たな指（他の指）の接触開始時点の接触領域であると判別する。
【０１２０】
さらに制御部２０は、今回の領域検出処理で、前回の何れかの重心位置との重心間距離が最大移動距離以下である重心位置を検出していないと、その前回の重心位置に対応する接触領域が、第１操作面に対する指の接触終了時点の接触領域であると判別する。
【０１２１】
すなわち、制御部２０は、今回の領域検出処理で、前回の重心位置からの重心間距離が最大移動距離以下である重心位置の接触領域を検出していないと、前回の重心位置に対応する接触領域が、第１操作面から指が離される直前の接触領域であると判別する。
【０１２２】
また制御部２０は、領域検出処理を実行しても接触領域を全く検出しないと、この場合も、前回（１回前）の領域検出処理で接触領域を検出していたか否かを判別する。
【０１２３】
その結果、制御部２０は、前回の領域検出処理で接触領域を検出していると、その前回の接触領域が、第１操作面に対する指の接触終了時点の接触領域であると判別する。
【０１２４】
すなわち、制御部２０は、前回の領域検出処理で接触領域を検出していても、今回の領域検出処理で接触領域を全く検出しないと、その前回の接触領域が、第１操作面から指が離される直前の接触領域であると判別する。
【０１２５】
このようにして制御部２０は、領域検出処理を順次実行することにより、タッチ操作が開始されるときには、第１操作面に指が接触する毎に接触領域を検出する。
【０１２６】
また制御部２０は、領域検出処理を順次実行することにより、第１操作面に指が接触している間（第１操作面に対しタッチ操作が行われている間）は、その指による１個の接触領域を順次追跡するように検出する。
【０１２７】
すなわち、制御部２０は、領域検出処理を実行して指の接触開始時点の１個の接触領域を検出すると、引き続き領域検出処理を順次実行して、その指による１個の接触領域を当該指の接触終了時点まで追跡する。
【０１２８】
かかる構成のもと、制御部２０は、例えば、第１操作面に対しタッチ操作が行われていない状態で、１個の接触領域を検出して、これを指の接触開始時点の接触領域であると判別すると、このときタッチ操作が開始されたと判断する。
【０１２９】
この際、制御部２０は、そのタッチ操作の開始の判断に応じて、例えば、図示しないタイマにより、第１操作面に対して行われるタッチ操作により当該第１操作面に指が接触している時間（以下、これを接触時間）の計時を開始する。
【０１３０】
因みに、制御部２０は、１本の指の接触開始時点の１個の接触領域を検出して接触時間の計時を開始すると、当該１個の接触領域を順次追跡するように検出している間、当該接触時間の計時を継続する。
【０１３１】
そして制御部２０は、その順次追跡するように検出していた１個の接触領域を、接触終了時点の接触領域であると判別すると、その時点にタッチ操作が終了したと判断して接触時間の計時を停止する。
【０１３２】
また制御部２０は、そのタッチ操作の開始に応じて、例えば、指の接触開始時点の接触領域の重心位置を起点として、その指の移動軌跡の検出も開始する。
【０１３３】
因みに、制御部２０は、タッチ操作の開始以降、領域検出処理を実行して当該タッチ操作による接触領域を重心位置と共に検出する毎に、起点（重心位置）から、その検出した重心位置を順に辿るようにして指の移動軌跡を検出する。
【０１３４】
そして制御部２０は、接触時間を、タッチ操作の種類の判別用に予め選定された例えば、１［ｓｅｃ］以下の所定時間（以下、これを種類判別時間とも呼ぶ）と比較する。
【０１３５】
その結果、制御部２０は、接触時間が種類判別時間に達する前にタッチ操作が終了して当該接触時間の計時を終了すると、そのときまでに検出した移動軌跡が、起点（重心位置）を中心にした所定半径の円内に収まっているか否かを判別する。
【０１３６】
因みに、起点を中心とした円は、タッチ操作の種類を判別するために用いるものであり、以下の説明では、その円をタッチ操作判別円とも呼ぶ。そしてタッチ操作判別円の半径は、例えば、１［ｍｍ］以下の所定長さに予め選定されている。
【０１３７】
制御部２０は、タッチ操作の開始から終了までの指の移動軌跡が、タッチ操作判別円内に収まっていると、このとき第１操作面に対して行われたタッチ操作がタップ操作であると判別する。
【０１３８】
この際、制御部２０は、タップ操作による指の接触終了時点の接触領域の重心位置（すなわち、画素位置の座標で示す重心位置）を、このとき第１液晶パネル１４Ａの表示面において、当該タップ操作により指示されたタップ指示位置とする。
【０１３９】
これに対し制御部２０は、この際、タッチ操作の開始から終了までの指の移動軌跡が、例えば、起点からタッチ操作判別円の外側にまで伸びていると、このとき第１操作面に対して行われたタッチ操作がフリック操作であると判別する。
【０１４０】
この際、制御部２０は、フリック操作による指の接触開始時点の接触領域の重心位置（起点）から当該指の接触終了時点の接触領域の重心位置へ向かう方向を、フリック操作による指の移動方向とする。そして制御部２０は、そのフリック操作による指の移動方向を、例えば、画像のスクロールに利用する。
【０１４１】
また制御部２０は、タイマにより計時している接触時間が種類判別時間以上になると、重心位置の検出に応じて指の移動軌跡を順次更新する毎に、当該更新した移動軌跡がタッチ操作判別円の外側にまで伸びたか否かを判別する。
【０１４２】
その結果、制御部２０は、種類判別時間を越えて行われているタッチ操作において指の移動軌跡がタッチ操作判別円の外側にまで伸びたことを検出すると、このとき第１操作面に対して行われたタッチ操作が、摺動操作であると判別する。
【０１４３】
この場合、制御部２０は、タッチ操作が摺動操作であると判別した時点（以下、これを摺動操作判別時点とも呼ぶ）以降も当該摺動操作が終了するまでの間、重心位置の検出に応じて指の移動軌跡を順次更新する。そして制御部２０は、その摺動操作による指の移動軌跡を、例えば、画像のスクロールに利用する。
【０１４４】
因みに、制御部２０は、種類判別時間を越えて行われているタッチ操作において指の移動軌跡がタッチ操作判別円内に収まったまま、そのタッチ操作が終了すると、このとき第１操作面に指が誤って接触しており、タッチ操作は行われていないと判別する。
【０１４５】
このようにして制御部２０は、第１タッチパネル１４Ｂの第１操作面に対し例えば、１本の指でタップ操作が行われたことを検出することができる。
【０１４６】
また制御部２０は、第１タッチパネル１４Ｂの第１操作面に対し例えば、１本の指でフリック操作が行われたことも検出することができる。
【０１４７】
さらに制御部２０は、第１タッチパネル１４Ｂの第１操作面に対し例えば、１本の指で摺動操作が行われたことも検出することができる。
【０１４８】
一方、制御部２０は、領域検出処理を実行して、第２タッチパネル１５Ｂから取得したパネル出力信号に基づき接触領域を重心位置と共に検出すると、この場合も、第１操作面に対して行われたタッチ操作の種類を判別するための処理と同様の処理を実行する。
【０１４９】
これにより制御部２０は、第２タッチパネル１５Ｂの第２操作面に対し例えば、１本の指によりタップ操作が行われたことを検出することができる。
【０１５０】
また制御部２０は、第２タッチパネル１５Ｂの第２操作面に対し例えば、１本の指でフリック操作が行われたことも検出することができる。
【０１５１】
さらに制御部２０は、第２タッチパネル１５Ｂの第２操作面に対し例えば、１本の指により摺動操作が行われたことも検出することができる。
【０１５２】
ところで、例えば、不揮発性メモリ２１には、選択可能な種々の情報を示す指示対象が配置されたメニュー画像のような種々の画像の画像データが予め記憶されている。また不揮発性メモリ２１には、その画像毎に生成された情報判別テーブルも予め記憶されている。
【０１５３】
因みに、個々の情報判別テーブルには、対応する画像内の指示対象の配置領域の位置を画素位置の座標で示す配置領域情報と、その指示対象の指示によって選択可能な情報を示す選択情報とが対応付けられて格納されている。
【０１５４】
よって制御部２０は、不揮発性メモリ２１から画像データを読み出して第１液晶パネル１４Ａ及び第２液晶パネル１５Ａの少なくとも一方に画像を表示した場合、不揮発性メモリ２１から、その画像データに対応する情報判別テーブルをＲＡＭ２２に読み出す。
【０１５５】
この状態で制御部２０は、第１タッチパネル１４Ｂの第１操作面に対しタップ操作が行われたことを検出すると、情報判別テーブルに基づき複数の配置領域の中に、そのタップ操作によるタップ指示位置を含む配置領域が存在するかどうかを検出する。
【０１５６】
その結果、制御部２０は、複数の配置領域に中からタップ指示位置を含む配置領域を検出すると、情報判別テーブルに基づき、そのタップ指示位置を含む配置領域に対応付けられた選択情報を検出する。
【０１５７】
このようにして制御部２０は、タップ操作により選択された情報を判別して、当該判別した情報に応じた処理を実行する。
【０１５８】
また制御部２０は、第１液晶パネル１４Ａ及び第２液晶パネル１５Ａの少なくとも一方に画像を表示した場合、その画像全体を表示面に表示し得ているか否かを判別し、その判別結果に応じて、画像のスクロールが可能であるか否かを認識している。
【０１５９】
よって制御部２０は、画像のスクロールが可能な状態で第１操作面に対しフリック操作が行われたことを検出すると、表示中の画像を指の移動方向に比較的早くスクロールする。
【０１６０】
また制御部２０は、画像のスクロールが可能な状態で第１操作面に対し摺動操作が行われたことを検出すると、表示中の画像を、指の移動軌跡に基づき当該指の移動に追従させるようにスクロールする。
【０１６１】
因みに、制御部２０は、画像をスクロールし得ない状態で第１操作面に対しフリック操作や摺動操作が行われたことを検出すると、その検出を無効にする。
【０１６２】
また制御部２０は、第２タッチパネル１５Ｂの第２操作面に対しタップ操作が行われたことを検出したときも、同様に、そのタップ操作によって選択された情報を判別し、当該判別した情報に応じた処理を実行する。
【０１６３】
さらに制御部２０は、画像のスクロールが可能な状態で第２操作面に対しフリック操作が行われたことを検出すると、表示中の画像を指の移動方向に比較的早くスクロールさせる。
【０１６４】
また制御部２０は、画像のスクロールが可能な状態で第２操作面に対し摺動操作が行われたことを検出すると、表示中の画像を、指の移動軌跡に基づき当該指の移動に追従させるようにスクロールさせる。
【０１６５】
因みに、制御部２０は、画像をスクロールし得ない状態で第２操作面に対しフリック操作や摺動操作が行われたことを検出すると、その検出を無効にする。
【０１６６】
実際に制御部２０は、例えば、第１液晶パネル１４Ａに、選択可能な情報としてＷｅｂブラウザの起動命令を示す指示対象が配置された所定の画像を表示し、その指示対象がタップ操作により指示されると、Ｗｅｂブラウザの起動命令が選択されたと認識する。
【０１６７】
この場合、図６に示すように、制御部２０は、Ｗｅｂブラウザの起動命令の選択に応じて、Ｗｅｂブラウザを起動して、第２液晶パネル１５Ａから第１液晶パネル１４Ａに亘って１個のＷｅｂブラウザ画像３０を表示する。
【０１６８】
すなわち、制御部２０は、この際、第２液晶パネル１５Ａ及び第１液晶パネル１４Ａの両方の表示面をあたかも１つの表示面と見なして、これら表示面にＷｅｂブラウザ画像３０を表示する。
【０１６９】
また制御部２０は、このときネットワークインタフェース２３を介して、ネットワーク上のサーバからＷｅｂページのページデータを受信して、そのページデータに基づくページ画像３１を、Ｗｅｂブラウザ画像３０内の所定部分に嵌め込むように表示する。
【０１７０】
これにより制御部２０は、第１液晶パネル１４Ａ及び第２液晶パネル１５Ａを介してユーザに、Ｗｅｂブラウザ画像３０と共にＷｅｂページ（すなわち、ページ画像３１）を閲覧させることができる。
【０１７１】
因みに、以下の説明では、所定部分にページ画像３１を嵌め込むようにして表示されたＷｅｂブラウザ画像３０全体を、Ｗｅｂ画像３２とも呼ぶ。
【０１７２】
この際、制御部２０は、例えば、第１タッチパネル１４Ｂの第１操作面に対し指を矢印ａに示す下側から上側へ移動させるようなフリック操作が行われたことを検出すると、Ｗｅｂ画像３２を上方向へ比較的早くスクロールさせる。
【０１７３】
また制御部２０は、例えば、このとき第２タッチパネル１５Ｂの第２操作面に対し指を下側から上側へ移動させるようなフリック操作が行われたことを検出しても、Ｗｅｂ画像３２を上方向へ比較的早くスクロールさせる。
【０１７４】
因みに、制御部２０は、このようにフリック操作に応じてＷｅｂ画像３２を上方向へ比較的早くスクロールしている状態で、例えば、第１操作面や第２操作面に対しタップ操作が行われると、スクロールを停止させるように指示されたと認識する。
【０１７５】
よって制御部２０は、フリック操作に応じてＷｅｂ画像３２を上方向へ比較的早くスクロールしている状態で、このようにタップ操作が行われると、これに応じてＷｅｂ画像３２の上方向への比較的早いスクロールを停止させる。
【０１７６】
さらに制御部２０は、例えば、第１タッチパネル１４Ｂの第１操作面に対し指を上側から下側へ移動させるようなフリック操作が行われたことを検出すると、Ｗｅｂ画像３２を下方向へ比較的早くスクロールさせる。
【０１７７】
さらにまた制御部２０は、例えば、第２タッチパネル１５Ｂの第２操作面に対し指を表示面の上側から下側へ移動させるようなフリック操作が行われたことを検出しても、Ｗｅｂ画像３２を下方向へ比較的早くスクロールさせる。
【０１７８】
因みに、制御部２０は、このようにフリック操作に応じてＷｅｂ画像３２を下方向へ比較的早くスクロールしている状態でも、第１操作面や第２操作面に対しタップ操作が行われると、スクロールを停止させるように指示されたと認識する。
【０１７９】
よって制御部２０は、フリック操作に応じてＷｅｂ画像３２を下方向へ比較的早くスクロールしている状態で、このようにタップ操作が行われると、これに応じてＷｅｂ画像３２の下方向への比較的早いスクロールを停止させる。
【０１８０】
これに加え制御部２０は、この際、例えば、第１タッチパネル１４Ｂの第１操作面に対し指を下側から上側へ移動させるような摺動操作が行われたことを検出すると、Ｗｅｂ画像３２を、その指の移動に追従させるように上方向へスクロールさせる。
【０１８１】
また制御部２０は、例えば、この際、第２タッチパネル１５Ｂの第２操作面に対し指を下側から上側へ移動させるような摺動操作が行われたことを検出しても、Ｗｅｂ画像３２を、その指の移動に追従させるように上方向へスクロールさせる。
【０１８２】
さらに制御部２０は、この際、第１操作面や第２操作面に対し指を上側から下側へ移動させるような摺動操作が行われると、これに応じてＷｅｂ画像３２を、その指の移動に追従させるように下方向へスクロールさせることもできる。
【０１８３】
このように制御部２０は、第２液晶パネル１５Ａ及び第１液晶パネル１４Ａの両方の表示面に亘ってＷｅｂ画像３２全体を表示しきれない場合でも、そのＷｅｂ画像３２を適宜スクロールして、くまなく見せることができる。
【０１８４】
ところで、ページ画像３１には、選択可能な種々の情報を示す指示対象が配置されている。そしてページ画像３１には、指示対象の配置領域の位置を画像内の座標で示す画像内位置情報と、当該指示対象の指示によって選択可能な情報を示す選択情報とが対応付けられて付加されている。
【０１８５】
制御部２０は、ページ画像３１の指示対象を第１液晶パネル１４Ａに表示すると、その指示対象の選択情報に、第１液晶パネル１４Ａでの当該指示対象の表示領域の位置を画素位置の座標で示す表示領域情報を対応付ける。
【０１８６】
また制御部２０は、ページ画像３１の指示対象を第２液晶パネル１５Ａに表示すると、その指示対象の選択情報に、第２液晶パネル１５Ａでの当該指示対象の表示領域の位置を画素位置の座標で示す表示領域情報を対応付ける。
【０１８７】
因みに、制御部２０は、Ｗｅｂ画像３２をスクロールして指示対象の表示領域を変位させた場合、その指示対象の選択情報に対応付ける表示領域情報を、変位後の表示領域の位置を画素位置の座標で示す表示領域情報に変更する。
【０１８８】
そして制御部２０は、Ｗｅｂ画像３２をスクロールしていない状態で第１操作面に対しタップ操作が行われたことを検出すると、第１液晶パネル１４Ａに表示中の１又は複数の指示対象の表示領域の中から、タップ指示位置を含む表示領域を検出する。
【０１８９】
これにより制御部２０は、このときページ画像３１上で行われたタップ操作によって選択された情報（すなわち、そのタップ指示位置を含む表示領域を対応付けた選択情報）を判別する。
【０１９０】
また制御部２０は、Ｗｅｂ画像３２をスクロールしていない状態で第２操作面に対しタップ操作が行われたことを検出すると、第２液晶パネル１５Ａに表示中の１又は複数の指示対象の表示領域の中から、タップ指示位置を含む表示領域を検出する。
【０１９１】
これにより制御部２０は、このときページ画像３１上で行われたタップ操作によって選択された情報（すなわち、そのタップ指示位置を含む表示領域を対応付けた選択情報）を判別する。
【０１９２】
そして制御部２０は、このように選択された情報を判別すると、これに応じて例えば、ネットワークインタフェース２３を介して、ネットワーク上のサーバから新たなページデータを受信して、そのページデータに基づくページ画像を表示するような処理を実行する。
【０１９３】
このようにして制御部２０は、ページ画像３１のように外部から取得した画像を表示した場合も、その画像上でタップ操作が行われると、そのタップ操作によって選択された情報を判別して、当該判別した情報に応じた処理を実行する。
【０１９４】
ところで、制御部２０は、第２液晶パネル１５Ａ及び第１液晶パネル１４Ａの両方の表示面に亘ってＷｅｂ画像３２を表示した場合、このようにＷｅｂブラウザ画像３０内に表示するページ画像３１を適宜変更することができる。
【０１９５】
また制御部２０は、例えば、第２液晶パネル１５Ａ及び第１液晶パネル１４Ａの両方の表示面に亘って表示したＷｅｂ画像３２を最小化して、その表示を待機させておき、上述と同様の処理を行うことで、新たなＷｅｂ画像３２を表示することもできる。
【０１９６】
すなわち、制御部２０は、Ｗｅｂ画像３２をＲＡＭ２２上で展開して表示可能な状態（すなわち、立ち上げた状態）にすると、これをＲＡＭ２２から消去せずに表示を待機させ、新たなＷｅｂ画像のみを表示して見せるようにすることもできる。
【０１９７】
さらに制御部２０は、例えば、第２液晶パネル１５Ａ及び第１液晶パネル１４Ａの両方の表示面に亘って表示したＷｅｂ画像３２の前面に、新たなＷｅｂ画像３２を重ねて表示することもできる。
【０１９８】
すなわち、制御部２０は、一旦立ち上げたＷｅｂ画像３２をＲＡＭ２２から消去せずに、新たなＷｅｂ画像３２で隠すようにして表示を待機させ、その新たなＷｅｂ画像のみを見せるようにすることもできる。
【０１９９】
さらに制御部２０は、Ｗｅｂ画像３２の他に、メニュー画像やスケジュール画像、カレンダー画像、ゲーム画像等のように、不揮発性メモリ２１に記憶している種々の画像についても適宜立ち上げたまま、同様に、その表示を待機させることもできる。
【０２００】
このようにして制御部２０は、Ｗｅｂ画像３２やメニュー画像、スケジュール画像等を順次立ち上げつつ、表示を適宜待機させることで、一度に複数の画像を立ち上げた状態にしておくことができる。
【０２０１】
因みに、以下の説明では、このようにＲＡＭ２２上で展開して表示可能な状態に立ち上げた画像を、立上画像とも呼ぶ。
【０２０２】
このようにして制御部２０は、複数の立上画像の表示を待機させている場合、後述するように、これら複数の立上画像を一括してユーザに提示し、表示すべき立上画像を任意に選択させる。
【０２０３】
そして制御部２０は、その選択された１個の立上画像を第２液晶パネル１５Ａ及び第１液晶パネル１４Ａの両方の表示面に亘って、又は第１液晶パネル１４Ａ及び第２液晶パネル１５Ａの一方の表示面に表示することができる。
【０２０４】
ところで、制御部２０は、上述のページ画像として、例えば、サーバから音楽データをアルバム単位で購入するためのページデータを受信して、そのページデータに基づくページ画像をＷｅｂブラウザ画像内に表示することができる。
【０２０５】
そして制御部２０は、例えば、かかるページ画像上でタップ操作により、購入を希望する音楽データがアルバムとして選択され、そのアルバムの購入が選択されると、これに応じて音楽データの購入処理を実行する。
【０２０６】
この場合、制御部２０は、ユーザによりアルバムとして選択された音楽データを購入要求する購入要求データを生成し、当該生成した購入要求データを、ネットワークインタフェース２３を介してネットワーク上のサーバに送信する。
【０２０７】
その結果、制御部２０は、サーバからアルバム単位の音楽データの購入に対する課金処理が完了して、当該音楽データと、これに対応する音楽関連情報とが一組ずつ順次送信されると、これらを、ネットワークインタフェース２３を介して受信する。
【０２０８】
また制御部２０は、その受信した音楽データ及び音楽関連情報を一組ずつ不揮発性メモリ２１に送出することにより、当該不揮発性メモリ２１に音楽データと音楽関連情報とを対応付けて記憶する。
【０２０９】
このようにして制御部２０は、ネットワーク上のサーバから音楽データをアルバム単位で購入して不揮発性メモリ２１に記憶することができる。
【０２１０】
ここで、音楽関連情報には、対応する音楽データ固有の識別情報、当該音楽データに基づく音楽の曲タイトル、アーティスト名、その音楽が属するジャンルのジャンル名、その音楽が収録されたアルバムのアルバムタイトルのような情報が含まれている。
【０２１１】
これに加えて音楽関連情報には、対応する音楽データに基づく音楽が収録されたアルバムのジャケット写真の画像データ（以下、これをジャケット画像データとも呼ぶ）、音楽データの再生時間、データフォーマット等のような情報も含まれている。
【０２１２】
また制御部２０は、不揮発性メモリ２１内に、音楽データを登録して管理するためのデータベース（以下、これを管理データベースとも呼ぶ）を予め構築している。
【０２１３】
よって図７に示すように、制御部２０は、不揮発性メモリ２１に音楽データを音楽関連情報と共に記憶すると、その音楽関連情報に基づき音楽データをジャンルで分類し、そのジャンル毎にアーティストで分類し、そのアーティスト毎にアルバムで分類する。
【０２１４】
そして制御部２０は、音楽データを、このような階層的な分類で管理するために、複数のジャンル名を最上位階層でもある第１階層の管理情報とする。
【０２１５】
また制御部２０は、その第１階層の管理情報である複数のジャンル名それぞれに、当該第１階層よりも１階層下位の第２階層の管理情報となる１又は複数のアーティスト名（すなわち、そのジャンルに属する音楽データを分類したアーティスト）を対応付ける。
【０２１６】
さらに制御部２０は、第２階層の管理情報であるアーティスト名それぞれに、当該第２階層よりも１階層下位の第３階層の管理情報となる１又は複数のアルバムタイトル（すなわち、そのアーティストの音楽データを分類したアルバム）を対応付ける。
【０２１７】
さらに制御部２０は、その第３階層の管理情報であるアルバムタイトルそれぞれに、当該第３階層よりも１階層下位の第４階層の管理情報となる複数の曲タイトル（すなわち、そのアルバムに収録された曲）を対応付ける。
【０２１８】
このようにして制御部２０は、音楽データを階層的な分類で管理するための第１乃至第４階層の管理情報を相互に対応付けた音楽管理情報を生成する。
【０２１９】
そして制御部２０は、その音楽管理情報を不揮発性メモリ２１に送出して管理データベースに登録するようにして、当該不揮発性メモリ２１に音楽管理情報を記憶する。
【０２２０】
また制御部２０は、不揮発性メモリ２１に、サーバから購入した音楽データを音楽関連情報と共に記憶する毎に、当該記憶した音楽関連情報に基づき音楽管理情報の内容を更新している。
【０２２１】
これにより制御部２０は、管理データベースに登録している音楽管理情報に基づき、不揮発性メモリ２１に記憶している複数の音楽データを階層的に管理し得るようになされている。
【０２２２】
制御部２０は、第１液晶パネル１４Ａに、選択可能な情報として再生機能選択命令を示す指示対象を有するメニュー画像のような所定の画像を表示し、その指示対象がタップ操作で指示されると、再生機能選択命令が選択されたと認識する。
【０２２３】
この際、制御部２０は、不揮発性メモリ２１から音楽管理情報を読み出すと共に、音楽関連情報に含まれるジャケット画像データも読み出す。
【０２２４】
また制御部２０は、音楽管理情報に含まれる第１階層の管理情報に基づき、複数のジャンル名をアルファベット順に並べて示すジャンルリストを生成する。
【０２２５】
さらに制御部２０は、音楽管理情報に含まれる第２階層の管理情報に基づき、ジャンル名毎の、当該ジャンル名に対応付けている複数のアーティスト名をアルファベット順に並べて示すアーティストリストも生成する。
【０２２６】
さらに制御部２０は、音楽管理情報に含まれる第３階層の管理情報に基づき、アーティスト名毎の、当該アーティスト名に対応付けている複数のアルバムタイトルをアルファベット順に並べて示すアルバムリストも生成する。
【０２２７】
さらに制御部２０は、音楽管理情報に含まれる第４階層の管理情報に基づき、アルバムタイトル毎の、当該アルバムタイトルに対応付けている複数の曲タイトルの曲タイトルリストも生成する。
【０２２８】
因みに、制御部２０は、この際、アルバムタイトル毎に、そのアルバムにおいて予め決められていた音楽データの再生順序通りに複数の曲タイトルを並べるようにして曲タイトルリストを生成する。
【０２２９】
さらに制御部２０は、ジャンルリスト、ジャンル名毎のアーティストリスト、ジャケット画像データに基づき、ユーザに所望のジャンルを選択させるためのジャンル一覧画像の画像データを生成する。
【０２３０】
そして図８に示すように、制御部２０は、例えば、第２液晶パネル１５Ａから第１液晶パネル１４Ａに亘って、その画像データに基づき、複数の音楽データに対する第１階層の分類（ジャンルによる分類）を示すジャンル一覧画像３５を表示する。
【０２３１】
この場合、ジャンル一覧画像３５には、例えば、指示対象として、それぞれ異なるジャンル名が表記された複数のジャンルアイコン３６がマトリクス状（複数行及び複数列）に配置されている。
【０２３２】
またジャンル一覧画像３５には、個々のジャンルアイコン３６の下側に、指示対象として、当該ジャンルアイコン３６が示すジャンル名に対応するアーティストのアルバムのジャケット写真の画像（以下、これをジャケット画像とも呼ぶ）３７が配置されている。
【０２３３】
ところで、ジャンル一覧画像３５では、例えば、ジャンル名に対応するアーティストのアルバムのジャケット画像３７が複数存在する場合、当該複数のジャケット画像３７が、僅かにずらしながら積み上げられているように配置されている。
【０２３４】
よってジャンル一覧画像３５では、ジャンル名毎のアルバムの枚数が多いか少ないかを直感的に認識させ得るようになされている。
【０２３５】
このようにして制御部２０は、第２液晶パネル１５Ａから第１液晶パネル１４Ａに亘ってジャンル一覧画像３５として複数のジャンルアイコン３６及びジャケット画像３７を一覧表示する。
【０２３６】
これにより制御部２０は、そのジャンル一覧画像３５により、音楽データの再生用に選択可能な複数のジャンルを提示することができると共に、ジャンル毎の音楽データをアルバムとして、どの程度（すなわち、数）記憶しているのかも提示することができる。
【０２３７】
因みに、制御部２０は、第２液晶パネル１５Ａから第１液晶パネル１４Ａに亘ってジャンル一覧画像３５を表示した状態で、第１操作面や第２操作面に対しフリック操作や摺動操作が行われると、上述と同様にジャンル一覧画像３５をスクロールする。
【０２３８】
よって制御部２０は、第２液晶パネル１５Ａ及び第１液晶パネル１４Ａの両方の表示面に亘ってジャンル一覧画像３５全体を表示しきれない場合でも、そのジャンル一覧画像３５を適宜スクロールして、くまなく見せることができる。
【０２３９】
また制御部２０は、この際、ジャンル名毎のジャケット画像３７の表示領域の位置を画素位置の座標で示す表示領域情報に、当該ジャケット画像３７の指示によって選択可能な情報として、ジャンル名及びジャケット画像３７を示すジャンル情報を対応付ける。
【０２４０】
さらに制御部２０は、そのジャケット画像３７毎の表示領域情報と、当該表示領域情報に対応付けたジャンル情報とを選択ジャンル判別情報としてＲＡＭ２２に記憶する。
【０２４１】
因みに、制御部２０は、ジャンル一覧画像３５をスクロールしてジャケット画像３７の表示領域を変位させた場合、ジャンル情報と対応付けている表示領域情報を、変位後の表示領域の位置を画素位置の座標で示す表示領域情報に変更する。
【０２４２】
制御部２０は、ジャンル一覧画像３５をスクロールしていない状態で第１操作面に対しタップ操作が行われると、選択ジャンル判別情報に基づき、ジャケット画像３７の表示領域の中からタップ指示位置を含む表示領域を検出する。
【０２４３】
また制御部２０は、ジャンル一覧画像３５をスクロールしていない状態で第２操作面に対しタップ操作が行われても、選択ジャンル判別情報に基づき、ジャケット画像３７の表示領域の中からタップ指示位置を含む表示領域を検出する。
【０２４４】
さらに制御部２０は、このときジャンル一覧画像３５上で行われたタップ操作によって選択されたジャンル名及びジャケット画像３７（すなわち、そのタップ指示位置を含む表示領域に対応付けていたジャンル情報）を判別する。
【０２４５】
このようにして制御部２０は、ジャンル一覧画像３５を介して、音楽データの再生用に複数のジャンルの中から所望のジャンルを、ジャンル名及びジャケット画像３７として選択させることができる。
【０２４６】
この際、制御部２０は、その選択されたジャンル名に対応するアーティストリストを特定すると共に、当該特定したアーティストリストに対応するアーティスト名（アーティストリストに含まれるアーティスト名）毎のアルバムリストも特定する。
【０２４７】
また制御部２０は、その特定したアーティストリスト及びアルバムリストと、ジャンル名と共に選択されたジャケット画像３７のジャケット画像データとに基づき、ユーザに所望のアーティストを選択させるためのアーティスト一覧画像の画像データを生成する。
【０２４８】
そして図９に示すように、制御部２０は、第２液晶パネル１５Ａから第１液晶パネル１４Ａに亘り画像データに基づき、複数の音楽データに対する第２階層の分類においてユーザにより選択されたジャンル内での分類を示すアーティスト一覧画像３８を表示する。
【０２４９】
すなわち、制御部２０は、第２液晶パネル１５Ａから第１液晶パネル１４Ａに亘り、ユーザにより選択されたジャンル内での複数の音楽データのアーティストによる分類（第２階層の分類）を示すアーティスト一覧画像３８を表示する。
【０２５０】
この場合、アーティスト一覧画像３８には、指示対象として例えば、それぞれ異なるアーティスト名（ユーザにより選択されたジャンルに対応するアーティスト名）が表記された複数のアーティストアイコン３９がマトリクス状に配置されている。
【０２５１】
またアーティスト一覧画像３８には、個々のアーティストアイコン３９の下側に、指示対象として、当該アーティストアイコン３９が示すアーティスト名に対応する（そのアーティスト名のアーティストの）アルバムのジャケット画像４０が配置されている。
【０２５２】
すなわちアーティスト一覧画像３８には、あたかも、ジャンル一覧画像３５上でジャンルとして選択されたジャケット画像３７の山をアーティスト毎に分けるように崩して配置するように、そのアーティスト毎のジャケット画像４０がマトリクス状に配置されている。
【０２５３】
ところで、アーティスト一覧画像３８では、例えば、アーティスト名に対応するアルバムのジャケット画像４０が複数存在する場合、当該複数のジャケット画像４０が、僅かにずらしながら積み上げられているように配置されている。
【０２５４】
よってアーティスト一覧画像３８では、アーティスト名毎のアルバムの枚数が多いか少ないかを直感的に認識させ得るようになされている。
【０２５５】
このようにして制御部２０は、第２液晶パネル１５Ａから第１液晶パネル１４Ａに亘ってアーティスト一覧画像３８として複数のアーティストアイコン３９及びジャケット画像４０を一覧表示する。
【０２５６】
これにより制御部２０は、そのアーティスト一覧画像３８により、音楽データの再生用に選択可能な複数のアーティストを提示することができると共に、アーティスト毎の音楽データをアルバムとして、どの程度記憶しているのかも提示することができる。
【０２５７】
因みに、制御部２０は、第２液晶パネル１５Ａから第１液晶パネル１４Ａに亘ってアーティスト一覧画像３８を表示した状態で、第１操作面や第２操作面に対しフリック操作や摺動操作が行われると、上述と同様にアーティスト一覧画像３８をスクロールする。
【０２５８】
よって制御部２０は、第２液晶パネル１５Ａ及び第１液晶パネル１４Ａの両方の表示面に亘ってアーティスト一覧画像３８全体を表示しきれない場合でも、そのアーティスト一覧画像３８を適宜スクロールさせて、くまなく見せることができる。
【０２５９】
また制御部２０は、アーティスト名毎のジャケット画像４０の表示領域の位置を画素位置の座標で示す表示領域情報に、当該ジャケット画像４０の指示により選択可能な情報として、アーティスト名及びジャケット画像４０を示すアーティスト情報を対応付ける。
【０２６０】
さらに制御部２０は、そのジャケット画像４０毎の表示領域情報と、当該表示領域情報に対応付けたアーティスト情報とを選択アーティスト判別情報としてＲＡＭ２２に記憶する。
【０２６１】
なお制御部２０は、アーティスト一覧画像３８をスクロールしてジャケット画像４０の表示領域を変位させた場合、アーティスト情報と対応付けている表示領域情報を、変位後の表示領域の位置を画素位置の座標で示す表示領域情報に変更する。
【０２６２】
制御部２０は、アーティスト一覧画像３８をスクロールしていない状態で第１操作面に対しタップ操作が行われると、選択アーティスト判別情報に基づき、ジャケット画像４０の表示領域の中からタップ指示位置を含む表示領域を検出する。
【０２６３】
また制御部２０は、アーティスト一覧画像３８をスクロールしていない状態で第２操作面に対しタップ操作が行われても、選択アーティスト判別情報に基づき、ジャケット画像４０の表示領域の中からタップ指示位置を含む表示領域を検出する。
【０２６４】
さらに制御部２０は、このときアーティスト一覧画像３８上で行われたタップ操作によって選択されたアーティスト名及びジャケット画像４０（すなわち、そのタップ指示位置を含む表示領域に対応付けていたアーティスト情報）を判別する。
【０２６５】
このようにして制御部２０は、アーティスト一覧画像３８を介して、音楽データの再生用に複数のアーティストの中から所望のアーティストを、アーティスト名及びジャケット画像４０として選択させることができる。
【０２６６】
そして制御部２０は、この際、その選択されたアーティスト名に対応するアルバムリストを特定する。また制御部２０は、その特定したアルバムリストと、アーティスト名と共に選択されたジャケット画像４０のジャケット画像データとに基づき、ユーザに所望のアルバムを選択させるためのアルバム一覧画像の画像データを生成する。
【０２６７】
よって図１０に示すように、制御部２０は、第２液晶パネル１５Ａから第１液晶パネル１４Ａに亘り画像データに基づき、複数の音楽データに対する第３階層の分類においてユーザにより選択されたアーティスト内での分類を示すアルバム一覧画像４１を表示する。
【０２６８】
すなわち、制御部２０は、第２液晶パネル１５Ａから第１液晶パネル１４Ａに亘り、ユーザにより選択されたアーティスト内での複数の音楽データのアルバムによる分類（第３階層の分類）を示すアルバム一覧画像４１を表示する。
【０２６９】
この場合、アルバム一覧画像４１には、指示対象として例えば、それぞれ異なるアルバムタイトル（ユーザにより選択されたアーティスト名に対応するアルバムタイトル）が表記された複数のアルバムアイコン４２がマトリクス状に配置されている。
【０２７０】
またアルバム一覧画像４１には、個々のアルバムアイコン４２の下側に、指示対象として、当該アルバムアイコン４２が示すアルバムタイトルに対応する（そのアルバムタイトルのアルバムの）ジャケット画像４３が配置されている。
【０２７１】
すなわちアルバム一覧画像４１には、あたかも、アーティスト一覧画像３８上でアーティストとして選択されたジャケット画像４０の山をアルバム毎に分けるように崩して配置するように、そのアルバム毎のジャケット画像４３がマトリクス状に配置されている。
【０２７２】
このようにして制御部２０は、第２液晶パネル１５Ａから第１液晶パネル１４Ａに亘ってアルバム一覧画像４１として複数のアルバムアイコン４２及びジャケット画像４３を一覧表示する。
【０２７３】
これにより制御部２０は、そのアルバム一覧画像４１により、音楽データの再生用に選択可能な複数のアルバムを提示することができる。
【０２７４】
因みに、制御部２０は、第２液晶パネル１５Ａから第１液晶パネル１４Ａに亘ってアルバム一覧画像４１を表示した状態で、第１操作面や第２操作面に対しフリック操作や摺動操作が行われると、上述と同様にアルバム一覧画像４１をスクロールする。
【０２７５】
よって制御部２０は、第２液晶パネル１５Ａ及び第１液晶パネル１４Ａの両方の表示面に亘ってアルバム一覧画像４１全体を表示しきれない場合でも、そのアルバム一覧画像４１を適宜スクロールさせて、くまなく見せることができる。
【０２７６】
また制御部２０は、アルバムタイトル毎のジャケット画像４３の表示領域の位置を画素位置の座標で示す表示領域情報に、当該ジャケット画像４３の指示によって選択可能な情報として、アルバムタイトル及びジャケット画像４３を示すアルバム情報を対応付ける。
【０２７７】
さらに制御部２０は、そのジャケット画像４３毎の表示領域情報と、当該表示領域情報に対応付けたアルバム情報とを選択アルバム判別情報としてＲＡＭ２２に記憶する。
【０２７８】
なお制御部２０は、アルバム一覧画像４１をスクロールしてジャケット画像４３の表示領域を変位させた場合、アルバム情報と対応付けている表示領域情報を、変位後の表示領域の位置を画素位置の座標で示す表示領域情報に変更する。
【０２７９】
制御部２０は、アルバム一覧画像４１をスクロールしていない状態で第１操作面に対しタップ操作が行われると、選択アルバム判別情報に基づき、ジャケット画像４３の表示領域の中からタップ指示位置を含む表示領域を検出する。
【０２８０】
また制御部２０は、アルバム一覧画像４１をスクロールしていない状態で第２操作面に対しタップ操作が行われても、選択アルバム判別情報に基づき、ジャケット画像４３の表示領域の中からタップ指示位置を含む表示領域を検出する。
【０２８１】
これにより制御部２０は、このときアルバム一覧画像４１上でタップ操作によって選択されたアルバムタイトル及びジャケット画像４３（すなわち、そのタップ指示位置を含む表示領域に対応付けていたアルバム情報）を判別する。
【０２８２】
このようにして制御部２０は、アルバム一覧画像４１を介して、音楽データの再生用に複数のアルバムの中から所望のアルバムを、アルバムタイトルとして選択させることができる。
【０２８３】
そして制御部２０は、この際、その選択されたアルバムタイトルに対応する曲タイトルリストを特定する。また制御部２０は、その特定した曲タイトルリストに基づき、ユーザに所望の曲を選択させるための曲一覧画像の画像データを生成する。
【０２８４】
よって図１１に示すように、制御部２０は、例えば、第２液晶パネル１５Ａから第１液晶パネル１４Ａに亘り画像データに基づき、複数の音楽データに対する第４階層の分類においてユーザにより選択されたアルバム内での分類を示す曲一覧画像４４を表示する。
【０２８５】
すなわち、制御部２０は、第２液晶パネル１５Ａから第１液晶パネル１４Ａに亘り、ユーザにより選択されたアルバム内での複数の音楽データの曲タイトルによる分類（第４階層の分類）を示す曲一覧画像４４を表示する。
【０２８６】
この場合、曲一覧画像４４には、例えば、それぞれ異なる曲タイトルが表記された複数の曲アイコン４５が、対応する音楽データの再生順序（アルバム内で予め決められていた再生順序）に準じて１列に並べて配置されている。
【０２８７】
このようにして制御部２０は、第２液晶パネル１５Ａから第１液晶パネル１４Ａに亘って曲一覧画像４４として複数の曲アイコン４５を一覧表示する。
【０２８８】
これにより制御部２０は、その曲一覧画像４４により、音楽データの再生用に選択可能な複数の曲タイトル（すなわち、ユーザにより選択されたアルバムに収録されている複数の音楽データの曲タイトル）を提示することができる。
【０２８９】
因みに、制御部２０は、第２液晶パネル１５Ａから第１液晶パネル１４Ａに亘って曲一覧画像４４を表示した状態で、第１操作面や第２操作面に対しフリック操作や摺動操作が行われると、上述と同様に曲一覧画像４４をスクロールする。
【０２９０】
よって制御部２０は、第２液晶パネル１５Ａ及び第１液晶パネル１４Ａの両方の表示面に亘って曲一覧画像４４全体を表示しきれない場合でも、その曲一覧画像４４を適宜スクロールさせて、くまなく見せることができる。
【０２９１】
この際、制御部２０は、曲アイコン４５毎の配置領域の位置を画素位置の座標で示す配置領域情報に、当該曲アイコン４５の指示によって選択可能な情報として、曲タイトルを示す曲情報を対応付ける。
【０２９２】
さらに制御部２０は、その曲アイコン４５毎の配置領域情報と、当該配置領域情報に対応付けた曲情報とを選択曲判別情報としてＲＡＭ２２に記憶する。
【０２９３】
因みに、制御部２０は、曲一覧画像４４をスクロールして曲アイコン４５の配置領域を変位させた場合、曲情報と対応付けている配置領域情報を、変位後の配置領域の位置を画素位置の座標で示す配置領域情報に変更する。
【０２９４】
制御部２０は、曲一覧画像４４をスクロールしていない状態で第１操作面に対しタップ操作が行われると、選択曲判別情報に基づき、曲アイコン４５の配置領域の中からタップ指示位置を含む配置領域を検出する。
【０２９５】
また制御部２０は、曲一覧画像４４をスクロールしていない状態で第２操作面に対しタップ操作が行われても、選択曲判別情報に基づき、曲アイコン４５の配置領域の中からタップ指示位置を含む配置領域を検出する。
【０２９６】
さらに制御部２０は、このとき曲一覧画像４４上でタップ操作によって選択された曲タイトル（すなわち、そのタップ指示位置を含む配置領域に対応付けていた曲情報）を判別する。
【０２９７】
これにより制御部２０は、曲一覧画像４４を介して、音楽データの再生用に複数の曲の中から所望の曲を、曲タイトルとして選択させることができる。
【０２９８】
ところで、ジャンル一覧画像３５は、上述のように複数の音楽データのジャンルによる分類（第１階層の分類）を示している。
【０２９９】
そしてジャンル一覧画像３５内のジャンル毎のジャケット画像３７は、当該ジャンルに属する複数の音楽データのアーティストによる分類（第２階層の分類）を提示するためのアーティスト一覧画像３８を示す（表示用に選択可能なことを示す）指示対象である。
【０３００】
またアーティスト一覧画像３８内のアーティスト毎のジャケット画像４０は、当該アーティストの複数の音楽データのアルバムによる分類（第３階層の分類）を提示するためのアルバム一覧画像４１を示す（表示用に選択可能なことを示す）指示対象である。
【０３０１】
さらにアルバム一覧画像４１内のアルバム毎のジャケット画像４０は、当該アルバムの複数の音楽データの曲タイトルによる分類（第４階層の分類）を提示するための曲一覧画像４４を示す（表示用に選択可能なことを示す）指示対象である。
【０３０２】
このため制御部２０は、ユーザのタップ操作に応じて、複数の音楽データの階層的な分類を上位から下位に順に辿って示すように、階層構造のジャンル一覧画像３５、アーティスト一覧画像３８、アルバム一覧画像４１、曲一覧画像４４を順次生成して表示する。
【０３０３】
すなわち、制御部２０は、この際、ユーザのタップ操作に応じて、上位階層のジャンル一覧画像３５から、順次１階層下位のアーティスト一覧画像３８、アルバム一覧画像４１、曲一覧画像４４までを順番に生成して表示する。
【０３０４】
よって制御部２０は、複数の音楽データに対する上位階層の第１階層から下位階層の第４階層までの階層的な分類を、ジャンル一覧画像３５、アーティスト一覧画像３８、アルバム一覧画像４１、曲一覧画像４４により順に辿らせることができる。
【０３０５】
これにより制御部２０は、複数の音楽データを順次絞り込ませるようにして、最終的に再生対象の音楽データを選択させることができる。
【０３０６】
そして制御部２０は、このようにタップ操作により曲タイトルが選択されると、その曲タイトルの音楽データの再生命令が入力されたと認識する。
【０３０７】
この場合、制御部２０は、不揮発性メモリ２１から、その選択された曲タイトルの音楽データを読み出して再生部２４に送出する。
【０３０８】
再生部２４は、制御部２０の制御のもと、音楽データに対して、デコード処理、デジタアナログ変換処理、増幅処理等の再生処理を施すことで、音楽信号を生成してヘッドホン端子（図示せず）から出力する。
【０３０９】
これにより制御部２０は、ヘッドホン端子に接続されたヘッドホンを介してユーザに曲（音楽）を聴かせることができる。
【０３１０】
制御部２０は、ユーザにより選択された曲タイトルの音楽データに対する再生処理が終了すると、例えば、この際にユーザにより選択されていたアーティストやアルバム等に対応する曲タイトルリストに従い不揮発性メモリ２１から音楽データを順次読み出す。
【０３１１】
また制御部２０は、その音楽データを再生部２４に送出する。これにより制御部２０は、再生部２４に音楽データを順次再生処理させ、かくしてヘッドホンを介してユーザに複数の曲を連続して聴かせることができる。
【０３１２】
ところで、図１２に示すように、制御部２０は、音楽データの再生を開始すると、第２液晶パネル１５Ａから第１液晶パネル１４Ａに亘り、再生対象の音楽データを示す再生画像４６を表示する。
【０３１３】
この際、制御部２０は、第２液晶パネル１５Ａに再生画像４６の一部として、再生対象の音楽データに対応する（再生対象の音楽が収録されたアルバムの）ジャケット画像４７を拡大して表示する。
【０３１４】
また制御部２０は、第１液晶パネル１４Ａに再生画像４６の一部として、再生対象の音楽データに対応する曲タイトル４８、アーティスト名４９、アルバムタイトル５０、ジャンル名５１を表示する。
【０３１５】
すなわち、再生画像４６は、再生対象の１個の音楽データに関する種々の情報を提示するためのものである。よって再生画像４６は、アルバム内の複数の曲タイトルを曲アイコン４５として示す曲一覧画像４４よりも１階層下位の画像であると言える。
【０３１６】
また曲一覧画像４４内の曲アイコン４５は、対応する音楽データの再生指示のみならず、曲アイコン４５が示す曲タイトルの当該音楽データに関する種々の情報を提示するための再生画像４６を示す（表示用に選択可能なことを示す）指示対象でもある。
【０３１７】
因みに、制御部２０は、再生処理する音楽データを切り替えた場合、これに応じて再生画像４６内のジャケット画像４７、曲タイトル４８、アーティスト名４９、アルバムタイトル５０、ジャンル名５１を適宜変更する。
【０３１８】
よって制御部２０は、音楽データの再生中や再生を一時的に停止しているとき、再生画像４６を介してユーザに、その再生対象の音楽データ（すなわち、曲）に関する情報を提示することができる。
【０３１９】
さらに制御部２０は、第１液晶パネル１４Ａに再生画像４６の一部として、再生開始命令及び再生停止命令を示す再生アイコン５２、曲送り命令を示す曲送りアイコン５３、曲戻し命令を示す曲戻しアイコン５４も表示している。
【０３２０】
よって制御部２０は、この際、これら再生アイコン５２や曲送りアイコン５３、曲戻しアイコン５４がタップ操作によって指示されると、これに応じて音楽データの再生を停止又は再開させ、また再生する音楽データを切り替えることができる。
【０３２１】
ところで制御部２０は、ジャンル一覧画像３５を表示すると、ジャンル名毎のジャンルアイコン３６の配置領域の位置を画素位置の座標で示す配置領域情報に、選択可能な情報として、そのジャンルに属する複数の音楽データを順番に再生する再生命令を対応付ける。
【０３２２】
因みに、制御部２０は、ジャンル一覧画像３５をスクロールしてジャンルアイコン３６の配置領域を変位させた場合、再生命令と対応付けている配置領域情報を、変位後の配置領域の位置を画素位置の座標で示す配置領域情報に変更する。
【０３２３】
そして制御部２０は、ジャンル一覧画像３５上でジャンルアイコン３６がタップ操作によって指示されると、これに応じて当該指示されたジャンルアイコン３６が示す再生命令を判別する。
【０３２４】
よって制御部２０は、その判別した再生命令に応じて、指示されたジャンルアイコン３６が示すジャンルに属する複数の音楽データを、不揮発性メモリ２１から順次読み出して再生部２４により再生処理する。
【０３２５】
また制御部２０は、この際、第２液晶パネル１５Ａから第１液晶パネル１４Ａに亘って、上述と同様構成の再生画像を表示する。
【０３２６】
よってジャンル一覧画像３５内のジャンルアイコン３６は、対応する複数の音楽データの再生指示のみならず、再生対象の音楽データに関する種々の情報を提示するための再生画像を示す（表示用に選択可能なことを示す）指示対象でもある。
【０３２７】
このようにして制御部２０は、ユーザに再生対象の音楽データをジャンル単位で選択させることもできるようになされている。
【０３２８】
また制御部２０は、アーティスト一覧画像３８を表示すると、アーティスト名毎のアーティストアイコン３９の配置領域の位置を画素位置の座標で示す配置領域情報に、そのアーティストの複数の音楽データを順番に再生する再生命令を対応付ける。
【０３２９】
因みに、制御部２０は、アーティスト一覧画像３８をスクロールしてアーティストアイコン３９の配置領域を変位させた場合、再生命令と対応付けている配置領域情報を、変位後の配置領域の位置を画素位置の座標で示す配置領域情報に変更する。
【０３３０】
そして制御部２０は、アーティスト一覧画像３８上でアーティストアイコン３９がタップ操作により指示されると、これに応じて当該指示されたアーティストアイコン３９が示す再生命令を判別する。
【０３３１】
よって制御部２０は、その判別した再生命令に応じて、指示されたアーティストアイコン３９が示すアーティストの複数の音楽データを、不揮発性メモリ２１から順次読み出して再生部２４により再生処理する。
【０３３２】
また制御部２０は、この際、第２液晶パネル１５Ａから第１液晶パネル１４Ａに亘って、上述と同様構成の再生画像を表示する。
【０３３３】
よってアーティスト一覧画像３８内のアーティストアイコン３９は、対応する複数の音楽データの再生指示のみならず、再生対象の音楽データに関する種々の情報を提示するための再生画像を示す（表示用に選択可能なことを示す）指示対象でもある。
【０３３４】
このようにして制御部２０は、ユーザに再生対象の音楽データをアーティスト単位で選択させることもできるようになされている。
【０３３５】
さらに制御部２０は、アルバム一覧画像４１を表示すると、アルバムタイトル毎のアルバムアイコン４２の配置領域の位置を画素位置の座標で示す配置領域情報に、そのアルバムに収録されている複数の音楽データを順番に再生する再生命令を対応付ける。
【０３３６】
因みに、制御部２０は、アルバム一覧画像４１をスクロールしてアルバムアイコン４２の配置領域を変位させた場合、再生命令と対応付けている配置領域情報を、変位後の配置領域の位置を画素位置の座標で示す配置領域情報に変更する。
【０３３７】
そして制御部２０は、アルバム一覧画像４１上でアルバムアイコン４２がタップ操作によって指示されると、これに応じて、当該指示されたアルバムアイコン４２が示す再生命令を判別する。
【０３３８】
よって制御部２０は、その判別した再生命令に応じて、指示されたアルバムアイコン４２が示すアルバムの複数の音楽データを、不揮発性メモリ２１から順次読み出して再生部２４により再生処理する。
【０３３９】
また制御部２０は、この際、第２液晶パネル１５Ａから第１液晶パネル１４Ａに亘って、上述と同様構成の再生画像を表示する。
【０３４０】
よってアルバム一覧画像４１内のアルバムアイコン４２は、対応する複数の音楽データの再生指示のみならず、再生対象の音楽データに関する種々の情報を提示するための再生画像を示す（表示用に選択可能なことを示す）指示対象でもある。
【０３４１】
このようにして制御部２０は、ユーザに再生対象の音楽データをアルバム単位で選択させることもできるようになされている。
【０３４２】
［１−２−３．近接操作及びタップ操作に応じた表示制御処理］
ところで、近接操作は、少なくとも１個以上の立上画像の表示を待機させている際、第２液晶パネル１５Ａから第１液晶パネル１４Ａに亘り、立上画像を選択可能な情報として示す複数の指示対象を一覧表示するような処理を指示するために行われる操作である。
【０３４３】
因みに、近接操作は、複数の立上画像の表示を全て待機させている状態と、これら複数の立上画像の何れかを表示して見せている状態との何れでも行うことができる。
【０３４４】
また近接操作は、例えば、第２液晶パネル１５Ａから第１液晶パネル１４Ａに亘り再生画像４６を表示している状態から、その再生画像４６よりも１階層上位の曲一覧画像４４に表示を切り替えるような処理を指示するために行われる操作でもある。
【０３４５】
さらに近接操作は、例えば、第２液晶パネル１５Ａから第１液晶パネル１４Ａに亘り、複数の音楽データの階層的な分類に対応させて階層的に複数のジャケット画像を一覧表示するような処理を指示するために行われる操作でもある。
【０３４６】
すなわち、近接操作は、第２液晶パネル１５Ａから第１液晶パネル１４Ａに亘りジャンル一覧画像３５、アーティスト一覧画像３８、アルバム一覧画像４１をそれぞれ複数のジャケット画像の一覧として表示するような処理を指示するために行われる操作でもある。
【０３４７】
さらに近接操作は、第２液晶パネル１５Ａから第１液晶パネル１４Ａに亘って表示されている画像の表示状態を変更するような処理を指示するために行われる操作でもある。
【０３４８】
よって制御部２０は、領域検出処理を実行した際、第１タッチパネル１４Ｂからパネル出力信号を取得して１又は複数の近接領域を重心位置と共に検出すると、その検出結果に基づき、第１操作面に対して行われた近接操作によって指示された処理を判別する。
【０３４９】
また制御部２０は、領域検出処理を実行した際、第２タッチパネル１５Ｂからパネル出力信号を取得して１又は複数の近接領域を重心位置と共に検出した場合も、その検出結果に基づき、第２操作面に対して行われた近接操作によって指示された処理を判別する。
【０３５０】
ただし、制御部２０は、第１操作面や第２操作面に対し近接操作のために１又は複数の指が近づけられたときにのみ近接領域を検出するわけではなく、タッチ操作のために１又は複数の指が近づけられても、接触領域の検出の直前には近接領域を検出している。
【０３５１】
このため制御部２０は、このように第１操作面や第２操作面に対しタッチ操作のために１又は複数の指が近づけられたとき、接触領域の検出の直前に近接領域を検出しても、その近接領域を、近接操作の近接領域として誤検出しないようにする必要がある。
【０３５２】
また第１操作面や第２操作面に対し複数の指で近接操作が行われる際、これら複数の指が互いに離されていると、個々の指の曲がり具合等により、個々の指が第１操作面に近づけられて近接検出距離範囲内に到達するときに時間差が生じる場合がある。
【０３５３】
すなわち、近接操作が行われる際に複数の指が互いに離されていると、制御部２０は、第１操作面や第２操作面に複数の指が近づけられる（近接操作が開始される）とき、複数の指による複数の近接領域を時間的に僅かにずれて検出し始める場合がある。
【０３５４】
このため制御部２０は、このように近接操作が開始されたとき、複数の指による複数の近接領域を時間的に僅かにずれて検出し始めても、これら複数の近接領域を、それぞれ異なる近接操作の近接領域として誤検出しないようにする必要がある。
【０３５５】
よって制御部２０は、まず領域検出処理において、例えば、第１タッチパネル１４Ｂからパネル出力信号を取得して１又は複数の近接領域を重心位置と共に検出すると、前回（１回前）の領域検出処理で近接領域を検出していたか否かを判別する。
【０３５６】
その結果、制御部２０は、前回の領域検出処理で近接領域を全く検出していないと、今回の領域検出処理で検出した１又は複数の近接領域を、それぞれ第１操作面に対する指の近接開始時点の近接領域であると判別する。
【０３５７】
これに対し制御部２０は、前回の領域検出処理で１又は複数の近接領域を検出していると、前回の領域検出処理で検出した重心位置と、今回の領域検出処理で検出した重心位置との間の重心間距離を総当たりで算出する。
【０３５８】
また制御部２０は、その算出した１又は複数の重心間距離を、それぞれ最大移動距離と比較する。そして制御部２０は、その比較結果に基づき、今回の領域検出処理において、前回の領域検出処理で検出した重心位置から最大移動距離以内の重心位置を検出しているか否かを判別する。
【０３５９】
その結果、制御部２０は、今回の領域検出処理で、前回の重心位置から最大移動距離以内の重心位置を検出していると、前回及び今回の重心位置に対応する前回及び今回の近接領域を、同一の指の近接領域であると判別する。
【０３６０】
すなわち、制御部２０は、今回の領域検出処理で、前回の重心位置から最大移動距離以内の重心位置を検出すると、当該検出した重心位置に対応する近接領域を、前回の領域検出処理のときから第１操作面に近接している指の近接領域であると判別する。
【０３６１】
ただし、制御部２０は、今回の領域検出処理で、前回の何れの重心位置からも最大移動距離を越えて離れた１又は複数の重心位置を追加で検出すると、当該検出した重心位置に対応する近接領域も、近接開始時点の近接領域であると判別する。
【０３６２】
すなわち、制御部２０は、上述のように第１操作面に複数の指が近づけられたとき、複数の指による複数の近接領域を時間的に僅かにずれて検出し始めると、これら時間的に僅かにずれて検出し始めた近接領域をそれぞれ近接開始時点の近接領域であると判別する。
【０３６３】
さらに制御部２０は、今回の領域検出処理で、前回の重心位置からの距離が最大移動距離以下である重心位置の近接領域を検出していないと、その前回の重心位置に対応する近接領域に近接されていた指が近接検出距離範囲から外れたと判別する。
【０３６４】
すなわち、制御部２０は、今回の領域検出処理では、前回の重心位置との重心間距離が最大移動距離以下である重心位置を検出していないと、その前回の重心位置に対応する近接領域が、第１操作面に対する指の近接終了時点の近接領域であると判別する。
【０３６５】
また制御部２０は、領域検出処理を実行しても近接領域を全く検出しないと、この場合も、前回（１回前）の領域検出処理で近接領域を検出していたか否かを判別する。
【０３６６】
その結果、制御部２０は、前回の領域検出処理で近接領域を検出していても、今回の領域検出処理では近接領域を全く検出しないと、その前回の近接領域が、指が近接検出距離範囲から外れる直前の近接領域であると判別する。
【０３６７】
すなわち、制御部２０は、前回の領域検出処理で近接領域を検出していると、その前回の近接領域が、第１操作面に対する指の近接終了時点の近接領域であると判別する。
【０３６８】
このようにして制御部２０は、領域検出処理を順次実行することで、近接操作が開始されるときには、第１操作面に近づけられた１又は複数の指が近接検出距離範囲内に達する毎に近接領域を検出する。
【０３６９】
また制御部２０は、領域検出処理を順次実行することで、第１操作面に１又は複数の指が近接検出距離範囲内で近接している間（第１操作面に対し近接操作が行われている間）は、その１又は複数の指による１又は複数の近接領域を順次追跡するように検出する。
【０３７０】
すなわち、制御部２０は、領域検出処理を実行して１又は複数の指の近接開始時点の１又は複数の近接領域を検出すると、引き続き領域検出処理を順次実行して、１又は複数の指による１又は複数の近接領域を、その指毎に近接終了時点まで追跡する。
【０３７１】
かかる構成のもと制御部２０は、少なくとも１個以上の立上画像の表示を待機させ、近接領域及び接触領域を全く検出していない状態で、近接開始時点の１個の近接領域を検出すると、タイマにより、第１操作面に指が近接している時間の計時を開始する。因みに、以下の説明では、第１操作面（また第２操作面）に指が近接している時間を、近接時間とも呼ぶ。
【０３７２】
また制御部２０は、少なくとも１個以上の立上画像の表示を待機させ、近接領域及び接触領域を全く検出していない状態で、近接開始時点の複数の近接領域を同時に検出しても、タイマにより近接時間の計時を開始する。
【０３７３】
そして制御部２０は、近接時間の計時を、最大でも、近接操作が行われているか否かの判別用に予め選定された例えば、数［ｓｅｃ］のような所定時間（以下、これを近接操作判別時間とも呼ぶ）に達するまで継続する。
【０３７４】
さらに制御部２０は、このように近接開始時点の１又は複数の近接領域を検出すると、これら近接領域の重心位置をそれぞれ移動軌跡の起点として、指毎の移動軌跡の検出も開始する。
【０３７５】
さらにまた制御部２０は、近接時間が近接操作判別時間に達するまでに、第１操作面に新たに１又は複数の指が近接して近接開始時点の１又は複数の近接領域を追加で検出すると、当該１又は複数の近接領域の重心位置もそれぞれ移動軌跡の起点とする。
【０３７６】
そして制御部２０は、このように１又は複数の指の１又は複数の近接領域を追加で検出した場合も、同様に当該指毎の移動軌跡の検出も開始する。
【０３７７】
因みに、制御部２０は、近接開始時点の１又は複数の近接領域の検出以降は、領域検出処理を実行して近接領域を重心位置と共に検出する毎に、起点（重心位置）から、その検出した重心位置を順に辿るようにして指毎の移動軌跡を検出する。
【０３７８】
そして制御部２０は、近接時間が近接操作判別時間に達する前に、第１操作面から１又は複数の指が離れて当該指の近接領域を検出しなくなっても（検出していた近接領域の個数が減っても）、未だ１個以上の近接領域を検出していると、近接時間の計時を継続する。
【０３７９】
ただし、制御部２０は、近接時間が近接操作判別時間に達する前に、全ての近接領域を検出し得なくなる（すなわち、第１操作面に近接していた全ての指が近接検出距離範囲から外れる）と、近接時間の計時を終了する。
【０３８０】
また制御部２０は、近接時間が近接操作判別時間に達する前に、第１操作面に１又は複数の指が接触して１又は複数の接触領域を検出すると、このときは近接領域の検出の有無にかかわらずに、近接時間の計時を終了する。
【０３８１】
このように制御部２０は、近接時間の計時を開始すると、接触領域を検出しないまま、少なくとも１個以上の近接領域を順次追跡するように検出している間は、その近接時間の計時を継続する。
【０３８２】
すなわち、制御部２０は、近接時間の計時を開始すると、その後は第１操作面に他の指が追加で近接し、また指が近接検出距離範囲から外れても、第１操作面に指が接触しないまま、少なくとも１本以上の指が近接している間は、近接時間の計時を継続する。
【０３８３】
そして制御部２０は、近接時間が近接操作判別時間に達する前に、その近接時間の計時を終了すると、このとき第１操作面に対し近接操作は行われていないと判別する。
【０３８４】
これに対し制御部２０は、計時している近接時間が近接操作判別時間に達すると、そのときまでに検出し続けていた全ての移動軌跡が、例えば、対応する起点（重心位置）を中心にした所定半径の円状の範囲内に収まっているか否かを判別する。
【０３８５】
因みに、起点を中心とした円状の範囲は、近接操作が行われているか否かを判別するために用いるものであり、以下の説明では、その円状の範囲を近接操作判別範囲とも呼ぶ。そして近接操作判別範囲の半径は、例えば、１［ｍｍ］以下の所定長さに予め選定されている。
【０３８６】
その結果、制御部２０は、近接時間が近接操作判別時間に達したとき、これまでに検出していた全ての移動軌跡が、それぞれ対応する起点から近接操作判別範囲の外側にまで伸びていると、第１操作面に対し近接操作は行われていないと判別する。
【０３８７】
すなわち、制御部２０は、複数の立上画像の表示を待機させた状態で、近接操作判別時間、第１操作面に指が全く接触しなくても、１又は複数の指が位置を大きく変えていると、第１操作面に指が誤って近接したものとして、近接操作が行われていないと判別する。
【０３８８】
これに対し図１３及び図１４に示すように、制御部２０は、近接時間が近接操作判別時間に達したとき、少なくとも１本以上の移動軌跡が、対応する近接操作判別範囲内に収まっていると、第１操作面に対し近接操作が行われていると判別する。
【０３８９】
すなわち、制御部２０は、複数の立上画像の表示を待機させた状態で、近接操作判別時間、第１操作面に指が全く接触せずに、１又は複数の指がほとんど位置を変えずに近接していることを検出すると、近接操作が行われていると判別する。
【０３９０】
これにより制御部２０は、近接操作をタップ操作や摺動操作のようなタッチ操作とは明確に区別して、第１操作面に対し近接操作が行われたことを検出することができる。
【０３９１】
また制御部２０は、このように近接操作が行われていると判別すると、その判別時点（以下の説明では、近接操作が行われていると判別した時点を、近接操作判別時点とも呼ぶ）に検出している近接領域を全て、今回の近接操作によるものであると判別する。
【０３９２】
これにより制御部２０は、近接時間が近接操作判別時間に達するまでに、複数の指による複数の近接領域を時間的に僅かにずれて検出し始めても、近接操作判別時点に、これら複数の近接領域を１回の近接操作による近接領域として検出することができる。
【０３９３】
制御部２０は、このように第１操作面に対し近接操作が行われていると判別すると、複数の立上画像を、本来の表示サイズよりも縮小し、少なくとも画像上端部を残すように適宜加工する。
【０３９４】
これにより制御部２０は、大きさ及び形状を揃えた複数の縮小画像（以下、これをサムネイルとも呼ぶ）を生成する。
【０３９５】
この場合、個々のサムネイルは、それぞれ元の立上画像と同一の表示内容（画像内の文字や図形、これらの位置関係）を有している。
【０３９６】
よって個々のサムネイルは、それぞれ選択可能な情報として、縮小及び加工前の元の立上画像を示し、複数の立上画像の中から所望の立上画像を選択するために利用可能な指示対象である。
【０３９７】
因みに、制御部２０は、第１液晶パネル１４Ａ又は第２液晶パネル１５Ａの一方だけで画像全体を表示し得る立上画像については例えば、縮小処理のみを施して、その立上画像を示すサムネイルを生成する。
【０３９８】
また制御部２０は、第２液晶パネル１５Ａから第１液晶パネル１４Ａに亘って画像全体又は画像の一部を表示するような立上画像については例えば、縮小処理と共に画像上端部を残すような加工を施して、その立上画像を示すサムネイルを生成する。
【０３９９】
そして制御部２０は、このように大きさ及び形状を揃えた複数のサムネイルを生成すると、これら複数のサムネイルを一覧表示するためのサムネイル一覧画像の画像データを生成する。
【０４００】
これにより図１５及び図１６に示すように、制御部２０は、その画像データに基づき、第２液晶パネル１５Ａから第１液晶パネル１４Ａに亘ってサムネイル一覧画像６０を表示する。
【０４０１】
この場合、サムネイル一覧画像６０には、複数のサムネイル６１がマトリクス状（複数行及び複数列）に配置されている。
【０４０２】
よって制御部２０は、そのサムネイル一覧画像６０の複数のサムネイル６１により、複数の立上画像を提示することができる。
【０４０３】
また制御部２０は、このようにサムネイル一覧画像６０を表示すると、そのサムネイル一覧画像６０の表示直前に、立上画像を表示していたか否かを判別する。
【０４０４】
その結果、制御部２０は、サムネイル一覧画像６０の表示直前に立上画像を表示していたときには、サムネイル一覧画像６０内の複数のサムネイル６１のうち、その直前に表示していた立上画像を示すサムネイル６１を強調表示する。
【０４０５】
因みに、以下の説明では、サムネイル一覧画像６０の表示の直前に表示していた立上画像を、直前表示立上画像とも呼ぶ。
【０４０６】
すなわち、制御部２０は、サムネイル一覧画像６０において、直前表示立上画像を示すサムネイル６１を、特定の枠で囲み又は輝度を上げる等ような、他のサムネイル６１とは異なる表示状態で表示する。
【０４０７】
これにより制御部２０は、強調表示したサムネイル６１により、どの立上画像（直前表示立上画像）を表示していた状態から、サムネイル一覧画像６０の表示に切り替えたのかを容易に認識させ得るようになされている。
【０４０８】
一方、制御部２０は、サムネイル一覧画像６０の表示直前に特に立上画像を表示していないと、サムネイル一覧画像６０の複数のサムネイル６１の何れも強調表示しない。
【０４０９】
このようにして制御部２０は、複数の立上画像の表示を待機させている場合に１又は複数の指で近接操作が行われると、第２液晶パネル１５Ａから第１液晶パネル１４Ａに亘ってサムネイル一覧画像６０を表示して、複数の立上画像を提示することができる。
【０４１０】
制御部２０は、このようにサムネイル一覧画像６０を生成して表示すると、個々のサムネイル６１の表示領域の位置を画素位置の座標で示す表示領域情報に、当該サムネイル６１が示す立上画像を個別に識別可能な画像識別情報を対応付ける。
【０４１１】
また制御部２０は、そのサムネイル６１毎の表示領域情報と、当該表示領域情報に対応付けた画像識別情報とを、サムネイル６１の指示よって選択された立上画像を判別するための選択画像判別情報としてＲＡＭ２２に記憶する。
【０４１２】
ところで、携帯端末１０では、複数の指として、親指から小指までの５本の指で近接操作が行われる場合や、親指と人指し指の２本の指で近接操作が行われる場合がある。そして人の手は、５本の指のうち親指が他の４本の指に比べて太い傾向にある。
【０４１３】
このため、図１７（Ａ）及び（Ｂ）に示すように、携帯端末１０では、５本の指により近接操作が行われると、親指の近接領域ＣＡ２が他の４本の指の近接領域ＣＡ３乃至ＣＡ６よりも大きくなる傾向にある。
【０４１４】
特に携帯端末１０では、近接操作の際、手首の曲げ具合により、第１操作面に親指だけは側面が近接され、他の４本の指は先端が近接されるような場合がある。
【０４１５】
このような場合、携帯端末１０では、親指の近接領域ＣＡ２が他の４本の指の近接領域ＣＡ３乃至ＣＡ６よりも格段的に大きくなる傾向にある。
【０４１６】
また人の手は、親指だけが手のひらの手首寄りから伸び、他の４本の指が手のひらの先から伸びている。このため携帯端末１０では、５本の指により近接操作が行われると、親指の近接領域ＣＡ２だけが第１操作面の下側に位置し、他の４本の指の近接領域ＣＡ３乃至ＣＡ６が揃って第１操作面の上側に位置する傾向にある。
【０４１７】
さらに携帯端末１０では、例えば、親指と人指し指との２本の指で近接操作が行われた場合でも、親指の近接領域ＣＡ７と人指し指の近接領域ＣＡ８において大きさや位置が同様の傾向を示す。
【０４１８】
よって制御部２０は、近接操作判別時点に、５個や２個の近接領域ＣＡ２乃至ＣＡ８を検出していると、これら複数の近接領域ＣＡ２乃至ＣＡ８の大きさや位置に基づき、まず、親指の近接領域ＣＡ２、ＣＡ７を特定する。
【０４１９】
次いで、制御部２０は、その親指の近接領域ＣＡ２、ＣＡ７の特定結果も利用して、他の近接領域ＣＡ３乃至ＣＡ６、ＣＡ８の中から例えば、人指し指の近接領域ＣＡ３、ＣＡ８を特定する。
【０４２０】
実際に制御部２０は、近接操作判別時点に、５個の近接領域ＣＡ２乃至ＣＡ６を検出すると、これら５個の近接領域ＣＡ２乃至ＣＡ６のうち、最も大きい近接領域ＣＡ２を、親指の近接領域ＣＡ２として特定する。
【０４２１】
次いで、制御部２０は、親指の近接領域ＣＡ２の隣で、かつ当該近接領域ＣＡ２よりも上側に位置する１個の近接領域ＣＡ３を、人指し指の近接領域ＣＡ３として特定する。
【０４２２】
また制御部２０は、近接操作判別時点に、２個の近接領域ＣＡ７及びＣＡ８を検出すると、これら２個の近接領域ＣＡ７及びＣＡ８のうち、大きい方の近接領域ＣＡ７を、親指の近接領域ＣＡ７として特定する。
【０４２３】
次いで、制御部２０は、親指の近接領域ＣＡ７以外の残りの１個の近接領域ＣＡ８を、人指し指の近接領域ＣＡ８として特定する。
【０４２４】
このようにして制御部２０は、人指し指の近接領域ＣＡ３、ＣＡ８を特定すると、その近接領域ＣＡ３、ＣＡ８を、複数の近接領域ＣＡ２乃至ＣＡ８の中の注目領域とする。
【０４２５】
そして制御部２０は、近接操作判別時点に複数の指の複数の近接領域を重心位置と共に検出している（複数の指で近接操作が行われている）と、その指毎の移動軌跡の検出を継続する。
【０４２６】
また制御部２０は、近接操作判別時点以降は、領域検出処理を実行する毎に、その時点までに検出した指毎の移動軌跡に基づき、複数の指が揃って所望の方向（ほぼ同一の方向）に移動したか（すなわち、手が所望の方向に動かされたか）否かを判断する。
【０４２７】
この際、制御部２０は、例えば、指毎の移動軌跡がほぼ同一の方向へ伸びた（すなわち、複数の近接領域が揃って所望の方向（ほぼ同一の方向）に変位した）ことを検出すると、複数の指が所望の方向（すなわち、揃ってほぼ同一の方向）に移動したと判断する。
【０４２８】
そして制御部２０は、複数の指が所望の方向に移動したことを検出すると、当該複数の指が所望の方向に移動している間、領域検出処理を実行して注目領域を重心位置と共に検出する毎に、その重心位置を、選択画像判別情報に含まれる表示領域と比較する。
【０４２９】
すなわち、制御部２０は、第１操作面上で複数の指が所望の方向に移動している間、これら複数の指のうち人指し指がサムネイル一覧画像６０内の何れかのサムネイル６１上に移動したか否かを判別する。
【０４３０】
その結果、制御部２０は、注目領域の重心位置が、何れのサムネイル６１の表示領域からも外れていると、サムネイル一覧画像６０の表示を何ら変更しない。
【０４３１】
これに対し制御部２０は、注目領域の重心位置が、何れかのサムネイル６１の表示領域内に入ると、当該重心位置が入った表示領域に表示されているサムネイル６１に、注目領域（人指し指）が重なったと判断する。
【０４３２】
そして図１８に示すように、制御部２０は、サムネイル一覧画像６０において、注目領域が重なったサムネイル６１を上述と同様に強調表示する。
【０４３３】
因みに、制御部２０は、このとき、すでに強調表示していたサムネイル６１が存在し、当該サムネイル６１が、注目領域の重なったサムネイル６１と異なると、強調表示するサムネイル６１を注目領域が重なったものに変更する。
【０４３４】
また制御部２０は、このとき、すでに強調表示していたサムネイル６１が存在し、当該サムネイル６１が、注目領域の重なったサムネイル６１と同一であると、その強調表示をそのまま継続して、強調表示するサムネイル６１を変更しない。
【０４３５】
さらに制御部２０は、このとき、強調表示しているサムネイル６１が存在しないと、注目領域の重なったサムネイル６１を、新たに強調表示する。
【０４３６】
これに加え制御部２０は、このとき強調表示した（すなわち、注目領域が重なった）サムネイル６１を拡大する。
【０４３７】
そして制御部２０は、このとき第１液晶パネル１４Ａにはサムネイル一覧画像６０の一部を表示し続けるものの、第２液晶パネル１５Ａの表示面全体に、その拡大したサムネイル６２の少なくとも一部を表示する。
【０４３８】
因みに、サムネイル６１は、当該サムネイル６１が示す立上画像と実質的に同一のものである。よって制御部２０は、このとき、強調表示した（注目領域が重なった）サムネイル６１を拡大せずに、そのサムネイル６１が示す立上画像の少なくとも一部を第２液晶パネル１５Ａに表示するようにしても良い。
【０４３９】
このように制御部２０は、複数の指が所望の方向に移動している間、人指し指が重なった１個のサムネイル６１を強調表示すると共に、そのサムネイル６１を拡大して第２液晶パネル１５Ａに表示する。
【０４４０】
また制御部２０は、複数の指の移動に伴い人指し指の重なるサムネイル６１が変わった場合、これに応じて強調表示及び拡大表示するサムネイル６１を変更する。
【０４４１】
よって制御部２０は、複数の指が所望の方向に移動している間、人差し指で指示し得る位置のサムネイル６１が、どのような立上画像を示しているのかを確認し易くすることができる。
【０４４２】
また制御部２０は、複数の指の移動が停止すると、第２液晶パネル１５Ａに対するサムネイル６１の拡大表示を終了して、再びサムネイル一覧画像６０の一部を表示する（元の表示に戻す）ものの、注目領域が重なっているサムネイル６１の強調表示は継続する。
【０４４３】
よって制御部２０は、複数の指の移動が停止しても、人差し指で指示し得る位置のサムネイル６１の表示内容によって、当該サムネイル６１がどのような立上画像を示しているのかを確認させることができる。
【０４４４】
一方、制御部２０は、近接操作判別時点に１個の近接領域だけを検出していると、特に上述のような親指の近接領域や人指し指の近接領域を特定するための処理を行わず、このとき検出している１個の近接領域を注目領域とする。
【０４４５】
また制御部２０は、このように近接操作判別時点に１本の指の１個の近接領域だけを重心位置と共に検出している（１本の指だけで近接操作が行われている）と、その指の移動軌跡の検出を継続する。
【０４４６】
そして制御部２０は、近接操作判別時点以降は、領域検出処理を実行する毎に、その時点までに検出した１本の指の移動軌跡に基づき、当該１本の指が所望の方向に移動したか（すなわち、手が所望の方向に動かされたか）否かを判断する。
【０４４７】
この際、制御部２０は、例えば、１本の指の移動軌跡が何れかの方向へ伸びた（すなわち、１個の近接領域が何れかの方向に変位した）ことを検出すると、当該１本の指が所望の方向に移動したと判断する。
【０４４８】
そして図１９に示すように、制御部２０は、１本の指が所望の方向に移動したことを検出すると、当該指が所望の方向に移動している間、上述と同様にサムネイル６１を強調表示すると共に、第２液晶パネル１５Ａに、そのサムネイル６１を拡大して表示する。
【０４４９】
また制御部２０は、１本の指の移動が停止すると、第２液晶パネル１５Ａに対するサムネイル６１の拡大表示を終了して、再びサムネイル一覧画像６０の一部を表示する（元の表示に戻す）ものの、注目領域が重なっているサムネイル６１の強調表示は継続する。
【０４５０】
ところで、図２０に示すように、制御部２０は、近接操作判別時点から近接操作の終了時点まで、第１タッチパネル１４Ｂの下端部において左端から右端までの帯状の領域を、画像の上方向へのスクロールを指示するための上スクロール指示領域ＳＡ１に設定する。
【０４５１】
実際に制御部２０は、上スクロール指示領域ＳＡ１の位置を第１液晶パネル１４Ａの対向する画素位置の座標で示す上指示領域情報に、当該上スクロール指示領域ＳＡ１を介して実行の指示が可能な処理として、上方向へのスクロールを示す処理情報を対応付ける。
【０４５２】
そして制御部２０は、上指示領域情報と、当該上指示領域情報に対応付けた処理情報とを上スクロール判別情報としてＲＡＭ２２に記憶する。
【０４５３】
また制御部２０は、近接操作判別時点から近接操作の終了時点まで、第１タッチパネル１４Ｂの上端部において左端から右端までの帯状の領域を、画像の下方向へのスクロールを指示するための下スクロール指示領域ＳＡ２に設定する。
【０４５４】
実際に制御部２０は、下スクロール指示領域ＳＡ２の位置を第１液晶パネル１４Ａの対向する画素位置の座標で示す下指示領域情報に、当該下スクロール指示領域ＳＡ２を介して実行の指示が可能な処理として、下方向へのスクロールを示す処理情報を対応付ける。
【０４５５】
そして制御部２０は、下指示領域情報と、当該下指示領域情報に対応付けた処理情報とを下スクロール判別情報としてＲＡＭ２２に記憶する。
【０４５６】
よって制御部２０は、複数の指が所望の方向に移動している間、領域検出処理を実行して複数の近接領域と共に重心位置を検出する毎に、その検出した複数の重心位置を上スクロール指示領域ＳＡ１の位置及び下スクロール指示領域ＳＡ２の位置と比較する。
【０４５７】
その結果、制御部２０は、複数の重心位置の全てが、上スクロール指示領域ＳＡ１及び下スクロール指示領域ＳＡ２の何れにも含まれないと、画像のスクロールが指示されたと判別しない。
【０４５８】
これに対し制御部２０は、例えば、上スクロール指示領域ＳＡ１に少なくとも１個以上の重心位置が含まれる（すなわち、少なくとも１本以上の何れの指でも上スクロール指示領域ＳＡ１にかかる）と、画像に対する上方向のスクロールが指示されたと判別する。
【０４５９】
この際、例えば、図２１に示すように、制御部２０は、第２液晶パネル１５Ａから第１液晶パネル１４Ａに亘って表示しているサムネイル一覧画像６０を、比較的ゆっくりと上方向にスクロールする。
【０４６０】
すなわち、制御部２０は、第１タッチパネル１４Ｂの第１操作面上で１又は複数の指が移動して下端部に近接すると、サムネイル一覧画像６０を上方向にスクロールすることにより当該サムネイル一覧画像６０の下端側を順次表示して見せることができる。
【０４６１】
また制御部２０は、上スクロール指示領域ＳＡ１に少なくとも１個以上の重心位置が含まれている（すなわち、上スクロール指示領域ＳＡ１上に少なくとも１本以上の指が留まっている）間は、サムネイル一覧画像６０の上方向へのスクロールを継続する。
【０４６２】
これにより例えば、図２２に示すように、制御部２０は、最終的に第１液晶パネル１４Ａからサムネイル一覧画像６０の下端部を全て上側に追い出して空白にし、第２液晶パネル１５Ａに当該サムネイル一覧画像６０の下端部を表示した状態までスクロールする。
【０４６３】
因みに、以下の説明では、サムネイル一覧画像６０に対する上方向へのスクロールにより、最終的に第１液晶パネル１４Ａを空白にし、第２液晶パネル１５Ａにサムネイル一覧画像６０の下端部を表示する状態を、上スクロール最終表示状態とも呼ぶ。
【０４６４】
なお、制御部２０は、サムネイル一覧画像６０を上スクロール最終表示状態までスクロールすると、この後は上スクロール指示領域ＳＡ１上に指が留まっていても、上方向へのスクロールの指示を無効にして、その上方向へのスクロールを強制的に停止する。
【０４６５】
よって制御部２０は、サムネイル一覧画像６０を上スクロール最終表示状態までスクロールすると、第１操作面に近接している手や指が遮蔽物となり、サムネイル一覧画像６０の視認性が損なわれることを防止することができる。
【０４６６】
また制御部２０は、例えば、下スクロール指示領域ＳＡ２に少なくとも１個以上の重心位置が含まれる（すなわち、少なくとも１本以上の何れの指でも下スクロール指示領域ＳＡ２にかかる）と、画像に対する下方向のスクロールが指示されたと判別する。
【０４６７】
この際、例えば、図２３に示すように、制御部２０は、第２液晶パネル１５Ａから第１液晶パネル１４Ａに亘って表示しているサムネイル一覧画像６０を、比較的ゆっくりと下方向にスクロールする。
【０４６８】
すなわち、制御部２０は、第１タッチパネル１４Ｂの第１操作面上で複数の指が移動して上端部に近接すると、サムネイル一覧画像６０を下方向にスクロールすることにより当該サムネイル一覧画像６０の上端側を順次表示して見せることができる。
【０４６９】
また制御部２０は、下スクロール指示領域ＳＡ２に少なくとも１個以上の重心位置が含まれている（すなわち、下スクロール指示領域ＳＡ２上に少なくとも１本以上の指が留まっている）間は、サムネイル一覧画像６０の下方向へのスクロールを継続する。
【０４７０】
これにより例えば、図２４に示すように、制御部２０は、最終的に第２液晶パネル１５Ａからサムネイル一覧画像６０の上端部を全て下側に追い出して空白にし、第１液晶パネル１４Ａに当該サムネイル一覧画像６０の上端部を表示した状態までスクロールする。
【０４７１】
因みに、以下の説明では、サムネイル一覧画像６０に対する下方向へのスクロールにより、最終的に第２液晶パネル１５Ａを空白にし、第１液晶パネル１４Ａにサムネイル一覧画像６０の下端部を表示する状態を、下スクロール最終表示状態とも呼ぶ。
【０４７２】
なお、制御部２０は、サムネイル一覧画像６０を下スクロール最終表示状態までスクロールすると、この後は下スクロール指示領域ＳＡ２上に指が留まっていても、下方向へのスクロールの指示を無効にして、その下方向へのスクロールを強制的に停止する。
【０４７３】
よって制御部２０は、サムネイル一覧画像６０を下スクロール最終表示状態までスクロールすると、第１タッチパネル１４Ｂの第１操作面上で、サムネイル一覧画像６０の上端寄りに配置しているサムネイル６１をタップ操作によって指示させることができる。
【０４７４】
また制御部２０は、例えば、１本の指で近接操作が行われて当該１本の指が移動している間も、同様に近接領域と共に重心位置を、上スクロール指示領域ＳＡ１の位置及び下スクロール指示領域ＳＡ２の位置と比較する。
【０４７５】
そして制御部２０は、上スクロール指示領域ＳＡ１に重心位置が含まれる（すなわち、１本の指が上スクロール指示領域ＳＡ１にかかる）と、図２１及び図２２について上述した場合と同様にサムネイル一覧画像６０を上方向へスクロールする。
【０４７６】
また制御部２０は、下スクロール指示領域ＳＡ２に重心位置が含まれる（すなわち、１本の指が下スクロール指示領域ＳＡ２にかかる）と、図２３及び図２４について上述した場合と同様にサムネイル一覧画像６０を下方向にスクロールする。
【０４７７】
このように制御部２０は、第２液晶パネル１５Ａから第１液晶パネル１４Ａに亘ってサムネイル一覧画像６０全体を表示しきれない場合でも、そのサムネイル一覧画像６０を適宜、上方向や下方向へスクロールして、くまなく見せることができる。
【０４７８】
因みに、制御部２０は、上スクロール指示領域ＳＡ１及び下スクロール指示領域ＳＡ２に指がかかっている（近接領域がかかっている）間は、サムネイル６１の強調表示を停止する。
【０４７９】
また制御部２０は、サムネイル一覧画像６０をスクロールしてサムネイル６１の表示領域を変位させた場合、選択画像判別情報において、画像識別情報を対応付けている表示領域情報を、変位後の表示領域の位置を画素位置の座標で示す表示領域情報に変更する。
【０４８０】
よって制御部２０は、指が再び移動して上スクロール指示領域ＳＡ１及び下スクロール指示領域ＳＡ２から外れると、その変更した表示領域情報を用いて、上述と同様に注目領域の重心位置とサムネイル６１の表示領域とを比較する。
【０４８１】
これにより制御部２０は、サムネイル一覧画像６０をスクロールして表示範囲を変更しても、上述と同様に人指し指が重なったサムネイル６１を的確に検出することができる。
【０４８２】
このため制御部２０は、サムネイル一覧画像６０をスクロールして表示範囲を変更しても、上述のように人指し指が重なったサムネイル６１を強調表示し得ると共に、第２液晶パネル１５Ａに当該サムネイル６１を拡大して表示することができる。
【０４８３】
これに加えて制御部２０は、近接操作判別時点に、特に複数の近接領域を重心位置と共に検出していると、隣り合う２個の近接領域の重心位置間の距離（以下、これを領域間距離とも呼ぶ）を検出する。
【０４８４】
図２５に示すように、制御部２０は、例えば、５個の近接領域ＣＡ２乃至ＣＡ６を重心位置Ｐ３乃至Ｐ７と共に検出していると、順次隣り合う２個の近接領域ＣＡ２乃至ＣＡ６のおいて領域間距離Ｌ１乃至Ｌ４を検出する。
【０４８５】
また図２６に示すように、制御部２０は、隣り合う２個の近接領域ＣＡ２乃至ＣＡ６の組み合わせ毎に、当該２個の近接領域ＣＡ２乃至ＣＡ６の領域間距離Ｌ１乃至Ｌ４を例えば数割程度伸ばしたような広間隔変更検出距離ＳＬ１を設定する。
【０４８６】
さらに制御部２０は、隣り合う２個の近接領域ＣＡ２乃至ＣＡ６の組み合わせ毎に、当該２個の近接領域ＣＡ２乃至ＣＡ６の領域間距離Ｌ１乃至Ｌ４を例えば数割程度短くしたような狭間隔変更検出距離ＳＬ２も設定する。
【０４８７】
因みに、制御部２０は、近接操作判別時点に、例えば、２個の近接領域を重心位置と共に検出していると、当該２個の近接領域について同様に領域間距離を検出する。
【０４８８】
また制御部２０は、その領域間距離をもとに、上述と同様に広間隔変更検出距離ＳＬ１及び狭間隔変更検出距離ＳＬ２を設定する。
【０４８９】
そして制御部２０は、広間隔変更検出距離ＳＬ１及び狭間隔変更検出距離ＳＬ２の設定後は、領域検出処理を実行する毎に、複数の近接領域と共に検出した重心位置に基づき、隣り合う２個の近接領域の領域間距離も検出する。
【０４９０】
また制御部２０は、領域検出処理を実行する毎に、隣り合う２個の近接領域の領域間距離を、対応する広間隔変更検出距離ＳＬ１及び狭間隔変更検出距離ＳＬ２と比較する。
【０４９１】
そして制御部２０は、領域間距離と広間隔変更検出距離ＳＬ１及び狭間隔変更検出距離ＳＬ２との比較結果に基づき、隣り合う２個の近接領域の領域間距離が、対応する広間隔変更検出距離ＳＬ１以上であるか否かを検出する。
【０４９２】
また制御部２０は、領域間距離と広間隔変更検出距離ＳＬ１及び狭間隔変更検出距離ＳＬ２との比較結果に基づき、隣り合う２個の近接領域の領域間距離が、対応する狭間隔変更検出距離ＳＬ２以下であるか否かも検出する。
【０４９３】
すなわち、制御部２０は、複数の指で近接操作が行われている間、当該複数の指の間隔を監視するようにして、その間隔が広げられたかどうか、また狭められたかどうかを検出する。
【０４９４】
その結果、制御部２０は、少なくとも１つ以上の領域間距離が、対応する広間隔変更検出距離ＳＬ１以上であることを検出すると、画像の拡大が指示されたと認識する。
【０４９５】
図２７（Ａ）に示すように、制御部２０は、このとき例えば、５本の指の５個の近接領域ＣＡ２乃至ＣＡ６を検出していると、これら５個の近接領域ＣＡ２乃至ＣＡ６の中で最も上寄りの端ＣＡ４１を検出する。
【０４９６】
また制御部２０は、例えば、これら５個の近接領域ＣＡ２乃至ＣＡ６の中で最も下寄りの端ＣＡ２１、最も左寄りの端ＣＡ２２、最も右寄りの端ＣＡ６１も検出する。
【０４９７】
さらに制御部２０は、これら５個の近接領域ＣＡ３及びＣＡ４において検出した上下左右の端ＣＡ４１、ＣＡ２１、ＣＡ２２、ＣＡ６１に各辺が接して当該５個の近接領域ＣＡ２乃至ＣＡ６を全て囲む四角形の領域ＡＲ１を検出する。
【０４９８】
そして制御部２０は、その領域ＡＲ１の中心位置ＣＥ１と対向する、第１液晶パネル１４Ａの画素位置を、サムネイル一覧画像６０を拡大する前と後とで表示位置を合わせるための表示基準位置として検出する。
【０４９９】
また図２７（Ｂ）に示すように、制御部２０は、このとき例えば、２本の指の２個の近接領域ＣＡ７及びＣＡ８を検出していると、これら２個の近接領域ＣＡ７及びＣＡ８の中で最も上寄りの端ＣＡ８１を検出する。
【０５００】
また制御部２０は、例えば、これら２個の近接領域ＣＡ７及びＣＡ８の中で最も下寄りの端ＣＡ７１、最も左寄りの端ＣＡ７２、最も右寄りの端ＣＡ８２も検出する。
【０５０１】
さらに制御部２０は、これら２個の近接領域ＣＡ７及びＣＡ８において検出した上下左右の端ＣＡ８１、ＣＡ７１、ＣＡ７２、ＣＡ８２に各辺が接して当該２個の近接領域ＣＡ７及びＣＡ８を全て囲む四角形の領域ＡＲ２を検出する。
【０５０２】
そして制御部２０は、その領域ＡＲ２の中心位置ＣＥ２と対向する、第１液晶パネル１４Ａの画素位置を、サムネイル一覧画像６０を拡大する前と後とで表示位置を合わせるための表示基準位置として検出する。
【０５０３】
すなわち、制御部２０は、画像の拡大が指示されたと認識すると、５本の指や２本の指の近接領域に基づき、第２液晶パネル１５Ａから第１液晶パネル１４Ａに亘り、拡大したサムネイル一覧画像６０を表示するときの表示基準位置を検出する。
【０５０４】
さらに制御部２０は、このとき第２液晶パネル１５Ａから第１液晶パネル１４Ａに亘って表示しているサムネイル一覧画像６０において、その表示基準位置と対向する基準対向位置（以下、これを拡大前基準対向位置とも呼ぶ）を検出する。
【０５０５】
そのうえで制御部２０は、そのサムネイル一覧画像６０を例えば、予め選定された拡大率で拡大して、その結果得られたサムネイル一覧拡大画像において、拡大前基準対向位置に相当する位置（以下、これを拡大後基準対向位置とも呼ぶ）を特定する。
【０５０６】
そして図２８に示すように、制御部２０は、第２液晶パネル１５Ａから第１液晶パネル１４Ａに亘りサムネイル一覧画像６０に替えて、サムネイル一覧拡大画像６０Ａを、表示基準位置に拡大後基準対向位置を合わせるようにして表示する。
【０５０７】
よって制御部２０は、第２液晶パネル１５Ａから第１液晶パネル１４Ａに亘って拡大前のサムネイル一覧画像６０を表示している場合よりも、サムネイル６１Ａの視認性を向上させて、サムネイル６１Ａの内容をより確認し易くすることができる。
【０５０８】
また制御部２０は、このとき拡大後基準対向位置を表示基準位置に合わせることで、サムネイル一覧画像６０を、あたかも複数の指の近接部分を中心にズームしたように拡大する。
【０５０９】
これにより制御部２０は、サムネイル一覧画像６０の拡大直前と拡大直後とで表示部分が大幅にずれることを回避して、拡大直前に見せていたサムネイル６１のほとんどを、拡大直後も連続的に見せることができる。
【０５１０】
因みに、制御部２０は、サムネイル一覧画像６０を拡大したとき、拡大直前に強調表示していたサムネイル６１を、拡大直後も強調表示する。
【０５１１】
ただし、制御部２０は、サムネイル一覧拡大画像６０Ａを表示した場合、選択画像判別情報において、画像識別情報を対応付けている表示領域情報を、拡大したサムネイル６１Ａの表示領域の位置を画素位置の座標で示す表示領域情報に変更する。
【０５１２】
よって制御部２０は、サムネイル一覧拡大画像６０Ａを表示した状態で複数の指が所望の方向に移動すると、上述と同様に、注目領域が重なった（人指し指が重なった）サムネイル６１Ａを検出することができる。
【０５１３】
そして制御部２０は、図１９について上述した場合と同様に、その注目領域が重なったサムネイル６１Ａを強調表示すると共に、第１液晶パネル１４Ａの表示はそのままに、第２液晶パネル１５Ａの表示面全体に、当該サムネイル６１Ａをさらに拡大して表示する。
【０５１４】
また制御部２０は、サムネイル一覧拡大画像６０Ａを表示している状態で、複数の指の移動が停止した場合も、上述と同様に注目領域が重なった（人指し指が重なった）サムネイル６１Ａを検出する。
【０５１５】
そして制御部２０は、この際には第１液晶パネル１４Ａから第２液晶パネル１５Ａに亘りサムネイル一覧拡大画像６０Ａを表示しつつ、注目領域が重なったサムネイル６１Ａを強調表示する。
【０５１６】
ところで、図２９に示すように、制御部２０は、サムネイル一覧拡大画像６０Ａを表示している間、第１タッチパネル１４Ｂの左端部に、画像の右方向へのスクロールを指示するための右スクロール指示領域ＳＡ３を設定する。
【０５１７】
因みに、制御部２０は、この際、第１タッチパネル１４Ｂの左端部において、上スクロール指示領域ＳＡ１の上端から下スクロール指示領域ＳＡ２の下端までの帯状の領域を、右スクロール指示領域ＳＡ３に設定する。
【０５１８】
実際に制御部２０は、右スクロール指示領域ＳＡ３の位置を第１液晶パネル１４Ａの対向する画素位置の座標で示す右指示領域情報に、当該右スクロール指示領域ＳＡ３を介して実行の指示が可能な処理として、右方向へのスクロールを示す処理情報を対応付ける。
【０５１９】
そして制御部２０は、右指示領域情報と、当該右指示領域情報に対応付けた処理情報とを右スクロール判別情報としてＲＡＭ２２に記憶する。
【０５２０】
また制御部２０は、サムネイル一覧拡大画像６０Ａを表示している間、第１タッチパネル１４Ｂの右端部に、画像の左方向へのスクロールを指示するための左スクロール指示領域ＳＡ４も設定する。
【０５２１】
因みに、制御部２０は、この際、第１タッチパネル１４Ｂの右端部において、上スクロール指示領域ＳＡ１の上端から下スクロール指示領域ＳＡ２の下端までの帯状の領域を、左スクロール指示領域ＳＡ４に設定する。
【０５２２】
実際に制御部２０は、左スクロール指示領域ＳＡ４の位置を第１液晶パネル１４Ａの対向する画素位置の座標で示す左指示領域情報に、当該左スクロール指示領域ＳＡ４を介して実行の指示が可能な処理として、左方向へのスクロールを示す処理情報を対応付ける。
【０５２３】
そして制御部２０は、左指示領域情報と、当該左指示領域情報に対応付けた処理情報とを左スクロール判別情報としてＲＡＭ２２に記憶する。
【０５２４】
さらに制御部２０は、サムネイル一覧拡大画像６０Ａを表示している間、例えば、複数の指が所望の方向に移動したか否かを検出する。
【０５２５】
そして制御部２０は、複数の指が所望の方向に移動したことを検出すると、その指が移動している間、領域検出処理を実行して複数の重心位置を検出する毎に、当該検出した複数の重心位置を右スクロール指示領域ＳＡ３の位置と比較する。
【０５２６】
また制御部２０は、複数の指が所望の方向に移動している間、領域検出処理を実行して複数の重心位置を検出する毎に、当該検出した複数の重心位置を左スクロール指示領域ＳＡ４の位置とも比較する。
【０５２７】
その結果、制御部２０は、複数の重心位置の全てが、右スクロール指示領域ＳＡ３及び左スクロール指示領域ＳＡ４の何れにも含まれないと、画像に対する右方向及び左方向へのスクロールが指示されたと判別しない。
【０５２８】
これに対し制御部２０は、例えば、右スクロール指示領域ＳＡ３に少なくとも１個以上の重心位置が含まれる（すなわち、少なくとも１本以上の何れの指でも右スクロール指示領域ＳＡ３にかかる）と、画像に対する右方向のスクロールが指示されたと判別する。
【０５２９】
この際、図３０に示すように、制御部２０は、第２液晶パネル１５Ａから第１液晶パネル１４Ａに亘って表示しているサムネイル一覧拡大画像６０Ａを、比較的ゆっくりと右方向にスクロールする。
【０５３０】
すなわち、制御部２０は、第１タッチパネル１４Ｂの第１操作面上で指が移動して左端部に近接すると、これに応じてサムネイル一覧拡大画像６０Ａを右方向にスクロールして、当該サムネイル一覧拡大画像６０Ａの左端側を順次表示して見せることができる。
【０５３１】
また制御部２０は、右スクロール指示領域ＳＡ３に少なくとも１個以上の重心位置が含まれている（すなわち、右スクロール指示領域ＳＡ３上に少なくとも１本以上の指が留まっている）間は、サムネイル一覧拡大画像６０Ａの右方向へのスクロールを継続する。
【０５３２】
これにより制御部２０は、最終的に第１液晶パネル１４Ａ及び第２液晶パネル１５Ａの左端にサムネイル一覧拡大画像６０Ａの左端を合わせるように表示した状態までスクロールすることができる。
【０５３３】
因みに、以下の説明では、第１液晶パネル１４Ａ及び第２液晶パネル１５Ａの左端にサムネイル一覧拡大画像６０Ａの左端を合わせるように表示した状態を、右スクロール最終表示状態とも呼ぶ。
【０５３４】
なお、制御部２０は、サムネイル一覧拡大画像６０Ａを右スクロール最終表示状態までスクロールすると、この後は右スクロール指示領域ＳＡ３上に指が留まっていても、右方向へのスクロールの指示を無効にして、その右方向へのスクロールを強制的に停止する。
【０５３５】
よって制御部２０は、サムネイル一覧拡大画像６０Ａを右スクロール最終表示状態までスクロールすると、当該サムネイル一覧拡大画像６０Ａの左端部に配置しているサムネイル６１Ａを指示し易くすることができる。
【０５３６】
また制御部２０は、例えば、左スクロール指示領域ＳＡ４に少なくとも１個以上の重心位置が含まれる（すなわち、少なくとも１本以上の何れの指でも左スクロール指示領域ＳＡ４にかかる）と、画像に対する左方向のスクロールが指示されたと判別する。
【０５３７】
この際、図３１に示すように、制御部２０は、第２液晶パネル１５Ａから第１液晶パネル１４Ａに亘って表示しているサムネイル一覧拡大画像６０Ａを、比較的ゆっくりと左方向にスクロールする。
【０５３８】
すなわち、制御部２０は、第１タッチパネル１４Ｂの第１操作面上で指が移動して右端部に近接すると、これに応じてサムネイル一覧拡大画像６０Ａを左方向にスクロールして、当該サムネイル一覧拡大画像６０Ａの右端側を順次表示して見せることができる。
【０５３９】
また制御部２０は、左スクロール指示領域ＳＡ４に少なくとも１個以上の重心位置が含まれている（すなわち、左スクロール指示領域ＳＡ４上に少なくとも１本以上の指が留まっている）間は、サムネイル一覧拡大画像６０Ａの左方向へのスクロールを継続する。
【０５４０】
これにより制御部２０は、最終的に第１液晶パネル１４Ａ及び第２液晶パネル１５Ａの右端にサムネイル一覧拡大画像６０Ａの右端を合わせるように表示した状態までスクロールすることができる。
【０５４１】
因みに、以下の説明では、第１液晶パネル１４Ａ及び第２液晶パネル１５Ａの右端にサムネイル一覧拡大画像６０Ａの右端を合わせるように表示した状態を、左スクロール最終表示状態とも呼ぶ。
【０５４２】
なお、制御部２０は、サムネイル一覧拡大画像６０Ａを左スクロール最終表示状態までスクロールすると、この後は左スクロール指示領域ＳＡ４上に指が留まっていても、左方向へのスクロールの指示を無効にして、その左方向へのスクロールを強制的に停止する。
【０５４３】
よって制御部２０は、サムネイル一覧拡大画像６０Ａを左スクロール最終表示状態までスクロールすると、当該サムネイル一覧拡大画像６０Ａの右端部に配置しているサムネイル６１Ａを指示し易くすることができる。
【０５４４】
因みに、制御部２０は、サムネイル一覧拡大画像６０Ａを表示した状態で複数の指が所望の方向に移動すると、領域検出処理を実行する毎に、その都度、検出した重心位置を上スクロール指示領域ＳＡ１の位置及び下スクロール指示領域ＳＡ２の位置とも比較する。
【０５４５】
そして制御部２０は、図２１及び図２２について上述した場合と同様に、少なくとも１本以上の指が上スクロール指示領域ＳＡ１にかかると、サムネイル一覧拡大画像６０Ａを上方向へスクロールする。
【０５４６】
また制御部２０は、図２３及び図２４について上述した場合と同様に、少なくとも１本以上の指が下スクロール指示領域ＳＡ２にかかると、サムネイル一覧拡大画像６０Ａを下方向にスクロールする。
【０５４７】
このように制御部２０は、第２液晶パネル１５Ａから第１液晶パネル１４Ａに亘ってサムネイル一覧拡大画像６０Ａ全体を表示しきれない場合、そのサムネイル一覧拡大画像６０Ａを上下左右の何れの方向へも適宜スクロールして、くまなく見せることができる。
【０５４８】
因みに、制御部２０は、右スクロール指示領域ＳＡ３及び左スクロール指示領域ＳＡ４に指がかかっている（近接領域がかかっている）間は、サムネイル６１Ａの強調表示を停止する。
【０５４９】
また制御部２０は、上スクロール指示領域ＳＡ１及び下スクロール指示領域ＳＡ２に指がかかっている（近接領域がかかっている）間も、サムネイル６１Ａの強調表示を停止する。
【０５５０】
さらに制御部２０は、サムネイル一覧拡大画像６０Ａのスクロールでサムネイル６１Ａの表示領域が変位すると、選択画像判別情報において画像識別情報を対応付けている表示領域情報を、変位後の表示領域の位置を画素位置の座標で示す表示領域情報に変更する。
【０５５１】
そして制御部２０は、指が再び移動して左スクロール指示領域ＳＡ４、右スクロール指示領域ＳＡ３、上スクロール指示領域ＳＡ１、下スクロール指示領域ＳＡ２の何れからも外れると、注目領域の重心位置とサムネイル６１Ａの表示領域とを比較する。
【０５５２】
これにより制御部２０は、サムネイル一覧拡大画像６０Ａをスクロールして表示範囲を変更しても、上述のように人指し指が重なったサムネイル６１Ａを的確に検出することができる。
【０５５３】
よって制御部２０は、サムネイル一覧拡大画像６０Ａをスクロールして表示範囲を変更しても、上述と同様に人指し指が重なったサムネイル６１Ａを強調表示し得ると共に、第２液晶パネル１５Ａに当該サムネイル６１Ａを拡大して表示することができる。
【０５５４】
また制御部２０は、上述のように１又は複数の領域間距離と、対応する狭間隔変更検出距離ＳＬ２とを比較して、少なくとも１つ以上の領域間距離が、対応する狭間隔変更検出距離ＳＬ２以下であることを検出すると、画像の縮小が指示されたと認識する。
【０５５５】
このとき制御部２０は、図２７（Ａ）及び（Ｂ）について上述した場合と同様に複数の近接領域を全て囲む四角形の領域を検出する。
【０５５６】
また制御部２０は、その領域の中心位置と対向する、第１液晶パネル１４Ａの画素位置を、サムネイル一覧画像６０を縮小する前と後とで表示位置を合わせるための表示基準位置として検出する。
【０５５７】
すなわち、制御部２０は、画像の縮小が指示されたと認識すると、第２液晶パネル１５Ａから第１液晶パネル１４Ａに亘り、縮小したサムネイル一覧画像６０を表示するときの表示基準位置を検出する。
【０５５８】
また制御部２０は、このとき第２液晶パネル１５Ａから第１液晶パネル１４Ａに亘って表示しているサムネイル一覧画像６０において、その表示基準位置と対向する基準対向位置（以下、これを縮小前基準対向位置とも呼ぶ）を検出する。
【０５５９】
そのうえで制御部２０は、そのサムネイル一覧画像６０を例えば、予め選定された縮小率で縮小して、その結果得られたサムネイル一覧縮小画像において、縮小前基準対向位置に相当する位置（以下、これを縮小後基準対向位置とも呼ぶ）を特定する。
【０５６０】
そして図３２に示すように、制御部２０は、第２液晶パネル１５Ａから第１液晶パネル１４Ａに亘りサムネイル一覧画像６０に替えて、サムネイル一覧縮小画像６０Ｂを、表示基準位置に縮小後基準対向位置を合わせるようにして表示する。
【０５６１】
これにより制御部２０は、第２液晶パネル１５Ａから第１液晶パネル１４Ａに亘って縮小前のサムネイル一覧画像６０を表示している場合よりも、一度に表示するサムネイル６１Ｂの数を増やして、より多くのサムネイル６１Ｂを容易に比較させることができる。
【０５６２】
また制御部２０は、このとき縮小後基準対向位置を表示基準位置に合わせることで、サムネイル一覧画像６０を、あたかも複数の指の近接部分を中心にズームしたように縮小する。
【０５６３】
これにより制御部２０は、サムネイル一覧画像６０の縮小直前と縮小直後とで表示部分が大幅にずれることを回避して、縮小直前に見せていたサムネイル６１のほとんどを、縮小直後も連続的に見せることができる。
【０５６４】
因みに、制御部２０は、サムネイル一覧画像６０を縮小したとき、縮小直前に強調表示していたサムネイル６１を、縮小直後も強調表示する。
【０５６５】
ただし、制御部２０は、サムネイル一覧縮小画像６０Ｂを表示した場合、選択画像判別情報において、画像識別情報を対応付けている表示領域情報を、縮小したサムネイル６１Ｂの表示領域の位置を画素位置の座標で示す表示領域情報に変更する。
【０５６６】
よって制御部２０は、サムネイル一覧縮小画像６０Ｂを表示した状態で複数の指が所望の方向に移動した場合、上述と同様に、注目領域が重なった（人指し指が重なった）サムネイル６１Ｂを検出することができる。
【０５６７】
そして制御部２０は、図１９について上述した場合と同様に、その注目領域が重なったサムネイル６１Ｂを強調表示すると共に、第１液晶パネル１４Ａの表示はそのままに、第２液晶パネル１５Ａの表示面全体に、当該サムネイル６１Ｂを拡大して表示する。
【０５６８】
また制御部２０は、サムネイル一覧縮小画像６０Ｂを表示している状態で、複数の指の移動が停止した場合も、上述と同様に、注目領域が重なった（人指し指が重なった）サムネイル６１Ｂを検出することができる。
【０５６９】
そして制御部２０は、この際には第１液晶パネル１４Ａから第２液晶パネル１５Ａに亘りサムネイル一覧縮小画像６０Ｂを表示しつつ、注目領域が重なったサムネイル６１Ｂを強調表示する。
【０５７０】
ところで、制御部２０は、サムネイル一覧縮小画像６０Ｂを表示している間も、図２９について上述した場合と同様に、第１タッチパネル１４Ｂの左右の端部に右スクロール指示領域ＳＡ３及び左スクロール指示領域ＳＡ４を設定する。
【０５７１】
よって制御部２０は、サムネイル一覧縮小画像６０Ｂを表示している間、複数の指が所望の方向に移動したか否かを検出する。
【０５７２】
そして制御部２０は、複数の指が所望の方向に移動したことを検出すると、当該複数の指が移動している間、領域検出処理を実行して複数の重心位置を検出する毎に、当該検出した複数の重心位置を右スクロール指示領域ＳＡ３の位置と比較する。
【０５７３】
また制御部２０は、複数の指が移動している間、領域検出処理を実行して複数の重心位置を検出する毎に、当該検出した複数の重心位置を左スクロール指示領域ＳＡ４の位置とも比較する。
【０５７４】
その結果、制御部２０は、複数の重心位置の全てが、右スクロール指示領域ＳＡ３及び左スクロール指示領域ＳＡ４の何れにも含まれないと、画像に対する右方向及び左方向へのスクロールが指示されたと判別しない。
【０５７５】
これに対し制御部２０は、例えば、右スクロール指示領域ＳＡ３に少なくとも１個以上の重心位置が含まれる（すなわち、少なくとも１本以上の何れの指でも右スクロール指示領域ＳＡ３にかかる）と、画像に対する右方向のスクロールが指示されたと判別する。
【０５７６】
この際、制御部２０は、図３０について上述した場合と同様に、第２液晶パネル１５Ａから第１液晶パネル１４Ａに亘って表示しているサムネイル一覧縮小画像６０Ｂを右方向へスクロールする。
【０５７７】
よって制御部２０は、サムネイル一覧縮小画像６０Ｂを右方向へスクロールすると、当該サムネイル一覧縮小画像６０Ｂの左端部に配置しているサムネイル６１Ｂを指示し易くすることができる。
【０５７８】
また制御部２０は、例えば、左スクロール指示領域ＳＡ４に少なくとも１個以上の重心位置が含まれる（すなわち、少なくとも１本以上の何れの指でも左スクロール指示領域ＳＡ４にかかる）と、画像に対する左方向のスクロールが指示されたと判別する。
【０５７９】
この際、制御部２０は、図３１について上述した場合と同様に、第２液晶パネル１５Ａから第１液晶パネル１４Ａに亘って表示しているサムネイル一覧縮小画像６０Ｂを左方向へスクロールする。
【０５８０】
よって制御部２０は、サムネイル一覧縮小画像６０Ｂを左方向へスクロールすると、当該サムネイル一覧縮小画像６０Ｂの右端部に配置しているサムネイル６１Ｂを指示し易くすることができる。
【０５８１】
因みに、制御部２０は、サムネイル一覧縮小画像６０Ｂを表示した状態で複数の指が所望の方向に移動すると、領域検出処理を実行する毎に、その都度検出した重心位置を上スクロール指示領域ＳＡ１の位置及び下スクロール指示領域ＳＡ２の位置とも比較する。
【０５８２】
そして制御部２０は、図２１及び図２２について上述した場合と同様に、少なくとも１本以上の指が上スクロール指示領域ＳＡ１にかかると、サムネイル一覧縮小画像６０Ｂを上方向へスクロールする。
【０５８３】
また制御部２０は、図２３及び図２４について上述した場合と同様に、少なくとも１本以上の指が下スクロール指示領域ＳＡ２にかかると、サムネイル一覧縮小画像６０Ｂを下方向にスクロールする。
【０５８４】
このように制御部２０は、第２液晶パネル１５Ａから第１液晶パネル１４Ａに亘ってサムネイル一覧縮小画像６０Ｂ全体を表示しきれない場合、そのサムネイル一覧縮小画像６０Ｂを上下左右の何れの方向へも適宜スクロールして、くまなく見せることができる。
【０５８５】
因みに、制御部２０は、右スクロール指示領域ＳＡ３及び左スクロール指示領域ＳＡ４に指がかかっている（近接領域がかかっている）間は、サムネイル６１Ｂの強調表示を停止する。
【０５８６】
また制御部２０は、上スクロール指示領域ＳＡ１及び下スクロール指示領域ＳＡ２に指がかかっている（近接領域がかかっている）間も、サムネイル６１Ｂの強調表示を停止する。
【０５８７】
さらに制御部２０は、サムネイル一覧縮小画像６０Ｂのスクロールでサムネイル６１Ｂの表示領域が変位すると、選択画像判別情報において画像識別情報を対応付けている表示領域情報を、変位後の表示領域の位置を画素位置の座標で示す表示領域情報に変更する。
【０５８８】
そして制御部２０は、指が再び移動して左スクロール指示領域ＳＡ４、右スクロール指示領域ＳＡ３、上スクロール指示領域ＳＡ１、下スクロール指示領域ＳＡ２の何れからも外れると、注目領域の重心位置とサムネイル６１Ｂの表示領域とを比較する。
【０５８９】
これにより制御部２０は、サムネイル一覧縮小画像６０Ｂをスクロールして表示範囲を変更しても、上述のように人指し指が重なったサムネイル６１Ｂを的確に検出することができる。
【０５９０】
よって制御部２０は、サムネイル一覧縮小画像６０Ｂをスクロールして表示範囲を変更しても、上述と同様に人指し指が重なったサムネイル６１Ｂを強調表示し得ると共に、第２液晶パネル１５Ａに当該サムネイル６１Ｂを拡大して表示することができる。
【０５９１】
さらに制御部２０は、サムネイル一覧拡大画像６０Ａを表示すると、その表示の間も領域検出処理を実行する毎に、複数の近接領域と共に検出した重心位置に基づき、隣り合う２個の近接領域の領域間距離を検出する。
【０５９２】
そして制御部２０は、その領域検出処理を実行する毎に、隣り合う２個の近接領域の領域間距離を、対応する広間隔変更検出距離ＳＬ１及び狭間隔変更検出距離ＳＬ２と比較する。
【０５９３】
その結果、制御部２０は、少なくとも１つ以上の領域間距離が、対応する狭間隔変更検出距離ＳＬ２より長いものの、対応する広間隔変更検出距離ＳＬ１よりも短くなったことを検出すると、画像の縮小が指示されたと認識する。
【０５９４】
このとき制御部２０は、図２７（Ａ）及び（Ｂ）について上述した場合と同様に、複数の近接領域を全て囲む四角形の領域を検出する。
【０５９５】
また制御部２０は、その領域の中心位置と対向する、第１液晶パネル１４Ａの画素位置を、サムネイル一覧拡大画像６０Ａを縮小する前と後とで表示位置を合わせるための表示基準位置として検出する。
【０５９６】
すなわち、制御部２０は、サムネイル一覧拡大画像６０Ａを表示した状態で、画像の縮小が指示されたと認識すると、第２液晶パネル１５Ａから第１液晶パネル１４Ａに亘り、サムネイル一覧拡大画像６０Ａを縮小して表示するときの表示基準位置を検出する。
【０５９７】
さらに制御部２０は、このとき第２液晶パネル１５Ａから第１液晶パネル１４Ａに亘って表示しているサムネイル一覧拡大画像６０Ａにおいて、その表示基準位置と対向する縮小前基準対向位置を検出する。
【０５９８】
そのうえで制御部２０は、そのサムネイル一覧拡大画像６０Ａを例えば、もとの表示サイズに戻すように縮小して、その結果得られたサムネイル一覧画像６０において、縮小前基準対向位置に相当する縮小後基準対向位置を特定する。
【０５９９】
そして制御部２０は、第２液晶パネル１５Ａから第１液晶パネル１４Ａに亘りサムネイル一覧拡大画像６０Ａに替えて、もとの（拡大前の）サムネイル一覧画像６０を、表示基準位置に縮小後基準対向位置を合わせるようにして表示する。
【０６００】
このようにして制御部２０は、第２液晶パネル１５Ａから第１液晶パネル１４Ａに亘って表示するサムネイル一覧画像６０を拡大しても、その拡大したサムネイル一覧画像６０を適宜もとの表示サイズに戻して表示することができる。
【０６０１】
さらにまた制御部２０は、サムネイル一覧縮小画像６０Ｂを表示すると、その表示の間も領域検出処理を実行する毎に、複数の近接領域と共に検出した重心位置に基づき、隣り合う２個の近接領域の領域間距離を検出する。
【０６０２】
そして制御部２０は、その領域検出処理を実行する毎に、隣り合う２個の近接領域の領域間距離を、対応する広間隔変更検出距離ＳＬ１及び狭間隔変更検出距離ＳＬ２と比較する。
【０６０３】
その結果、制御部２０は、少なくとも１つ以上の領域間距離が、対応する広間隔変更検出距離ＳＬ１よりも短いものの、対応する狭間隔変更検出距離ＳＬ２より長くなったことを検出すると、画像の拡大が指示されたと認識する。
【０６０４】
このとき制御部２０は、図２７（Ａ）及び（Ｂ）について上述した場合と同様に、複数の近接領域を全て囲む四角形の領域を検出する。
【０６０５】
また制御部２０は、その領域の中心位置と対向する、第１液晶パネル１４Ａの画素位置を、サムネイル一覧縮小画像６０Ｂを拡大する前と後とで表示位置を合わせるための表示基準位置として検出する。
【０６０６】
すなわち、制御部２０は、サムネイル一覧縮小画像６０Ｂを表示した状態で、画像の拡大が指示されたと認識すると、第２液晶パネル１５Ａから第１液晶パネル１４Ａに亘り、サムネイル一覧縮小画像６０Ｂを拡大して表示するときの表示基準位置を検出する。
【０６０７】
さらに制御部２０は、このとき第２液晶パネル１５Ａから第１液晶パネル１４Ａに亘って表示しているサムネイル一覧縮小画像６０Ｂにおいて、その表示基準位置と対向する拡大前基準対向位置を検出する。
【０６０８】
そのうえで制御部２０は、そのサムネイル一覧縮小画像６０Ｂを例えば、もとの表示サイズに戻すように拡大して、その結果得られたサムネイル一覧画像６０において、拡大前基準対向位置に相当する拡大後基準対向位置を特定する。
【０６０９】
そして制御部２０は、第２液晶パネル１５Ａから第１液晶パネル１４Ａに亘りサムネイル一覧縮小画像６０Ｂに替えて、もとの（縮小前の）サムネイル一覧画像６０を、表示基準位置に拡大後基準対向位置を合わせるようにして表示する。
【０６１０】
よって制御部２０は、第２液晶パネル１５Ａから第１液晶パネル１４Ａに亘って表示するサムネイル一覧画像６０を縮小しても、その縮小したサムネイル一覧画像６０を適宜もとの表示サイズに戻して表示することができる。
【０６１１】
このようにして制御部２０は、第２液晶パネル１５Ａから第１液晶パネル１４Ａに亘ってサムネイル一覧画像６０を、適宜、表示状態を変えて表示して当該サムネイル一覧画像６０内の複数のサムネイル６１により立上画像を確認させることができる。
【０６１２】
そして図３３に示すように、制御部２０は、サムネイル一覧画像６０（サムネイル一覧拡大画像６０Ａ、サムネイル一覧縮小画像６０Ｂ）を表示した状態で、複数の指による近接操作に連続して人差し指でタップ操作が行われると、タップ指示位置を検出する。
【０６１３】
この際、制御部２０は、そのタップ指示位置を、上述の選択画像判別情報に含まれる複数の表示領域と順次比較して、これら複数の表示領域の中からタップ指示位置を含む表示領域を検出する。
【０６１４】
これにより制御部２０は、サムネイル一覧画像６０（サムネイル一覧拡大画像６０Ａ、サムネイル一覧縮小画像６０Ｂ）上でタップ操作により選択された立上画像６３（タップ指示位置を含む表示領域を対応付けた画像識別情報で識別される立上画像）を判別する。
【０６１５】
そして図３４に示すように、制御部２０は、このように立上画像６３を判別すると、第２液晶パネル１５Ａから第１液晶パネル１４Ａに亘るサムネイル一覧画像６０の表示を終了する。
【０６１６】
また制御部２０は、その立上画像６３の表示サイズに応じて、第１液晶パネル１４Ａ及び第２液晶パネル１５Ａの少なくとも一方に当該立上画像６３を表示する。
【０６１７】
また図３５に示すように、制御部２０は、サムネイル一覧画像６０（サムネイル一覧拡大画像６０Ａ、サムネイル一覧縮小画像６０Ｂ）を表示した状態で、１本の指による近接操作に連続して当該１本の指でタップ操作が行われても、タップ指示位置を検出する。
【０６１８】
この際、制御部２０は、そのタップ指示位置を、上述の選択画像判別情報に含まれる複数の表示領域と順次比較して、これら複数の表示領域の中からタップ指示位置を含む表示領域を検出する。
【０６１９】
よって制御部２０は、サムネイル一覧画像６０（サムネイル一覧拡大画像６０Ａ、サムネイル一覧縮小画像６０Ｂ）上でタップ操作により選択された立上画像６３（タップ指示位置を含む表示領域を対応付けた画像識別情報で識別される立上画像）を判別する。
【０６２０】
そして制御部２０は、図３４について上述した場合と同様に、第２液晶パネル１５Ａから第１液晶パネル１４Ａに亘るサムネイル一覧画像６０の表示を終了する。
【０６２１】
また制御部２０は、その立上画像６３の表示サイズに応じて、第１液晶パネル１４Ａ及び第２液晶パネル１５Ａの少なくとも一方に当該立上画像６３を表示する。
【０６２２】
このようにして制御部２０は、近接操作が行われると、第２液晶パネル１５Ａから第１液晶パネル１４Ａに亘ってサムネイル一覧画像６０を表示し、そのサムネイル一覧画像６０上で、所望の立上画像をサムネイル６１として選択させることができる。
【０６２３】
制御部２０は、近接操作に連続して、第１操作面に近接していた指でタップ操作が行われて立上画像を表示すると、その近接操作が終了したと判別して、全ての指が第１操作面から近接検出距離範囲を越えて遠ざけられても、その立上画像を表示したままにする。
【０６２４】
すなわち、制御部２０は、近接操作に連続して、第１操作面に対しタップ操作が行われると、第２液晶パネル１５Ａから第１液晶パネル１４Ａに亘り立上画像を表示して近接操作を終了させる。
【０６２５】
ところで、制御部２０は、上述のように近接操作が行われたと判別しても、タップ操作で所望の立上画像が選択される前に、第１操作面から、これに近接していた全ての指が近接検出距離範囲を越えて遠ざけられると、このときも近接操作が終了したと判別する。
【０６２６】
すなわち、制御部２０は、近接操作が行われてサムネイル一覧画像６０を表示しても、立上画像の指示が見送られた場合、特別な操作を何ら行わせることなく、第１操作面から指を遠ざけさせるだけで、近接操作を容易に終了させることができる。
【０６２７】
そして制御部２０は、第１操作面から指が遠ざかり近接操作が終了したと判別すると、この際、第２液晶パネル１５Ａから第１液晶パネル１４Ａに亘るサムネイル一覧画像６０の表示を終了する。
【０６２８】
また制御部２０は、この際、第２液晶パネル１５Ａから第１液晶パネル１４Ａに亘る表示を、近接操作が行われる直前の状態に戻す。
【０６２９】
これに加え制御部２０は、例えば、近接操作の間、複数の指のうち何れかの指が第１操作面の外側にまで移動して一部の近接領域を検出し得なくなっても、当該複数の指のうち１本以上の指の近接領域を検出し続けていると、近接操作が継続されていると判断する。
【０６３０】
よって制御部２０は、例えば、近接操作においてスクロールを指示するとき等に、複数の指の一部が第１操作面の外側にまで移動しても、その近接操作が無駄に中断することを回避して、近接操作を行わせ続けて所望の立上画像を選択させることができる。
【０６３１】
一方、制御部２０は、再生画像４６を表示し、近接領域及び接触領域を全く検出していない状態で、近接開始時点の１個又は複数の近接領域を検出すると、この場合も上述と同様にタイマにより近接時間の計時を開始する。
【０６３２】
また制御部２０は、このように近接開始時点の１又は複数の近接領域を検出すると、上述と同様に、これら近接領域の重心位置をそれぞれ移動軌跡の起点として、指毎の移動軌跡の検出も開始する。
【０６３３】
さらに制御部２０は、近接時間が近接操作判別時間に達するまでに１又は複数の指に対する近接開始時点の１又は複数の近接領域を追加で検出すると、当該１又は複数の近接領域の重心位置もそれぞれ移動軌跡の起点として、当該指毎の移動軌跡の検出も開始する。
【０６３４】
そして制御部２０は、近接時間の計時を開始すると、上述と同様に接触領域を検出しないまま、少なくとも１個以上の近接領域を順次追跡するように検出している間、その近接時間の計時を継続する。
【０６３５】
ただし、制御部２０は、近接時間が近接操作判別時間に達する前に、接触領域を検出し、また全ての指が第１操作面から近接検出距離範囲を越えて遠ざかって近接時間の計時を終了すると、このときも第１操作面に対し近接操作は行われていないと判別する。
【０６３６】
これに対し制御部２０は、計時している近接時間が近接操作判別時間に達すると、上述と同様に、このときまでに検出していた全ての移動軌跡が、対応する起点（重心位置）を中心にした近接操作判別範囲内に収まっているか否かを判別する。
【０６３７】
その結果、制御部２０は、近接時間が近接操作判別時間に達したとき、これまでに検出していた全ての移動軌跡が、対応する起点から近接操作判別範囲の外側にまで伸びていると、上述と同様に第１操作面に対し近接操作は行われていないと判別する。
【０６３８】
これに対し図３６に示すように、制御部２０は、近接時間が近接操作判別時間に達したとき、少なくとも１本以上の移動軌跡が、対応する近接操作判別範囲内に収まっていると、上述と同様に第１操作面に対し近接操作が行われていると判別する。
【０６３９】
これにより制御部２０は、再生画像４６を表示している場合も、近接操作をタップ操作や摺動操作のようなタッチ操作とは明確に区別して、第１操作面に対し近接操作が行われたことを検出することができる。
【０６４０】
また制御部２０は、この近接操作判別時点に検出している近接領域を全て、今回の近接操作によるものであると判別する。
【０６４１】
これにより制御部２０は、近接時間が近接操作判別時間に達するまでに、複数の指による複数の近接領域を時間的に僅かにずれて検出し始めても、近接操作判別時点に、これら複数の近接領域を１回の近接操作による近接領域として検出することができる。
【０６４２】
制御部２０は、近接操作が行われていると判別すると、現在、再生の対象になっている音楽データ（このとき表示している再生画像４６が示す再生対象の音楽データ）の曲タイトルを曲アイコン４５として提示するための曲一覧画像４４の画像データを生成する。
【０６４３】
因みに、以下の説明では、近接操作判別時点に、再生の対象になっている音楽データを、判別時点再生対象データとも呼ぶ。
【０６４４】
そして図３７に示すように、制御部２０は、第２液晶パネル１５Ａから第１液晶パネル１４Ａに亘り再生画像４６に替えて、その画像データに基づく曲一覧画像４４を表示する。
【０６４５】
すなわち、制御部２０は、判別時点再生対象データが収録されたアルバム内の全ての音楽データ（判別時点再生対象データを含む）の曲タイトルを示す（再生画像４６よりも１階層上位の）曲一覧画像４４を表示する。
【０６４６】
因みに、再生画像４６は、ユーザにより再生対象の音楽データが選択されたとき、その音楽データに関する情報を示している。
【０６４７】
ただし、再生画像４６は、再生対象の音楽データの選択から近接操作が行われるまでに再生処理が進み、その再生対象の音楽データとは異なる他の音楽データが再生されると、これに応じて当該他の音楽データに関する情報を示すように内容が更新されている。
【０６４８】
このため制御部２０は、この際、再生画像４６に替えて、ユーザにより再生対象の音楽データが選択されるときにすでに表示していた曲一覧画像４４を再び表示する場合がある。
【０６４９】
また制御部２０は、この際、再生画像４６に替えて、ユーザにより再生対象の音楽データが選択されるときに表示していた曲一覧画像４４とは異なる表示内容の曲一覧画像を表示する場合もある。
【０６５０】
制御部２０は、このように曲一覧画像４４を表示すると、当該曲一覧画像４４内の複数の曲アイコン４５のうち、判別時点再生対象データの曲タイトルを示す曲アイコン４５を上述と同様に強調表示する。
【０６５１】
また制御部２０は、この際、図１１について上述した場合と同様に、曲アイコン４５毎の配置領域情報と、当該配置領域情報に対応付けた曲情報とを選択曲判別情報としてＲＡＭ２２に記憶する。
【０６５２】
さらに制御部２０は、上述のサムネイル一覧画像６０を表示した場合と同様に、このとき検出している１又は複数の近接領域の中で、注目領域を設定する。
【０６５３】
さらに制御部２０は、この際、上述のサムネイル一覧画像６０を表示した場合と同様に、第１操作面に近接している１又は複数の指の移動軌跡を検出すると共に、当該検出した移動軌跡に基づき、１又は複数の指が所望の方向に移動したか否かを判断する。
【０６５４】
その結果、制御部２０は、１又は複数の指が所望の方向に移動したと判断すると、その移動の間、注目領域（人指し指）が重なった配置領域を検出するようにして、強調表示する曲アイコン４５を適宜変更する。
【０６５５】
また制御部２０は、第１液晶パネル１４Ａの表示はそのままに、第２液晶パネル１５Ａに、その強調表示している曲アイコン４５を拡大して表示する。
【０６５６】
さらに制御部２０は、このように曲一覧画像４４を表示した場合、上述のサムネイル一覧画像６０を表示した場合と同様に、指の移動に応じて、当該曲一覧画像４４を上方向や下方向へスクロールすることができる。
【０６５７】
さらにまた制御部２０は、この際、複数の指で近接操作が行われていると、上述のサムネイル一覧画像６０を表示した場合と同様に、指の間隔の変化に応じて、曲一覧画像４４を拡大して表示し、また縮小して表示することができる。
【０６５８】
そして制御部２０は、このように曲一覧画像４４を拡大し、また縮小したときには、上述のサムネイル一覧画像６０を表示した場合と同様に、指の移動に応じて、その曲一覧画像４４を上下左右にスクロールすることもできる。
【０６５９】
さらに制御部２０は、曲一覧画像４４をスクロールし、また拡大縮小したときには、選択曲判別情報の内容を変更する。
【０６６０】
これにより制御部２０は、曲アイコン４５の配置位置が変位し、また大きさが変化しても、指が重なった曲アイコン４５を検出して強調表示及び拡大表示することができる。
【０６６１】
このように制御部２０は、近接操作に応じて曲一覧画像４４を表示した場合も、上述のサムネイル一覧画像６０を表示した場合と同様に、当該曲一覧画像４４の表示状態を同様に変更することができる。
【０６６２】
これに加え図３８に示すように、制御部２０は、このように曲一覧画像４４を表示した状態で近接操作において１又は複数の指が所望の方向に移動した場合、例えば、移動軌跡に基づき、移動の開始から停止までの時間と移動方向とを検出する。
【０６６３】
また制御部２０は、その移動時間及び移動方向に基づき、１又は複数の指が例えば、予め選定された２乃至３［ｓｅｃ］のような比較的短い所定の指示判別時間内に一方向、及びこれとは反対側の他方向に交互に移動（すなわち、往復移動）したか否かを検出する。
【０６６４】
その結果、制御部２０は、１又は複数の指が往復移動したことを検出すると、その往復回数に応じて、ジャンル一覧画像３５、アーティスト一覧画像３８、アルバム一覧画像４１の何れかの表示が指示されたと認識する。
【０６６５】
因みに、制御部２０は、このような往復移動について、指の移動の開始から停止までの時間を規定する（すなわち、指の動きにフリック操作のすばやさと同じような感覚のすばやさを要求する）ものの、指を往復させる一方向及び他方向を特に規定していない。
【０６６６】
このため制御部２０は、１又は複数の指が移動の開始から指示判別時間内に、その移動を停止させると、当該１又は複数の指が上下方向、左右方向、斜め方向（右上方向及び左下方向等）等の何れの方向に交互に移動しても往復移動したと判断する。
【０６６７】
実際に制御部２０は、１又は複数の指が一方向及び他方向にすばやく１往復するように往復移動したことを検出すると、複数の音楽データの第１階層の分類に対応するジャンル一覧画像３５の表示が指示されたと認識する。
【０６６８】
この際、制御部２０は、図８について上述した場合と同様にして、ジャンル一覧画像３５の画像データを生成する。そして図３９に示すように、制御部２０は、第２液晶パネル１５Ａから第１液晶パネル１４Ａに亘り曲一覧画像４４に替えて、その画像データに基づくジャンル一覧画像３５を表示する。
【０６６９】
すなわち、制御部２０は、この際、複数の音楽データのジャンルによる分類を示す（再生画像４６よりも４階層上位の最上位となる）ジャンル一覧画像３５を表示する。
【０６７０】
また制御部２０は、１又は複数の指が一方向及び他方向にすばやく２往復するように往復移動したことを検出すると、複数の音楽データの第２階層の分類に対応するアーティスト一覧画像３８の表示が指示されたと認識する。
【０６７１】
この際、制御部２０は、図９について上述した場合と同様にして、判別時点再生対象データが属するジャンル内での複数の音楽データのアーティストによる分類を示すアーティスト一覧画像３８の画像データを生成する。
【０６７２】
そして図４０に示すように、制御部２０は、第２液晶パネル１５Ａから第１液晶パネル１４Ａに亘り曲一覧画像４４に替えて、その画像データに基づくアーティスト一覧画像３８を表示する。
【０６７３】
すなわち、制御部２０は、この際、判別時点再生対象データのジャンルに対応する全てのアーティスト（そのジャンルに属する音楽データを発表した全てのアーティスト）を示す（再生画像４６よりも３階層上位の）アーティスト一覧画像３８を表示する。
【０６７４】
さらに制御部２０は、１又は複数の指が一方向及び他方向にすばやく３往復するように往復移動したことを検出すると、複数の音楽データの第３階層の分類に対応するアルバム一覧画像４１の表示が指示されたと認識する。
【０６７５】
この際、制御部２０は、図１０について上述した場合と同様にして、判別時点再生対象データのアーティストの複数の音楽データに対するアルバムによる分類を示すアルバム一覧画像４１の画像データを生成する。
【０６７６】
そして図４１に示すように、制御部２０は、第２液晶パネル１５Ａから第１液晶パネル１４Ａに亘り曲一覧画像４４に替えて、その画像データに基づくアルバム一覧画像４１を表示する。
【０６７７】
すなわち、制御部２０は、この際、判別時点再生対象データのアーティストが発表した全てのアルバムを示す（再生画像４６よりも２階層上位の）アルバム一覧画像４１を表示する。
【０６７８】
このように制御部２０は、アルバム一覧画像４１、アーティスト一覧画像３８、ジャンル一覧画像３５を、下位から上位まで１階層ずつ順番に戻すように切り替えて表示しなくても、近接操作における指の往復移動で任意に選択させて表示することができる。
【０６７９】
すなわち、制御部２０は、近接操作に応じて曲一覧画像４４を表示すると、引き続き近接操作における指の往復移動に応じて、所望の階層のジャンル一覧画像３５、アーティスト一覧画像３８、アルバム一覧画像４１を簡単に切り替えて表示することができる。
【０６８０】
ここで、制御部２０は、ジャンル一覧画像３５を表示すると、当該ジャンル一覧画像３５内の複数のジャケット画像３７のうち、判別時点再生対象データが属するジャンルに対応するジャケット画像３７を上述と同様に強調表示する。
【０６８１】
この際、制御部２０は、図８について上述した場合と同様に、選択ジャンル判別情報をＲＡＭ２２に記憶する。
【０６８２】
また制御部２２は、ジャンルアイコン３６の配置領域の位置を画素位置の座標で示す配置領域情報と、当該ジャンルアイコン３６が示すジャンルの複数の音楽データを順番に再生する再生命令とを対応付けて再生曲判別情報としてＲＡＭ２２に記憶する。
【０６８３】
さらに制御部２０は、上述のサムネイル一覧画像６０を表示した場合と同様に、このとき検出している１又は複数の近接領域の中で、注目領域を設定する。
【０６８４】
さらに制御部２０は、この際、上述のサムネイル一覧画像６０を表示した場合と同様に、第１操作面に近接している１又は複数の指の移動軌跡を検出すると共に、当該検出した移動軌跡に基づき、１又は複数の指が所望の方向に移動したか否かを判断する。
【０６８５】
その結果、制御部２０は、１又は複数の指が所望の方向に移動したと判断すると、その移動の間、注目領域（人指し指）が重なったジャケット画像３７の表示領域やジャンルアイコン３６の配置領域を検出する。
【０６８６】
そして制御部２０は、注目領域（人指し指）がジャケット画像３７の表示領域に重なった場合、そのジャケット画像３７を強調表示する。
【０６８７】
このとき制御部２０は、第１液晶パネル１４Ａの表示はそのままに、第２液晶パネル１５Ａに、その強調表示しているジャケット画像３７を拡大して表示する。
【０６８８】
また制御部２０は、注目領域（人指し指）がジャンルアイコン３６の配置領域に重なった場合、そのジャンルアイコン３６を強調表示する。
【０６８９】
このとき制御部２０は、第１液晶パネル１４Ａの表示はそのままに、第２液晶パネル１５Ａに、その強調表示しているジャンルアイコン３６を拡大して表示する。
【０６９０】
このようにして制御部２０は、指が移動している間、強調表示するジャケット画像３７やジャンルアイコン３６を適宜変更する。
【０６９１】
因みに、制御部２０は、指が停止すると、第２液晶パネル１５Ａに対し、ジャケット画像３７やジャンルアイコン３６の拡大表示を終了して、元の表示（ジャンル一覧画像３５の表示）に戻す。
【０６９２】
また制御部２０は、指が停止すると、強調表示するジャケット画像３７やジャンルアイコン３６を変更しないようにして、当該ジャケット画像３７の強調表示や、ジャンルアイコン３６の強調表示をそのまま継続する。
【０６９３】
さらに制御部２０は、このようにジャンル一覧画像３５を表示した場合、上述のサムネイル一覧画像６０を表示した場合と同様に、指の移動に応じて、当該ジャンル一覧画像３５を上方向や下方向へスクロールすることができる。
【０６９４】
さらにまた制御部２０は、この際、複数の指で近接操作が行われていると、上述のサムネイル一覧画像６０を表示した場合と同様に、指の間隔の変化に応じて、ジャンル一覧画像３５を拡大して表示し、また縮小して表示することができる。
【０６９５】
そして制御部２０は、このようにジャンル一覧画像３５を拡大し、また縮小したときには、上述のサムネイル一覧画像６０を表示した場合と同様に、指の移動に応じて、そのジャンル一覧画像３５を上下左右にスクロールすることもできる。
【０６９６】
さらに制御部２０は、ジャンル一覧画像３５をスクロールし、また拡大縮小したときには、選択ジャンル判別情報及び再生曲判別情報の内容を変更する。
【０６９７】
これにより制御部２０は、ジャケット画像３７及びジャンルアイコン３６の配置位置が変位し、また大きさが変化しても、指が重なったジャケット画像３７やジャンルアイコン３６を検出して強調表示及び拡大表示することができる。
【０６９８】
このように制御部２０は、近接操作に応じてジャンル一覧画像３５を表示した場合も、上述のサムネイル一覧画像６０を表示した場合と同様に、当該ジャンル一覧画像３５の表示状態を同様に変更することができる。
【０６９９】
また制御部２０は、アーティスト一覧画像３８を表示すると、当該アーティスト一覧画像３８内の複数のジャケット画像４０のうち、判別時点再生対象データのアーティストに対応するジャケット画像４０を上述と同様に強調表示する。
【０７００】
この際、制御部２０は、図９について上述した場合と同様に、選択アーティスト判別情報をＲＡＭ２２に記憶する。
【０７０１】
また制御部２２は、アーティストアイコン３９の配置領域の位置を画素位置の座標で示す配置領域情報と、当該アーティストアイコン３９が示すアーティストの複数の音楽データを順番に再生する再生命令とを対応付けて再生曲判別情報としてＲＡＭ２２に記憶する。
【０７０２】
さらに制御部２０は、上述のサムネイル一覧画像６０を表示した場合と同様に、このとき検出している１又は複数の近接領域の中で、注目領域を設定する。
【０７０３】
さらに制御部２０は、この際、上述のサムネイル一覧画像６０を表示した場合と同様に、第１操作面に近接している１又は複数の指の移動軌跡を検出すると共に、当該検出した移動軌跡に基づき、１又は複数の指が所望の方向に移動したか否かを判断する。
【０７０４】
その結果、制御部２０は、１又は複数の指が所望の方向に移動したと判断すると、その移動の間、注目領域（人指し指）が重なったジャケット画像４０の表示領域やアーティストアイコン３９の配置領域を検出する。
【０７０５】
そして制御部２０は、注目領域（人指し指）がジャケット画像４０の表示領域に重なった場合、そのジャケット画像４０を強調表示する。
【０７０６】
このとき制御部２０は、第１液晶パネル１４Ａの表示はそのままに、第２液晶パネル１５Ａに、その強調表示しているジャケット画像４０を拡大して表示する。
【０７０７】
また制御部２０は、注目領域（人指し指）がアーティストアイコン３９の配置領域に重なった場合、そのアーティストアイコン３９を強調表示する。
【０７０８】
このとき制御部２０は、第１液晶パネル１４Ａの表示はそのままに、第２液晶パネル１５Ａに、その強調表示しているアーティストアイコン３９を拡大して表示する。
【０７０９】
このようにして制御部２０は、指が移動している間、強調表示するジャケット画像４０やアーティストアイコン３９を適宜変更する。
【０７１０】
因みに、制御部２０は、指が停止すると、第２液晶パネル１５Ａに対し、ジャケット画像４０やアーティストアイコン３９の拡大表示を終了して、元の表示（アーティスト一覧画像３８の表示）に戻す。
【０７１１】
また制御部２０は、指が停止すると、強調表示するジャケット画像４０やアーティストアイコン３９を変更しないようにして、当該ジャケット画像４０の強調表示や、アーティストアイコン３９の強調表示をそのまま継続する。
【０７１２】
さらに制御部２０は、このようにアーティスト一覧画像３８を表示した場合、上述のサムネイル一覧画像６０を表示した場合と同様に、指の移動に応じて、当該アーティスト一覧画像３８を上方向や下方向へスクロールすることができる。
【０７１３】
さらにまた制御部２０は、この際、複数の指で近接操作が行われていると、上述のサムネイル一覧画像６０を表示した場合と同様に、指の間隔の変化に応じて、アーティスト一覧画像３８を拡大して表示し、また縮小して表示することができる。
【０７１４】
そして制御部２０は、このようにアーティスト一覧画像３８を拡大し、また縮小したときには、上述のサムネイル一覧画像６０を表示した場合と同様に、指の移動に応じて、そのアーティスト一覧画像３８を上下左右にスクロールすることもできる。
【０７１５】
さらに制御部２０は、アーティスト一覧画像３８をスクロールし、また拡大縮小したときには、選択アーティスト判別情報及び再生曲判別情報の内容を変更する。
【０７１６】
これにより制御部２０は、ジャケット画像４０及びアーティストアイコン３９の配置位置が変位し、また大きさが変化しても、指が重なったジャケット画像４０やアーティストアイコン３９を検出して強調表示及び拡大表示することができる。
【０７１７】
このように制御部２０は、近接操作に応じてアーティスト一覧画像３８を表示した場合も、上述のサムネイル一覧画像６０を表示した場合と同様に、当該アーティスト一覧画像３８の表示状態を同様に変更することができる。
【０７１８】
さらに制御部２０は、アルバム一覧画像４１を表示すると、当該アルバム一覧画像４１内の複数のジャケット画像４３のうち、判別時点再生対象データが収録されたアルバムのジャケット画像４３を上述と同様に強調表示する。
【０７１９】
この際、制御部２０は、図１０について上述した場合と同様に、選択アルバム判別情報をＲＡＭ２２に記憶する。
【０７２０】
また制御部２２は、アルバムアイコン４２の配置領域の位置を画素位置の座標で示す配置領域情報と、当該アルバムアイコン４２が示すアルバム内の複数の音楽データを順番に再生する再生命令とを対応付けて再生曲判別情報としてＲＡＭ２２に記憶する。
【０７２１】
さらに制御部２０は、上述のサムネイル一覧画像６０を表示した場合と同様に、このとき検出している１又は複数の近接領域の中で、注目領域を設定する。
【０７２２】
さらに制御部２０は、この際、上述のサムネイル一覧画像６０を表示した場合と同様に、第１操作面に近接している１又は複数の指の移動軌跡を検出すると共に、当該検出した移動軌跡に基づき、１又は複数の指が所望の方向に移動したか否かを判断する。
【０７２３】
その結果、制御部２０は、１又は複数の指が所望の方向に移動したと判断すると、その移動の間、注目領域（人指し指）が重なったジャケット画像４３の表示領域やアルバムアイコン４２の配置領域を検出する。
【０７２４】
そして制御部２０は、注目領域（人指し指）がジャケット画像４３の表示領域に重なった場合、そのジャケット画像４３を強調表示する。
【０７２５】
このとき制御部２０は、第１液晶パネル１４Ａの表示はそのままに、第２液晶パネル１５Ａに、その強調表示しているジャケット画像４３を拡大して表示する。
【０７２６】
また制御部２０は、注目領域（人指し指）がアルバムアイコン４２の配置領域に重なった場合、そのアルバムアイコン４２を強調表示する。
【０７２７】
このとき制御部２０は、第１液晶パネル１４Ａの表示はそのままに、第２液晶パネル１５Ａに、その強調表示しているアルバムアイコン４２を拡大して表示する。
【０７２８】
このようにして制御部２０は、指が移動している間、強調表示するジャケット画像４３やアルバムアイコン４２を適宜変更する。
【０７２９】
因みに、制御部２０は、指が停止すると、第２液晶パネル１５Ａに対し、ジャケット画像４３やアルバムアイコン４２の拡大表示を終了して、元の表示（アルバム一覧画像４１の表示）に戻す。
【０７３０】
また制御部２０は、指が停止すると、強調表示するジャケット画像４３やアルバムアイコン４２を変更しないようにして、当該ジャケット画像４３の強調表示や、アルバムアイコン４２の強調表示をそのまま継続する。
【０７３１】
さらに制御部２０は、このようにアルバム一覧画像４１を表示した場合、上述のサムネイル一覧画像６０を表示した場合と同様に、指の移動に応じて、当該アルバム一覧画像４１を上方向や下方向へスクロールすることができる。
【０７３２】
さらにまた制御部２０は、この際、複数の指で近接操作が行われていると、上述のサムネイル一覧画像６０を表示した場合と同様に、指の間隔の変化に応じて、アルバム一覧画像４１を拡大して表示し、また縮小して表示することができる。
【０７３３】
そして制御部２０は、このようにアルバム一覧画像４１を拡大し、また縮小したときには、上述のサムネイル一覧画像６０を表示した場合と同様に、指の移動に応じて、そのアルバム一覧画像４１を上下左右にスクロールすることもできる。
【０７３４】
さらに制御部２０は、アルバム一覧画像４１をスクロールし、また拡大縮小したときには、選択アルバム判別情報及び再生曲判別情報の内容を変更する。
【０７３５】
これにより制御部２０は、ジャケット画像４３及びアルバムアイコン４２の配置位置が変位し、また大きさが変化しても、指が重なったジャケット画像４３やアルバムアイコン４２を検出して強調表示及び拡大表示することができる。
【０７３６】
このように制御部２０は、近接操作に応じてアルバム一覧画像４１を表示した場合も、上述のサムネイル一覧画像６０を表示した場合と同様に、当該アルバム一覧画像４１の表示状態を同様に変更することができる。
【０７３７】
ところで、制御部２０は、ジャンル一覧画像３５やアーティスト一覧画像３８、アルバム一覧画像４１を表示した場合も、上述の曲一覧画像４４を表示した場合と同様に、移動軌跡に基づき、１又は複数の指が往復移動したか否かを検出する。
【０７３８】
その結果、制御部２０は、例えば、ジャンル一覧画像３５を表示した状態で、１又は複数の指が２往復や３往復するように往復移動したことを検出すると、上述と同様に往復回数に対応するアーティスト一覧画像３８、アルバム一覧画像４１に表示を切り替える。
【０７３９】
また制御部２０は、例えば、アーティスト一覧画像３８を表示した状態で、１又は複数の指が１往復や３往復するように往復移動したことを検出すると、上述と同様に往復回数に対応するジャンル一覧画像３５、アルバム一覧画像４１に表示を切り替える。
【０７４０】
さらに制御部２０は、例えば、アルバム一覧画像４１を表示した状態で、１又は複数の指が１往復や２往復するように往復移動したことを検出すると、上述と同様に往復回数に対応するジャンル一覧画像３５、アーティスト一覧画像３８に表示を切り替える。
【０７４１】
ただし、制御部２０は、ジャンル一覧画像３５を表示した場合、例えば、１又は複数の指がすばやく４往復するように往復移動したことを検出すると、曲一覧画像４４の表示が指示されたと認識する。
【０７４２】
また制御部２０は、アーティスト一覧画像３８を表示した場合も、例えば、１又は複数の指がすばやく４往復するように往復移動したことを検出すると、曲一覧画像４４の表示が指示されたと認識する。
【０７４３】
さらに制御部２０は、アルバム一覧画像４１を表示した場合も、例えば、１又は複数の指がすばやく４往復するように往復移動したことを検出すると、曲一覧画像４４の表示が指示されたと認識する。
【０７４４】
そして制御部２０は、このように曲一覧画像４４の表示が指示されたと認識すると、第２液晶パネル１５Ａから第１液晶パネル１４Ａに亘りジャンル一覧画像３５やアーティスト一覧画像３８、アルバム一覧画像４１に替えて曲一覧画像４４を再び表示する。
【０７４５】
このように制御部２０は、アルバム一覧画像４１、アーティスト一覧画像３８、ジャンル一覧画像３５を表示しても、ジャンル一覧画像３５、アーティスト一覧画像３８、アルバム一覧画像４１、曲一覧画像４４を任意に選択させて表示を切り替えることができる。
【０７４６】
そして制御部２０は、ジャンル一覧画像３５、アーティスト一覧画像３８、アルバム一覧画像４１、曲一覧画像４４の何れを表示した場合（これらの拡大表示や縮小表示も含む）でも、近接操作に連続してタップ操作が行われると、タップ指示位置を検出する。
【０７４７】
この際、制御部２０は、例えば、ジャンル一覧画像３５を表示していると、そのタップ指示位置を、複数のジャケット画像３７の表示領域、及び複数のジャンルアイコン３６の配置領域と順次比較する。
【０７４８】
その結果、制御部２０は、これら複数の表示領域の中からタップ指示位置を含む表示領域を検出すると、図８について上述した場合と同様に、その検出した表示領域に基づき、タップ操作によって選択されたジャンル名及びジャケット画像３７を判別する。
【０７４９】
また制御部２０は、図８について上述した場合と同様に、その判別したジャンル名及びジャケット画像３７に基づき、新たなアーティスト一覧画像の画像データを生成する。
【０７５０】
さらに制御部２０は、第２液晶パネル１５Ａから第１液晶パネル１４Ａに亘るジャンル一覧画像３５の表示を終了すると共に、当該第１液晶パネル１４Ａから第２液晶パネル１５Ａに亘り、その画像データに基づく新たなアーティスト一覧画像を表示する。
【０７５１】
このようにして制御部２０は、近接操作が行われて第２液晶パネル１５Ａから第１液晶パネル１４Ａに亘りジャンル一覧画像３５を表示した場合、そのジャンル一覧画像３５上で、所望のジャンルをジャケット画像３７として選択させることができる。
【０７５２】
そして制御部２０は、近接操作に連続したタップ操作に応じて新たなアーティスト一覧画像を表示すると、その近接操作が終了したと判別して、全ての指が第１操作面から近接検出距離範囲を越えて遠ざけられても、そのアーティスト一覧画像を表示したままにする。
【０７５３】
これに対し制御部２０は、ジャンル一覧画像３５を表示している状態で、複数の配置領域の中からタップ指示位置を含む配置領域を検出すると、上述と同様に、その検出した配置領域に基づき、タップ操作で指示されたジャンルアイコン３６を検出する。
【０７５４】
さらに制御部２０は、不揮発性メモリ２１から、その指示されたジャンルアイコン３６が示すジャンルの複数の音楽データを順次読み出して再生部２４により再生処理する。
【０７５５】
これに加え制御部２０は、第２液晶パネル１５Ａから第１液晶パネル１４Ａに亘るジャンル一覧画像３５の表示を終了すると共に、当該第１液晶パネル１４Ａから第２液晶パネル１５Ａに亘り、再生中の音楽データを示す再生画像を表示する。
【０７５６】
このように制御部２０は、近接操作に応じてジャンル一覧画像３５を表示すると、ジャンル一覧画像３５上で所望のジャンルを、音楽データの再生指示が可能なジャンルアイコン３６としても選択させることができる。
【０７５７】
そして制御部２０は、近接操作に連続したタップ操作に応じて新たな再生画像を表示すると、その近接操作が終了したと判別して、全ての指が第１操作面から近接検出距離範囲を越えて遠ざけられても、その再生画像を表示したままにする。
【０７５８】
また制御部２０は、例えば、アーティスト一覧画像３８を表示していると、そのタップ指示位置を、複数のジャケット画像４０の表示領域、及び複数のアーティストアイコン３９の配置領域と順次比較する。
【０７５９】
その結果、制御部２０は、これら複数の表示領域の中からタップ指示位置を含む表示領域を検出すると、図９について上述した場合と同様に、その検出した表示領域に基づき、タップ操作によって選択されたアーティスト名及びジャケット画像４０を判別する。
【０７６０】
また制御部２０は、図９について上述した場合と同様に、その判別したアーティスト名及びジャケット画像４０に基づき、新たなアルバム一覧画像の画像データを生成する。
【０７６１】
そして制御部２０は、第２液晶パネル１５Ａから第１液晶パネル１４Ａに亘るアーティスト一覧画像３８の表示を終了すると共に、当該第１液晶パネル１４Ａから第２液晶パネル１５Ａに亘り、その画像データに基づく新たなアルバム一覧画像を表示する。
【０７６２】
このようにして制御部２０は、近接操作が行われて第２液晶パネル１５Ａから第１液晶パネル１４Ａに亘りアーティスト一覧画像３８を表示した場合、そのアーティスト一覧画像３８上で、所望のアーティストをジャケット画像４０として選択させることができる。
【０７６３】
そして制御部２０は、近接操作に連続したタップ操作に応じて新たなアルバム一覧画像を表示すると、その近接操作が終了したと判別して、全ての指が第１操作面から近接検出距離範囲を越えて遠ざけられても、そのアルバム一覧画像を表示したままにする。
【０７６４】
これに対し制御部２０は、アーティスト一覧画像３８を表示している状態で、複数の配置領域の中からタップ指示位置を含む配置領域を検出すると、上述と同様に、その検出した配置領域に基づき、タップ操作で指示されたアーティストアイコン３９を検出する。
【０７６５】
さらに制御部２０は、不揮発性メモリ２１から、その指示されたアーティストアイコン３９が示すアーティストの複数の音楽データを順次読み出して再生部２４により再生処理する。
【０７６６】
これに加え制御部２０は、第２液晶パネル１５Ａから第１液晶パネル１４Ａに亘るアーティスト一覧画像３８の表示を終了すると共に、当該第１液晶パネル１４Ａから第２液晶パネル１５Ａに亘り、再生中の音楽データを示す再生画像を表示する。
【０７６７】
このようにして制御部２０は、近接操作に応じてアーティスト一覧画像３８を表示すると、そのアーティスト一覧画像３８上で所望のアーティストを、音楽データの再生指示が可能なアーティストアイコン３９としても選択させることができる。
【０７６８】
そして制御部２０は、近接操作に連続したタップ操作に応じて新たな再生画像を表示すると、その近接操作が終了したと判別して、全ての指が第１操作面から近接検出距離範囲を越えて遠ざけられても、その再生画像を表示したままにする。
【０７６９】
また制御部２０は、例えば、アルバム一覧画像４１を表示していると、そのタップ指示位置を、複数のジャケット画像４３の表示領域、及び複数のアルバムアイコン４２の配置領域と順次比較する。
【０７７０】
その結果、制御部２０は、複数の表示領域の中からタップ指示位置を含む表示領域を検出すると、図１０について上述した場合と同様に、その検出した表示領域に基づき、タップ操作によって選択されたアルバムタイトル及びジャケット画像４３を判別する。
【０７７１】
また制御部２０は、図１０について上述した場合と同様に、その判別したアルバムタイトル及びジャケット画像４３に基づき、新たな曲一覧画像の画像データを生成する。
【０７７２】
そして制御部２０は、第２液晶パネル１５Ａから第１液晶パネル１４Ａに亘るアルバム一覧画像４１の表示を終了すると共に、当該第１液晶パネル１４Ａから第２液晶パネル１５Ａに亘り、その画像データに基づく新たな曲一覧画像を表示する。
【０７７３】
このようにして制御部２０は、近接操作が行われて第２液晶パネル１５Ａから第１液晶パネル１４Ａに亘りアルバム一覧画像４１を表示した場合、そのアルバム一覧画像４１上で、所望のアルバムをジャケット画像４３として選択させることができる。
【０７７４】
そして制御部２０は、近接操作に連続したタップ操作に応じて新たな曲一覧画像を表示すると、その近接操作が終了したと判別して、全ての指が第１操作面から近接検出距離範囲を越えて遠ざけられても、その曲一覧画像を表示したままにする。
【０７７５】
これに対し制御部２０は、アルバム一覧画像４１を表示している状態で、複数の配置領域の中からタップ指示位置を含む配置領域を検出すると、上述と同様に、その検出した配置領域に基づき、タップ操作で指示されたアルバムアイコン４２を検出する。
【０７７６】
さらに制御部２０は、不揮発性メモリ２１から、その指示されたアルバムアイコン４２が示すアルバムの複数の音楽データを順次読み出して再生部２４により再生処理する。
【０７７７】
これに加え制御部２０は、第２液晶パネル１５Ａから第１液晶パネル１４Ａに亘るアルバム一覧画像４１の表示を終了すると共に、当該第１液晶パネル１４Ａから第２液晶パネル１５Ａに亘り、再生中の音楽データを示す再生画像を表示する。
【０７７８】
このようにして制御部２０は、近接操作に応じてアルバム一覧画像４１を表示すると、そのアルバム一覧画像４１上で所望のアルバムを、音楽データの再生指示が可能なアルバムアイコン４２としても選択させることができる。
【０７７９】
そして制御部２０は、近接操作に連続したタップ操作に応じて新たな再生画像を表示すると、その近接操作が終了したと判別して、全ての指が第１操作面から近接検出距離範囲を越えて遠ざけられても、その再生画像を表示したままにする。
【０７８０】
また制御部２０は、例えば、曲一覧画像４４を表示していると、そのタップ指示位置を、複数の曲アイコン４５の配置領域と順次比較する。
【０７８１】
その結果、制御部２０は、複数の配置領域の中からタップ指示位置を含む配置領域を検出すると、上述と同様に、その検出した配置領域に基づき、タップ操作で指示された曲アイコン４５を検出する。
【０７８２】
さらに制御部２０は、不揮発性メモリ２１から、その指示された曲アイコン４５が示す曲タイトルの音楽データを読み出して再生部２４により再生処理する。
【０７８３】
これに加え制御部２０は、第２液晶パネル１５Ａから第１液晶パネル１４Ａに亘る曲一覧画像４４の表示を終了すると共に、当該第１液晶パネル１４Ａから第２液晶パネル１５Ａに亘り、再生中の音楽データを示す再生画像を表示する。
【０７８４】
このようにして制御部２０は、近接操作に応じて第２液晶パネル１５Ａから第１液晶パネル１４Ａに亘り曲一覧画像４４を表示すると、その曲一覧画像４４上で所望の音楽（曲）を、音楽データの再生指示が可能な曲アイコン４５として選択させることができる。
【０７８５】
そして制御部２０は、近接操作に連続したタップ操作に応じて新たな再生画像を表示すると、その近接操作が終了したと判別して、全ての指が第１操作面から近接検出距離範囲を越えて遠ざけられても、その再生画像を表示したままにする。
【０７８６】
このように制御部２０は、近接操作に連続して第１操作面に対しタップ操作が行われると、第２液晶パネル１５Ａから第１液晶パネル１４Ａに亘り新たなアーティスト一覧画像やアルバム一覧画像、曲一覧画像、再生画像を表示して近接操作を終了させる。
【０７８７】
ところで、制御部２０は、近接操作が行われても、タップ操作で所望のジャケット画像３７、４０、４３が選択される前に、第１操作面から、これに近接していた全ての指が近接検出距離範囲を越えて遠ざけられると、近接操作が終了したと判別する。
【０７８８】
また制御部２０は、近接操作が行われても、タップ操作で所望のジャンルアイコン３６やアーティストアイコン３９が選択される前に、第１操作面から、これに近接していた全ての指が近接検出距離範囲を越えて遠ざけられると、近接操作が終了したと判別する。
【０７８９】
さらに制御部２０は、近接操作が行われても、タップ操作で所望のアルバムアイコン４２や曲アイコン４５が選択される前に、第１操作面から、これに近接していた全ての指が近接検出距離範囲を越えて遠ざけられると、近接操作が終了したと判別する。
【０７９０】
すなわち制御部２０は、近接操作に応じてジャンル一覧画像３５やアーティスト一覧画像３８を表示しても、ジャケット画像３７、４０、４３や曲アイコン４５等の指示が見送られると、第１操作面から指を遠ざけさせるだけで、近接操作を終了させることができる。
【０７９１】
そして制御部２０は、第１操作面から指が遠ざかり近接操作が終了したと判別すると、この際、第２液晶パネル１５Ａから第１液晶パネル１４Ａに亘るジャンル一覧画像３５、アーティスト一覧画像３８、アルバム一覧画像４１、曲一覧画像４４の表示を終了する。
【０７９２】
また制御部２０は、この際、第２液晶パネル１５Ａから第１液晶パネル１４Ａに亘り、近接操作が行われる直前に表示していた再生画像４６を再び表示する。
【０７９３】
すなわち、制御部２０は、このように第１操作面から指が遠ざかり近接操作が終了したと判別すると、この際には第２液晶パネル１５Ａから第１液晶パネル１４Ａに亘る表示を、近接操作が行われる前の表示（元の表示）に戻す。
【０７９４】
これに加え制御部２０は、例えば、近接操作の間、複数の指のうち何れかの指が第１操作面の外側にまで移動して一部の近接領域を検出し得なくなっても、当該複数の指のうち１本以上の指の近接領域を検出し続けていると、近接操作が継続されていると判断する。
【０７９５】
よって制御部２０は、例えば、近接操作においてスクロールを指示するとき等に、複数の指の一部が第１操作面の外側にまで移動しても、その近接操作が無駄に中断することを回避して、近接操作を行わせ続けて所望の立上画像を選択させることができる。
【０７９６】
ところで、制御部２０は、領域検出処理において、第２タッチパネル１５Ｂからパネル出力信号を取得して近接領域を重心位置と共に検出したときも、第１操作面に対し近接操作が行われた場合と同様に第２操作面に対し近接操作が行われたか否かを検出する。
【０７９７】
これにより制御部２０は、第２操作面に対し近接操作が行われたことを検出すると、上述と同様にサムネイル一覧画像６０を表示し、またジャンル一覧画像３５、アーティスト一覧画像３８、アルバム一覧画像４１、曲一覧画像４４を適宜表示する。
【０７９８】
また制御部２０は、第２操作面に対し行われた近接操作に応じて、サムネイル一覧画像６０やジャンル一覧画像３５、アーティスト一覧画像３８、アルバム一覧画像４１、曲一覧画像４４の表示状態を適宜変更する。
【０７９９】
因みに、制御部２０は、第２操作面に対し近接操作が行われた場合、指の移動に応じて強調表示したサムネイル６１やジャケット画像３７、４０、４３等を、第１液晶パネル１４Ａに拡大表示する。
【０８００】
そして制御部２０は、近接操作に連続して第２操作面上でタップ操作が行われると、タップ指示位置を検出する。この際、制御部２０は、上述と同様にタップ指示位置に応じて第２液晶パネル１５Ａから第１液晶パネル１４Ａに亘り、そのタップ操作で指示されたサムネイル６１が示す立上画像を表示する。
【０８０１】
また制御部２０は、上述と同様に、第２液晶パネル１５Ａから第１液晶パネル１４Ａに亘り、タップ操作で指示されたジャケット画像３７、４０、４３に対応する新たなアーティスト一覧画像、アルバム一覧画像、曲一覧画像を表示する。
【０８０２】
さらに制御部２０は、上述と同様に、第２液晶パネル１５Ａから第１液晶パネル１４Ａに亘り、タップ操作で指示されたジャンルアイコン３６、アーティストアイコン３９、アルバムアイコン４２、曲アイコン４５に対応する新たな再生画像を表示する。
【０８０３】
このように制御部２０は、近接操作に連続して、第２操作面に近接していた指でタップ操作が行われて、立上画像や新たなアーティスト一覧画像、アルバム一覧画像、曲一覧画、再生画像を表示すると、その近接操作が終了したと判別する。
【０８０４】
そして制御部２０は、近接操作が終了したと判別すると、全ての指が第２操作面から近接検出距離範囲を越えて遠ざけられても、その立上画像や新たなアーティスト一覧画像、アルバム一覧画像、曲一覧画、再生画像を表示したままにする。
【０８０５】
すなわち、制御部２０は、第２操作面に対し近接操作に連続してタップ操作が行われると、第２液晶パネル１５Ａから第１液晶パネル１４Ａに亘り立上画像や新たなアーティスト一覧画像、アルバム一覧画像、曲一覧画、再生画像を表示して近接操作を終了させる。
【０８０６】
ところで、制御部２０は、近接操作が行われても、タップ操作で所望のサムネイル６１やジャケット画像３７、４０、４３等が選択される前に、第２操作面から全ての指が近接検出距離範囲を越えて遠ざけられると、このときも近接操作が終了したと判別する。
【０８０７】
すなわち制御部２０は、第２操作面に対し近接操作が行われた場合も、サムネイル６１やジャケット画像３７、４０、４３等の指示が見送られると、第２操作面から指を遠ざけさせるだけで、その近接操作を容易に終了させることができる。
【０８０８】
そして制御部２０は、第２操作面から指が遠ざかり近接操作が終了したと判別すると、この際、第２液晶パネル１５Ａから第１液晶パネル１４Ａに亘るサムネイル一覧画像６０やジャンル一覧画像３５、アーティスト一覧画像３８等の表示を終了する。
【０８０９】
また制御部２０は、この際、第２液晶パネル１５Ａから第１液晶パネル１４Ａに亘る表示を、近接操作が行われる前の状態に戻す。
【０８１０】
これに加え制御部２０は、例えば、近接操作の間、複数の指のうち何れかの指が第２操作面の外側にまで移動して一部の近接領域を検出し得なくなっても、当該複数の指のうち１本以上の指の近接領域を検出し続けていると、近接操作が継続されていると判断する。
【０８１１】
よって制御部２０は、例えば、近接操作においてスクロールを指示するとき等に、複数の指の一部が第２操作面の外側にまで移動しても、その近接操作が無駄に中断することを回避して、近接操作を行わせ続けて所望の立上画像等を選択させることができる。
【０８１２】
［１−２−４．表示制御処理手順］
次いで、図４２及び図４３を用いて、制御部２０が、少なくとも１個以上の立上画像の表示を待機させている場合に実行する第１表示制御処理手順ＲＴ１について説明する。
【０８１３】
また、引き続き図４４及び図４５を用いて、制御部２０が、再生画像４６を表示した場合に実行する第２表示制御処理手順ＲＴ２についても説明する。
【０８１４】
まず制御部２０は、例えば、少なくとも１個の立上画像の表示を待機させると、不揮発性メモリ２１に予め記憶された表示制御プログラムに従い、図４２及び図４３に示す第１表示制御処理手順ＲＴ１を開始する。
【０８１５】
制御部２０は、第１表示制御処理手順ＲＴ１を開始すると、定期的な領域検出処理を実行しながら、ステップＳＰ１において第１タッチパネル１４Ｂの第１操作面や第２タッチパネル１５Ｂの第２操作面において近接領域を検出したか否かを判別する。
【０８１６】
ステップＳＰ１において否定結果が得られると、このことは第１操作面及び第２操作面の何れにも指が近接していないことを表している。ステップＳＰ１において制御部２０は、かかる否定結果を得ると、次のステップＳＰ２に移る。
【０８１７】
ステップＳＰ２において制御部２０は、第１タッチパネル１４Ｂの第１操作面や第２タッチパネル１５Ｂの第２操作面において接触領域を検出したか否かを判別する。
【０８１８】
このステップＳＰ２において否定結果が得られると、このことは第１操作面及び第２操作面の何れにも指が接触していないことを表している。ステップＳＰ２において制御部２０は、かかる否定結果を得ると、次のステップＳＰ３に移る。
【０８１９】
ステップＳＰ３において制御部２０は、第１表示制御処理手順ＲＴ１を終了するか否かを判別する。このステップＳＰ３において否定結果が得られると、このことは例えば、全ての立上画像を閉じる（すなわち、ＲＡＭ２２から立上画像の画像データを消去する）ように指示されておらず、まだ立上画像を表示する可能性があることを表している。ステップＳＰ３において制御部２０は、かかる否定結果を得ると、ステップＳＰ１に戻る。
【０８２０】
よって制御部２０は、この後、ステップＳＰ１乃至ステップＳＰ３の何れかにおいて肯定結果を得るまでの間、当該ステップＳＰ１乃至ステップＳＰ３の処理を繰り返し実行する。
【０８２１】
これにより制御部２０は、第１タッチパネル１４Ｂの第１操作面や第２タッチパネル１５Ｂの第２操作面に指が近接することや接触すること、また全ての立上画像を閉じるように指示されることを待ち受ける。
【０８２２】
ところで、ステップＳＰ２において肯定結果が得られると、このことは第１タッチパネル１４Ｂの第１操作面や第２タッチパネル１５Ｂの第２操作面に指が接触して、タッチ操作が行われた可能性があることを表している。ステップＳＰ２において制御部２０は、かかる肯定結果を得ると、次のステップＳＰ４に移る。
【０８２３】
ステップＳＰ４において制御部２０は、第１操作面や第２操作面に対しタッチ操作が行われているか否かを判別する。
【０８２４】
このステップＳＰ４において否定結果が得られると、このことは例えば、第１操作面又は第２操作面において複数箇所に指が接触しており、タッチ操作としてのタップ操作、フリック操作、摺動操作の何れも行われていないことを表している。ステップＳＰ４において制御部２０は、かかる否定結果を得ると、ステップＳＰ３に戻る。
【０８２５】
これに対しステップＳＰ４において肯定結果が得られると、このことは第１操作面又は第２操作面の１箇所に指が接触してタッチ操作（タップ操作、フリック操作、摺動操作の何れか）が行われていることを表している。ステップＳＰ４において制御部２０は、かかる肯定結果を得ると、次のステップＳＰ５に移る。
【０８２６】
よってステップＳＰ５において制御部２０は、タッチ操作により指示された処理として、新たな画像の表示や、表示中の画像のスクロール、全ての立上画像の表示の待機等のような処理を実行した後、ステップＳＰ３に戻る。
【０８２７】
ところで、上述のステップＳＰ１において肯定結果が得られると、このことは第１タッチパネル１４Ｂの第１操作面及び第２タッチパネル１５Ｂの第２操作面の一方に指が近接したことを表している。
【０８２８】
ステップＳＰ１において制御部２０は、かかる肯定結果を得ると、近接時間の計時を開始すると共に、近接領域の重心位置をもとに近接操作判別範囲を設定して、次のステップＳＰ６に移る。
【０８２９】
ステップＳＰ６において制御部２０は、近接領域の重心位置が近接操作判別範囲内に留まったまま、近接時間が近接操作判別時間に達したか否かを判別する。
【０８３０】
このステップＳＰ６において否定結果が得られると、このことは、このとき第１操作面や第２操作面に指が誤って近づいていたことや、第１操作面や第２操作面に指を接触させるために近づけられていたことを表している。ステップＳＰ６において制御部２０は、かかる否定結果を得ると、ステップＳＰ２に戻る。
【０８３１】
これに対しステップＳＰ６において肯定結果が得られると、このことは、このとき第１操作面や第２操作面に、近接操作を行うために１又は複数の指が近接されていたことを表している。ステップＳＰ６において制御部２０は、かかる肯定結果を得ると、次のステップＳＰ７に移る。
【０８３２】
よってステップＳＰ７において制御部２０は、このとき立ち上げている全ての立上画像に基づき、その立上画像を示すサムネイル６１をマトリクス状に配置して一覧表示するためのサムネイル一覧画像６０を生成する。
【０８３３】
また制御部２０は、第１液晶パネル１４Ａから第２液晶パネル１５Ａに亘り、そのサムネイル一覧画像６０を表示して、次のステップＳＰ８に移る。
【０８３４】
ステップＳＰ８において制御部２０は、第１液晶パネル１４Ａ及び第２液晶パネル１５Ａにサムネイル一覧画像６０を表示する直前に、当該第１液晶パネル１４Ａ及び第２液晶パネル１５Ａの少なくとも一方に立上画像を表示していたか否かを判別する。
【０８３５】
このステップＳＰ８において肯定結果が得られると、このことは、このとき第１液晶パネル１４Ａ及び第２液晶パネル１５Ａの少なくとも一方に立上画像を表示した状態で近接操作が行われたことを表している。ステップＳＰ８において制御部２０は、かかる肯定結果を得ると、次のステップＳＰ９に移る。
【０８３６】
ステップＳＰ９において制御部２０は、表示中のサムネイル一覧画像６０内の複数のサムネイル６１のうち、直前表示立上画像（サムネイル一覧画像６０を表示する直前に表示していた立上画像）を示すサムネイル６１を強調表示して、次のステップＳＰ１０に移る。
【０８３７】
これに対しステップＳＰ８において否定結果が得られると、このことは、このとき全ての立上画像の表示を待機させた状態（第１液晶パネル１４Ａ及び第２液晶パネル１５Ａに何れの立上画像も表示していない状態）で近接操作が行われたことを表している。
【０８３８】
ステップＳＰ８において制御部２０は、かかる否定結果を得ると、ステップＳＰ９の処理を飛ばして（ステップＳＰ９の処理を実行せずに）ステップＳＰ１０に移る。
【０８３９】
ステップＳＰ１０において制御部２０は、１又は複数の近接領域が所望の方向に変位したか否かを判別する。このステップＳＰ１０において肯定結果が得られると、このことは１本又は複数の指が所望の方向に移動したことを表している。ステップＳＰ１０において制御部２０は、かかる肯定結果を得ると、次のステップＳＰ１１に移る。
【０８４０】
ステップＳＰ１１において制御部２０は、強調表示するサムネイル６１を変更するか否かを判別する。このステップＳＰ１１において肯定結果が得られると、このことは指の移動に伴い、まだ強調表示していなかったサムネイル６１に指が重なったことを表している。ステップＳＰ１１において制御部２０は、かかる肯定結果を得ると、次のステップＳＰ１２に移る。
【０８４１】
ステップＳＰ１２において制御部２０は、サムネイル一覧画像６０内で注目領域が重なっているサムネイル６１を強調表示する。
【０８４２】
また制御部２０は、この際、第１液晶パネル１４Ａ及び第２液晶パネル１５Ａの一方に、その強調表示したサムネイル６１を拡大して少なくとも一部を表示し、次のステップＳＰ１３に移る。
【０８４３】
これに対しステップＳＰ１１において否定結果が得られると、このことは指が移動しているものの、これまで強調表示していたサムネイル６１に未だ指が重なっていることを表している。ステップＳＰ１１において制御部２０は、かかる否定結果を得ると、ステップＳＰ１４に移る。
【０８４４】
ステップＳＰ１４において制御部２０は、第１液晶パネル１４Ａ及び第２液晶パネル１５Ａの一方に、これまで強調表示していたサムネイル６１を拡大して少なくとも一部を表示し、次のステップＳＰ１３に移る。
【０８４５】
ステップＳＰ１３において制御部２０は、近接領域が上スクロール指示領域ＳＡ１及び下スクロール指示領域ＳＡ２にかかったか否かを判別する。
【０８４６】
このステップＳＰ１３において肯定結果が得られると、このことは指が上スクロール指示領域ＳＡ１又は下スクロール指示領域ＳＡ２にかかり、上方向又は下方向へのスクロールが指示されたことを表している。このステップＳＰ１３において制御部２０は、かかる肯定結果を得ると、次のステップＳＰ１５に移る。
【０８４７】
ステップＳＰ１５において制御部２０は、サムネイル一覧画像６０を、その指示に応じて上方向又は下方向へスクロールして、次のステップＳＰ１６に移る。
【０８４８】
ステップＳＰ１６において制御部２０は、近接領域が上スクロール指示領域ＳＡ１及び下スクロール指示領域ＳＡ２から外れたか否かを判別する。
【０８４９】
このステップＳＰ１６において否定結果が得られると、このことは指が未だ上スクロール指示領域ＳＡ１又は下スクロール指示領域ＳＡ２にかかっており、上方向又は下方向へのスクロールが指示され続けていることを表している。このステップＳＰ１６において制御部２０は、かかる否定結果を得ると、ステップＳＰ１５に戻る。
【０８５０】
よって制御部２０は、この後、ステップＳＰ１６において肯定結果を得るまでの間、ステップＳＰ１５及びステップＳＰ１６の処理を順次繰り返し実行する。
【０８５１】
これにより制御部２０は、指が上スクロール指示領域ＳＡ１又は下スクロール指示領域ＳＡ２に重なっている間、サムネイル一覧画像６０を上方向又は下方向へスクロールし続ける。
【０８５２】
これに対しステップＳＰ１６において肯定結果が得られると、このことは指が上スクロール指示領域ＳＡ１及び下スクロール指示領域ＳＡ２から外れて、上方向及び下方向へのスクロールの指示が終了したことを表している。このステップＳＰ１６において制御部２０は、かかる肯定結果を得ると、次のステップＳＰ１７に移る。
【０８５３】
またステップＳＰ１３において否定結果が得られると、このことは指が上スクロール指示領域ＳＡ１及び下スクロール指示領域ＳＡ２の何れにもかかっていないため、上方向及び下方向へのスクロールは指示されていないことを表している。
【０８５４】
このステップＳＰ１３において制御部２０は、かかる否定結果を得ると、ステップＳＰ１５及びステップＳＰ１６の処理を飛ばしてステップＳＰ１７に移る。
【０８５５】
一方、上述のステップＳＰ１０において否定結果が得られると、このことは、１又は複数の指がほとんど移動していない、又は複数の指が異なる方向に移動したことを表している。ステップＳＰ１０において制御部２０は、かかる否定結果を得ると、ステップＳＰ１８に移る。
【０８５６】
ステップＳＰ１８において制御部２０は、複数の近接領域の間隔が広がったか否かを判別する。このステップＳＰ１８において肯定結果が得られると、このことは複数の指の間隔が広げられてサムネイル一覧画像６０の拡大が指示されたことを表している。ステップＳＰ１８において制御部２０は、かかる肯定結果を得ると、次のステップＳＰ１９に移る。
【０８５７】
よってステップＳＰ１９において制御部２０は、第２液晶パネル１５Ａから第１液晶パネル１４Ａに亘り、サムネイル一覧画像６０を拡大して表示して、次のステップＳＰ１７に移る。
【０８５８】
因みに、制御部２０は、この際、サムネイル一覧画像６０を拡大しても、拡大直前まで強調表示していたサムネイル６１を拡大直後も、そのまま強調表示する。
【０８５９】
これに対しステップＳＰ１８において否定結果が得られると、このことは１又は複数の指がほとんど移動していない、又は複数の指が互いの間隔を狭めるように移動したことを表している。ステップＳＰ１８において制御部２０は、かかる否定結果を得ると、ステップＳＰ２０に移る。
【０８６０】
ステップＳＰ２０において制御部２０は、複数の近接領域の間隔が狭まったか否かを判別する。このステップＳＰ２０において肯定結果が得られると、このことは複数の指の間隔が狭められてサムネイル一覧画像６０の縮小が指示されたことを表している。ステップＳＰ２０において制御部２０は、かかる肯定結果を得ると、次のステップＳＰ２１に移る。
【０８６１】
よってステップＳＰ２１において制御部２０は、第２液晶パネル１５Ａから第１液晶パネル１４Ａに亘り、サムネイル一覧画像６０を縮小して表示して、次のステップＳＰ１７に移る。
【０８６２】
因みに、制御部２０は、この際、サムネイル一覧画像６０を縮小しても、縮小直前まで強調表示していたサムネイル６１を縮小直後も、そのまま強調表示する。
【０８６３】
これに対しステップＳＰ２０において否定結果が得られると、このことは１又は複数の指がほとんど移動していないことを表している。ステップＳＰ２０において制御部２０は、かかる否定結果を得ると、ステップＳＰ１７に移る。
【０８６４】
ステップＳＰ１７において制御部２０は、接触領域を検出したか否かを判別する。このステップＳＰ１７において否定結果が得られると、このことは、未だサムネイル一覧画像６０内の複数のサムネイル６１が見られていることを表している。ステップＳＰ１７において制御部２０は、かかる否定結果を得ると、ステップＳＰ２２に移る。
【０８６５】
ステップＳＰ２２において制御部２０は、全ての近接領域を検出しなくなったか否かを判別する。このステップＳＰ２２において否定結果が得られると、第１操作面又は第２操作面に未だ１又は複数の指が近接されたままであることを表している。ステップＳＰ２２において制御部２０は、かかる否定結果を得ると、ステップＳＰ１０に戻る。
【０８６６】
よって制御部２０は、この後、ステップＳＰ１７及びステップＳＰ２２において肯定結果を得るまでの間、ステップＳＰ１０乃至ステップＳＰ２２の処理を繰り返し実行する。
【０８６７】
これにより制御部２０は、第１操作面又は第２操作面に対し近接操作が行われ続けている間、その近接操作による種々の指示に応じてサムネイル一覧画像６０の表示状態を適宜変更する。
【０８６８】
因みに、制御部２０は、サムネイル一覧画像６０を本来の表示サイズよりも拡大し又は縮小して表示した状態でステップＳＰ１３に移ると、上述と同様に近接領域が上スクロール指示領域ＳＡ１及び下スクロール指示領域ＳＡ２にかかったか否かを判別する。
【０８６９】
ただし、制御部２０は、この際、近接領域が右スクロール指示領域ＳＡ３及び左スクロール指示領域ＳＡ４にかかったか否かも判別する。
【０８７０】
その結果、制御部２０は、指が上スクロール指示領域ＳＡ１、下スクロール指示領域ＳＡ２、右スクロール指示領域ＳＡ３又は左スクロール指示領域ＳＡ４にかかり、上方向、下方向、右方向又は左方向へのスクロールが指示されると、ステップＳＰ１５に移る。
【０８７１】
よってステップＳＰ１５において制御部２０は、サムネイル一覧画像６０を、その指示に応じて上方向、下方向、右方向又は左方向へスクロールして、次のステップＳＰ１６に移る。
【０８７２】
ステップＳＰ１６において制御部２０は、近接領域が上スクロール指示領域ＳＡ１、下スクロール指示領域ＳＡ２、右スクロール指示領域ＳＡ３及び左スクロール指示領域ＳＡ４の何れからも外れたか否かを判別する。
【０８７３】
そして制御部２０は、指が未だ上スクロール指示領域ＳＡ１、下スクロール指示領域ＳＡ２、右スクロール指示領域ＳＡ３又は左スクロール指示領域ＳＡ４にかかり、上方向、下方向、右方向又は左方向へのスクロールが指示されていると、ステップＳＰ１５に戻る。
【０８７４】
よって制御部２０は、この後、ステップＳＰ１６において肯定結果を得るまでの間、ステップＳＰ１５及びステップＳＰ１６の処理を順次繰り返し実行する。
【０８７５】
これにより制御部２０は、指が上スクロール指示領域ＳＡ１、下スクロール指示領域ＳＡ２、右スクロール指示領域ＳＡ３又は左スクロール指示領域ＳＡ４にかかっている間、サムネイル一覧画像６０を上方向、下方向、右方向又は左方向へスクロールし続ける。
【０８７６】
そして制御部２０は、指が上スクロール指示領域ＳＡ１、下スクロール指示領域ＳＡ２、右スクロール指示領域ＳＡ３及び左スクロール指示領域ＳＡ４の何れからも外れると、ステップＳＰ１７に移る。
【０８７７】
すなわち、制御部２０は、上方向、下方向、右方向及び左方向へのスクロールの指示が終了すると、ステップＳＰ１７に移る。
【０８７８】
因みに、ステップＳＰ１３において否定結果が得られると、このことは指が上スクロール指示領域ＳＡ１及び下スクロール指示領域ＳＡ２の何れにもかかっていないため、上方向及び下方向へのスクロールは指示されていないことを表している。
【０８７９】
またステップＳＰ１３において否定結果が得られると、このことは指が右スクロール指示領域ＳＡ３及び左スクロール指示領域ＳＡ４にもかかっていないため、右方向及び左方向へのスクロールも指示されていないことを表している。
【０８８０】
このステップＳＰ１３において制御部２０は、かかる否定結果を得ると、ステップＳＰ１５及びステップＳＰ１６の処理を飛ばしてステップＳＰ１７に移る。
【０８８１】
一方、上述のステップＳＰ１７において肯定結果が得られると、このことは第１操作面及び第２操作面の一方に指が接触して接触領域を検出したことを表している。ステップＳＰ１７において制御部２０は、かかる肯定結果を得ると、次のステップＳＰ２３に移る。
【０８８２】
ステップＳＰ２３において制御部２０は、このときタップ操作が行われたか否かを判別する。このステップＳＰ２３において肯定結果が得られると、このことは第１操作面及び第２操作面の一方に対し近接操作に引き続きタップ操作が行われて、サムネイル一覧画像６０内の何れかのサムネイル６１が指示されたことを表している。ステップＳＰ２３において制御部２０は、かかる肯定結果を得ると、次のステップＳＰ２４に移る。
【０８８３】
ステップＳＰ２４において制御部２０は、第１液晶パネル１４Ａ及び第２液晶パネル１５Ａに亘るサムネイル一覧画像６０の表示を終了する。
【０８８４】
また制御部２０は、このとき、タップ操作で指示されたサムネイル６１が示す立上画像の表示サイズに応じて、第１液晶パネル１４Ａ及び第２液晶パネル１５Ａの少なくとも一方に当該サムネイル６１が示す立上画像を表示する。そして制御部２０は、このとき行われていた近接操作が終了したと判断して、ステップＳＰ１に戻る。
【０８８５】
ところで、上述のステップＳＰ２３において否定結果が得られると、このことは、例えば、第１操作面及び第２操作面の一方において誤って複数箇所に指が接触し、又は１箇所に指が操作判別時間以上接触していることを表している。ステップＳＰ２３において制御部２０は、かかる否定結果を得ると、ステップＳＰ２２に戻る。
【０８８６】
そしてステップＳＰ２２において肯定結果が得られると、このことは例えば、接触領域を全く検出していない状態で、全ての指が第１操作面及び第２操作面から近接検出距離範囲を越えて遠ざけられ、全ての近接領域を検出しなくなったことを表している。ステップＳＰ２２において制御部２０は、かかる肯定結果を得ると、次のステップＳＰ２５に移る。
【０８８７】
ステップＳＰ２５において制御部２０は、第２液晶パネル１５Ａから第１液晶パネル１４Ａに亘るサムネイル一覧画像６０の表示を終了して、当該第１液晶パネル１４Ａ及び第２液晶パネル１５Ａの表示を近接操作が行われる直前の状態に戻す。そして制御部２０は、このとき行われていた近接操作が終了したと判断して、ステップＳＰ１に戻る。
【０８８８】
因みに、制御部２０は、例えば、近接操作を行っている第１操作面及び第２操作面の一方において上述のように誤って１又は複数の指が接触しても、そのとき少なくとも１個以上の近接領域を検出していると、近接操作が終了したとは判別しないようにしている。
【０８８９】
ただし、制御部２０は、例えば、近接操作を行っている第１操作面及び第２操作面の一方において誤って１又は複数の指が接触し、これに応じて近接領域を１個も検出しなくなると、このときには近接操作が終了したと判別するようにしている。
【０８９０】
よって上述のステップＳＰ２２において制御部２０は、このような設定も加味して、近接操作が終了したか否かを判別している。
【０８９１】
このように制御部２０は、少なくとも１個以上の立上画像の表示を待機させている間は、ステップＳＰ１乃至ステップＳＰ２５の処理を繰り返し実行することで、適宜、サムネイル一覧画像６０を表示して、表示対象の立上画像を選択させることかできる。
【０８９２】
ところで、上述のステップＳＰ３において肯定結果が得られると、このことは例えば、全ての立上画像を閉じる（ＲＡＭ２２から立上画像の画像データを消去する）ように指示されたことを表している。
【０８９３】
ステップＳＰ３において制御部２０は、かかる肯定結果を得ると、ＲＡＭ２２上から全ての立上画像の画像データを消去した後、ステップＳＰ２６に移る。これによりステップＳＰ２６において制御部２０は、第１表示制御処理手順ＲＴ１を終了する。
【０８９４】
一方、制御部２０は、例えば、再生画像４６を表示すると、不揮発性メモリ２１に予め記憶された表示制御プログラムに従い、図４４及び図４５に示す第２表示制御処理手順ＲＴ２を開始する。
【０８９５】
制御部２０は、第２表示制御処理手順ＲＴ２を開始すると、定期的な領域検出処理を実行しながら、ステップＳＰ３１において第１タッチパネル１４Ｂの第１操作面や第２タッチパネル１５Ｂの第２操作面において近接領域を検出したか否かを判別する。
【０８９６】
ステップＳＰ３１において否定結果が得られると、このことは第１操作面及び第２操作面の何れにも指が近接していないことを表している。ステップＳＰ３１において制御部２０は、かかる否定結果を得ると、次のステップＳＰ３２に移る。
【０８９７】
ステップＳＰ３２において制御部２０は、第１タッチパネル１４Ｂの第１操作面や第２タッチパネル１５Ｂの第２操作面において接触領域を検出したか否かを判別する。
【０８９８】
このステップＳＰ３２において否定結果が得られると、このことは第１操作面及び第２操作面の何れにも指が接触していないことを表している。ステップＳＰ３２において制御部２０は、かかる否定結果を得ると、次のステップＳＰ３３に移る。
【０８９９】
ステップＳＰ３３において制御部２０は、第２表示制御処理手順ＲＴ２を終了するか否かを判別する。このステップＳＰ３３において否定結果が得られると、このことは例えば、未だ音楽データの再生を終了するように指示されておらず、再生対象の音楽データが選択し直される可能性があることを表している。ステップＳＰ３３において制御部２０は、かかる否定結果を得ると、ステップＳＰ３１に戻る。
【０９００】
よって制御部２０は、この後、ステップＳＰ３１乃至ステップＳＰ３３の何れかにおいて肯定結果を得るまでの間、当該ステップＳＰ３１乃至ステップＳＰ３３の処理を繰り返し実行する。
【０９０１】
これにより制御部２０は、第１タッチパネル１４Ｂの第１操作面や第２タッチパネル１５Ｂの第２操作面に指が近接することや接触すること、また音楽データの再生を終了するように指示されることを待ち受ける。
【０９０２】
ところで、ステップＳＰ３２において肯定結果が得られると、このことは第１タッチパネル１４Ｂの第１操作面や第２タッチパネル１５Ｂの第２操作面に指が接触して、タッチ操作が行われた可能性があることを表している。ステップＳＰ３２において制御部２０は、かかる肯定結果を得ると、次のステップＳＰ３４に移る。
【０９０３】
ステップＳＰ３４において制御部２０は、第１操作面や第２操作面に対しタッチ操作が行われているか否かを判別する。
【０９０４】
このステップＳＰ３４において否定結果が得られると、このことは例えば、第１操作面又は第２操作面において複数箇所に指が接触しており、タッチ操作（例えば、タップ操作）が行われていないことを表している。ステップＳＰ３４において制御部２０は、かかる否定結果を得ると、ステップＳＰ３３に戻る。
【０９０５】
これに対しステップＳＰ３４において肯定結果が得られると、このことは第１操作面又は第２操作面の１箇所に指が接触してタッチ操作（例えば、タップ操作）が行われたことを表している。ステップＳＰ３４において制御部２０は、かかる肯定結果を得ると、次のステップＳＰ３５に移る。
【０９０６】
よってステップＳＰ３５において制御部２０は、タッチ操作（例えば、タップ操作）により指示された処理として、音楽データの再生開始や再生停止、再生する音楽データを切り替え等のような処理を実行した後、ステップＳＰ３３に戻る。
【０９０７】
ところで、上述のステップＳＰ３１において肯定結果が得られると、このことは第１タッチパネル１４Ｂの第１操作面及び第２タッチパネル１５Ｂの第２操作面の一方に指が近接したことを表している。
【０９０８】
ステップＳＰ３１において制御部２０は、かかる肯定結果を得ると、近接時間の計時を開始すると共に、近接領域の重心位置をもとに近接操作判別範囲を設定して、次のステップＳＰ３６に移る。
【０９０９】
ステップＳＰ３６において制御部２０は、近接領域の重心位置が近接操作判別範囲内に留まったまま、近接時間が近接操作判別時間に達したか否かを判別する。
【０９１０】
このステップＳＰ３６において否定結果が得られると、このことは、このとき第１操作面や第２操作面に指が誤って近づいていたことや、第１操作面や第２操作面に指を接触させるために近づけられていたことを表している。ステップＳＰ３６において制御部２０は、かかる否定結果を得ると、ステップＳＰ３２に戻る。
【０９１１】
これに対しステップＳＰ３６において肯定結果が得られると、このことは、このとき第１操作面や第２操作面に、近接操作を行うために１又は複数の指が近接されていたことを表している。ステップＳＰ３６において制御部２０は、かかる肯定結果を得ると、次のステップＳＰ３７に移る。
【０９１２】
よってステップＳＰ３７において制御部２０は、第１液晶パネル１４Ａから第２液晶パネル１５Ａに亘り再生画像４６に替えて、当該再生画像４６よりも１階層上位の曲一覧画像４４を表示して、次のステップＳＰ３８に移る。
【０９１３】
ステップＳＰ３８において制御部２０は、表示中の曲一覧画像４４内の複数の曲アイコン４５のうち、判別時点再生対象データの曲タイトルを示す曲アイコン４５を強調表示して、次のステップＳＰ３９に移る。
【０９１４】
ステップＳＰ３９において制御部２０は、１又は複数の近接領域が往復するように変位したか否かを判別する。このステップＳＰ３９において肯定結果が得られると、このことは、曲一覧画像４４の表示を、所望の階層のジャンル一覧画像３５、アーティスト一覧画像３８、アルバム一覧画像４１の表示に切り替えるように指示されたことを表している。
【０９１５】
因みに、制御部２０は、第２表示制御処理手順ＲＴ２において一連の処理を実行するものの、後述するように適宜、ステップＳＰ３９に戻って、当該ステップＳＰ３９の処理を実行することができる。
【０９１６】
そしてステップＳＰ３９を２回以上実行した際に肯定結果を得ると、このことは例えば、ジャンル一覧画像３５を表示した状態で、アーティスト一覧画像３８、アルバム一覧画像４１、曲一覧画像４４の何れかに表示を切り替えるように指示されたことを表している。
【０９１７】
また、かかる肯定結果は、例えば、アーティスト一覧画像３８を表示した状態で、ジャンル一覧画像３５、アルバム一覧画像４１、曲一覧画像４４の何れかに表示を切り替えるように指示されたことも表している。
【０９１８】
さらに、かかる肯定結果は、例えば、アルバム一覧画像４１を表示した状態で、ジャンル一覧画像３５、アーティスト一覧画像３８、曲一覧画像４４の何れかに表示を切り替えるように指示されたことも表している。ステップＳＰ３９において制御部２０は、かかる肯定結果を得ると、次のステップＳＰ４０に移る。
【０９１９】
なお、以下では、再生対象の音楽データを選択するために用いる階層的なジャンル一覧画像３５、アーティスト一覧画像３８、アルバム一覧画像４１、曲一覧画像４４を、説明の便宜上、適宜、区別せずに階層別一覧画像とも呼ぶ。
【０９２０】
また、以下の説明では、ジャンル一覧画像３５、アーティスト一覧画像３８、アルバム一覧画像４１内のジャケット画像３７、４０、４３を、便宜上、適宜、区別せずに符号を外して、単にジャケット画像とも呼ぶ。
【０９２１】
さらに、以下では、音楽データの再生を指示するためのジャンルアイコン３６、アーティストアイコン３９、アルバムアイコン４２、曲アイコン４５を、説明の便宜上、適宜、区別せずに再生指示アイコンとも呼ぶ。
【０９２２】
ステップＳＰ４０において制御部２０は、第１液晶パネル１４Ａから第２液晶パネル１５Ａに亘り、これまで表示していた所定階層の階層別一覧画像に替えて、近接操作により指示された階層の階層別一覧画像を表示して、次のステップＳＰ４１に移る。
【０９２３】
ステップＳＰ４１において制御部２０は、表示切替後の階層別一覧画像において複数のジャケット画像又は複数の曲アイコンのうち、判別時点再生対象データに対応するジャケット画像又は曲アイコンを強調表示する。
【０９２４】
すなわち、制御部２０は、この際、ジャンル一覧画像３５以外の階層別一覧画像から当該ジャンル一覧画像３５に表示を切り替えていると、複数のジャケット画像３７のうち、判別時点再生対象データのジャンルに対応するジャケット画像３７を強調表示する。
【０９２５】
また制御部２０は、この際、アーティスト一覧画像３８以外の階層別一覧画像から当該アーティスト一覧画像３８に表示を切り替えていると、複数のジャケット画像４０のうち、判別時点再生対象データのアーティストのジャケット画像４０を強調表示する。
【０９２６】
さらに制御部２０は、この際、アルバム一覧画像４１以外の階層別一覧画像から当該アルバム一覧画像４１に表示を切り替えていると、複数のジャケット画像４３のうち、判別時点再生対象データが収録されたアルバムのジャケット画像４３を強調表示する。
【０９２７】
さらにまた、制御部２０は、この際、曲一覧画像４４以外の階層別一覧画像から当該曲一覧画像４４に戻すように表示を切り替えていると、上述と同じ曲アイコン４５を再び強調表示する。
【０９２８】
ステップＳＰ４１において制御部２０は、このようにジャケット画像又は曲アイコン４５を強調表示すると、次のステップＳＰ４２に移る。
【０９２９】
ところで、上述のステップＳＰ３９において否定結果が得られると、このことは、階層別一覧画像の表示を切り替えるように指示されていないことを表している。
【０９３０】
ステップＳＰ３９において制御部２０は、かかる否定結果を得ると、ステップＳＰ４０及びステップＳＰ４１の処理を飛ばして、ステップＳＰ４２に移る。
【０９３１】
ステップＳＰ４２において制御部２０は、ステップＳＰ１０について上述した場合と同様に、１又は複数の近接領域が所望の方向に変位したか否かを判別する。
【０９３２】
そしてステップＳＰ４２において制御部２０は、１又は複数の近接領域が所望の方向に変位して肯定結果を得ると、次のステップＳＰ４３に移る。
【０９３３】
ステップＳＰ４３において制御部２０は、強調表示する曲アイコン４５のような再生指示アイコンや、ジャケット画像を変更するか否かを判別する。
【０９３４】
このステップＳＰ４３において肯定結果が得られると、このことは指の移動に伴い、まだ強調表示していなかったジャケット画像又は再生指示アイコンに指が重なったことを表している。ステップＳＰ４３において制御部２０は、かかる肯定結果を得ると、次のステップＳＰ４４に移る。
【０９３５】
ステップＳＰ４４において制御部２０は、階層別一覧画像内で注目領域が重なっているジャケット画像又は再生指示アイコンを強調表示する。
【０９３６】
また制御部２０は、この際、第１液晶パネル１４Ａ及び第２液晶パネル１５Ａの一方に、その強調表示したジャケット画像又は再生指示アイコンを拡大して少なくとも一部を表示し、次のステップＳＰ４５に移る。
【０９３７】
これに対しステップＳＰ４３において否定結果が得られると、このことは指が移動したものの、これまで強調表示していたジャケット画像又は再生指示アイコンに未だ指が重なっていることを表している。ステップＳＰ４３において制御部２０は、かかる否定結果を得ると、ステップＳＰ４６に移る。
【０９３８】
ステップＳＰ４６において制御部２０は、第１液晶パネル１４Ａ及び第２液晶パネル１５Ａの一方に、これまで強調表示していたジャケット画像又は再生指示アイコンを拡大して少なくとも一部を表示し、次のステップＳＰ４５に移る。
【０９３９】
ステップＳＰ４５において制御部２０は、近接領域が上スクロール指示領域ＳＡ１及び下スクロール指示領域ＳＡ２にかかったか否かを判別する。
【０９４０】
このステップＳＰ４５において肯定結果が得られると、このことは指が上スクロール指示領域ＳＡ１又は下スクロール指示領域ＳＡ２にかかり、上方向又は下方向へのスクロールが指示されたことを表している。このステップＳＰ４５において制御部２０は、かかる肯定結果を得ると、次のステップＳＰ４７に移る。
【０９４１】
ステップＳＰ４７において制御部２０は、階層別一覧画像を、その指示に応じて上方向又は下方向へスクロールして、次のステップＳＰ４８に移る。
【０９４２】
ステップＳＰ４８において制御部２０は、近接領域が上スクロール指示領域ＳＡ１及び下スクロール指示領域ＳＡ２から外れたか否かを判別する。
【０９４３】
このステップＳＰ４８において否定結果が得られると、このことは指が未だ上スクロール指示領域ＳＡ１又は下スクロール指示領域ＳＡ２にかかっており、上方向又は下方向へのスクロールが指示され続けていることを表している。このステップＳＰ４８において制御部２０は、かかる否定結果を得ると、ステップＳＰ４７に戻る。
【０９４４】
よって制御部２０は、この後、ステップＳＰ４８において肯定結果を得るまでの間、ステップＳＰ４７及びステップＳＰ４８の処理を順次繰り返し実行する。
【０９４５】
これにより制御部２０は、指が上スクロール指示領域ＳＡ１又は下スクロール指示領域ＳＡ２にかかっている間、階層別一覧画像を上方向又は下方向へスクロールし続ける。
【０９４６】
これに対しステップＳＰ４８において肯定結果が得られると、このことは指が上スクロール指示領域ＳＡ１及び下スクロール指示領域ＳＡ２から外れて、上方向及び下方向へのスクロールの指示が終了したことを表している。このステップＳＰ４８において制御部２０は、かかる肯定結果を得ると、次のステップＳＰ４９に移る。
【０９４７】
因みに、ステップＳＰ４５において否定結果が得られると、このことは指が上スクロール指示領域ＳＡ１及び下スクロール指示領域ＳＡ２の何れにもかかっていないため、上方向及び下方向へのスクロールは指示されていないことを表している。
【０９４８】
このステップＳＰ４５において制御部２０は、かかる否定結果を得ると、ステップＳＰ４７及びステップＳＰ４８の処理を飛ばしてステップＳＰ４９に移る。
【０９４９】
一方、上述のステップＳＰ４２において否定結果が得られると、このことは、１又は複数の指がほとんど移動していない、又は複数の指が異なる方向に移動したことを表している。ステップＳＰ４２において制御部２０は、かかる否定結果を得ると、ステップＳＰ５０に移る。
【０９５０】
ステップＳＰ５０において制御部２０は、複数の近接領域の間隔が広がったか否かを判別する。このステップＳＰ５０において肯定結果が得られると、このことは複数の指の間隔が広げられて階層別一覧画像の拡大が指示されたことを表している。ステップＳＰ５０において制御部２０は、かかる肯定結果を得ると、次のステップＳＰ５１に移る。
【０９５１】
よってステップＳＰ５１において制御部２０は、第２液晶パネル１５Ａから第１液晶パネル１４Ａに亘り、階層別一覧画像を拡大して表示して、次のステップＳＰ４９に移る。
【０９５２】
因みに、制御部２０は、この際、階層別一覧画像を拡大しても、拡大直前まで強調表示していたジャケット画像又は再生指示アイコンを拡大直後も、そのまま強調表示する。
【０９５３】
これに対しステップＳＰ５０において否定結果が得られると、このことは１又は複数の指がほとんど移動していない、又は複数の指が互いの間隔を狭めるように移動したことを表している。ステップＳＰ５０において制御部２０は、かかる否定結果を得ると、ステップＳＰ５２に移る。
【０９５４】
ステップＳＰ５２において制御部２０は、複数の近接領域の間隔が狭まったか否かを判別する。このステップＳＰ５２において肯定結果が得られると、このことは複数の指の間隔が狭められて階層別一覧画像の縮小が指示されたことを表している。ステップＳＰ５２において制御部２０は、かかる肯定結果を得ると、次のステップＳＰ５３に移る。
【０９５５】
よってステップＳＰ５３において制御部２０は、第２液晶パネル１５Ａから第１液晶パネル１４Ａに亘り、階層別一覧画像を縮小して表示して、次のステップＳＰ４９に移る。
【０９５６】
因みに、制御部２０は、この際、階層別一覧画像を縮小しても、縮小直前まで強調表示していたジャケット画像又は再生指示アイコンを縮小直後も、そのまま強調表示する。
【０９５７】
これに対しステップＳＰ５２において否定結果が得られると、このことは１又は複数の指がほとんど移動していないことを表している。ステップＳＰ５２において制御部２０は、かかる否定結果を得ると、ステップＳＰ４９に移る。
【０９５８】
ステップＳＰ４９において制御部２０は、接触領域を検出したか否かを判別する。このステップＳＰ４９において否定結果が得られると、このことは、未だ階層別一覧画像内の複数のジャケット画像や再生指示アイコンが見られていることを表している。ステップＳＰ４９において制御部２０は、かかる否定結果を得ると、ステップＳＰ５４に移る。
【０９５９】
ステップＳＰ５４において制御部２０は、全ての近接領域を検出しなくなったか否かを判別する。このステップＳＰ５４において否定結果が得られると、第１操作面又は第２操作面に未だ１又は複数の指が近接されたままであることを表している。ステップＳＰ５４において制御部２０は、かかる否定結果を得ると、ステップＳＰ３９に戻る。
【０９６０】
よって制御部２０は、この後、ステップＳＰ４９及びステップＳＰ５４において肯定結果を得るまでの間、ステップＳＰ３９乃至ステップＳＰ５４の処理を繰り返し実行する。
【０９６１】
これにより制御部２０は、第１操作面又は第２操作面に対し近接操作が行われ続けている間は、その近接操作による種々の指示に応じて階層別一覧画像の表示状態を適宜変更する。
【０９６２】
因みに、制御部２０は、階層別一覧画像を本来の表示サイズよりも拡大し又は縮小して表示した状態でステップＳＰ４５に移ると、上述と同様に近接領域が上スクロール指示領域ＳＡ１及び下スクロール指示領域ＳＡ２にかかったか否かを判別する。
【０９６３】
ただし、制御部２０は、この際、近接領域が右スクロール指示領域ＳＡ３及び左スクロール指示領域ＳＡ４にかかったか否かも判別する。
【０９６４】
その結果、制御部２０は、指が上スクロール指示領域ＳＡ１、下スクロール指示領域ＳＡ２、右スクロール指示領域ＳＡ３又は左スクロール指示領域ＳＡ４にかかり、上方向、下方向、右方向又は左方向へのスクロールが指示されると、ステップＳＰ４７に移る。
【０９６５】
よってステップＳＰ４７において制御部２０は、階層別一覧画像を、その指示に応じて上方向、下方向、右方向又は左方向へスクロールして、次のステップＳＰ４８に移る。
【０９６６】
ステップＳＰ４８において制御部２０は、近接領域が上スクロール指示領域ＳＡ１、下スクロール指示領域ＳＡ２、右スクロール指示領域ＳＡ３及び左スクロール指示領域ＳＡ４の何れからも外れたか否かを判別する。
【０９６７】
そして制御部２０は、指が未だ上スクロール指示領域ＳＡ１、下スクロール指示領域ＳＡ２、右スクロール指示領域ＳＡ３又は左スクロール指示領域ＳＡ４にかかり、上方向、下方向、右方向又は左方向へのスクロールが指示されていると、ステップＳＰ４７に戻る。
【０９６８】
よって制御部２０は、この後、ステップＳＰ４８において肯定結果を得るまでの間、ステップＳＰ４７及びステップＳＰ４８の処理を順次繰り返し実行する。
【０９６９】
これにより制御部２０は、指が上スクロール指示領域ＳＡ１、下スクロール指示領域ＳＡ２、右スクロール指示領域ＳＡ３又は左スクロール指示領域ＳＡ４に重なっている間、階層別一覧画像を上方向、下方向、右方向又は左方向へスクロールし続ける。
【０９７０】
そして制御部２０は、指が上スクロール指示領域ＳＡ１、下スクロール指示領域ＳＡ２、右スクロール指示領域ＳＡ３及び左スクロール指示領域ＳＡ４の何れからも外れると、ステップＳＰ４９に移る。
【０９７１】
すなわち、制御部２０は、上方向、下方向、右方向及び左方向へのスクロールの指示が終了すると、ステップＳＰ４９に移る。
【０９７２】
因みに、ステップＳＰ４５において否定結果が得られると、このことは指が上スクロール指示領域ＳＡ１及び下スクロール指示領域ＳＡ２の何れにもかかっていないため、上方向及び下方向へのスクロールは指示されていないことを表している。
【０９７３】
またステップＳＰ４５において否定結果が得られると、このことは指が右スクロール指示領域ＳＡ３及び左スクロール指示領域ＳＡ４にもかかっていないため、右方向及び左方向へのスクロールも指示されていないことを表している。
【０９７４】
このステップＳＰ４５において制御部２０は、かかる否定結果を得ると、ステップＳＰ４７及びステップＳＰ４８の処理を飛ばしてステップＳＰ４９に移る。
【０９７５】
一方、上述のステップＳＰ４９において肯定結果が得られると、このことは第１操作面又は第２操作面に指が接触して接触領域を検出したことを表している。ステップＳＰ４９において制御部２０は、かかる肯定結果を得ると、次のステップＳＰ５５に移る。
【０９７６】
ステップＳＰ５５において制御部２０は、このときタップ操作が行われたか否かを判別する。このステップＳＰ５５において肯定結果が得られると、このことは第１操作面及び第２操作面の一方に対し近接操作に引き続きタップ操作が行われて、階層別一覧画像内の何れかのジャケット画像又は再生指示アイコンが指示されたことを表している。ステップＳＰ５５において制御部２０は、かかる肯定結果を得ると、次のステップＳＰ５６に移る。
【０９７７】
ステップＳＰ５６において制御部２０は、第１液晶パネル１４Ａ及び第２液晶パネル１５Ａに亘る階層別一覧画像の表示を終了する。
【０９７８】
また制御部２０は、このとき、タップ操作で指示されたジャケット画像又は再生指示アイコンに応じて新たな階層別一覧画像又は再生画像を生成する。
【０９７９】
さらに制御部２０は、第２液晶パネル１５Ａから第１液晶パネル１４Ａに亘り、その新たな階層別一覧画像又は再生画像を表示する。そして制御部２０は、このとき行われていた近接操作が終了したと判断して、ステップＳＰ３１に戻る。
【０９８０】
また上述のステップＳＰ５５において否定結果が得られると、このことは例えば、第１操作面及び第２操作面の一方において、誤って複数箇所に指が接触し、又は１箇所に指が操作判別時間以上接触していることを表している。ステップＳＰ５５において制御部２０は、かかる否定結果を得ると、ステップＳＰ５４に戻る。
【０９８１】
そしてステップＳＰ５４において肯定結果が得られると、このことは例えば、接触領域を全く検出していない状態で、全ての指が第１操作面及び第２操作面から近接検出距離範囲を越えて遠ざけられ、全ての近接領域を検出しなくなったことを表している。
【０９８２】
因みに、制御部２０は、このステップＳＰ５４においても、ステップＳＰ２２について上述した場合と同様に、接触領域の検出の有無及び近接領域の検出の有無の双方に応じて近接操作が終了したか否かを判別している。そしてステップＳＰ５４において制御部２０は、かかる肯定結果を得ると、次のステップＳＰ５７に移る。
【０９８３】
ステップＳＰ５７において制御部２０は、第２液晶パネル１５Ａから第１液晶パネル１４Ａに亘る階層別一覧画像の表示を終了して、当該第２液晶パネル１５Ａから第１液晶パネル１４Ａに亘る表示を近接操作が行われる直前の状態（再生画像４６の表示）に戻す。そして制御部２０は、このとき行われていた近接操作が終了したと判断して、ステップＳＰ３１に戻る。
【０９８４】
このように制御部２０は、再生画像を表示している間、ステップＳＰ３１乃至ステップＳＰ５７の処理を繰り返し実行することで、適宜、階層別一覧画像を表示して、再生対象の音楽データを選択し直させることかできる。
【０９８５】
ところで、上述のステップＳＰ３３において肯定結果が得られると、このことは例えば、音楽データの再生を終了（再生機能を終了）するように指示されたことを表している。
【０９８６】
ステップＳＰ３３において制御部２０は、かかる肯定結果を得ると、第２液晶パネル１５Ａから第１液晶パネル１４Ａに亘って表示していた再生画像を消した後、ステップＳＰ５８に移る。これによりステップＳＰ５８において制御部２０は、第２表示制御処理手順ＲＴ２を終了する。
【０９８７】
［１−２−５．実施の形態の動作及び効果］
以上の構成において、携帯端末１０の制御部２０は、複数の立上画像の表示を待機させていると、第１タッチスクリーン１４及び第２タッチスクリーン１５の一方の表面（第１操作面又は第２操作面）に対して近接操作が行われたかどうかを検出する。
【０９８８】
その結果、制御部２０は、近接操作が行われたことを検出すると、第２タッチスクリーン１５から第１タッチスクリーン１４に亘り、それぞれ異なる立上画像を示す複数のサムネイル６１をマトリクス状に配置したサムネイル一覧画像６０を表示する。
【０９８９】
この状態で制御部２０は、近接操作に連続してタップ操作で何れかのサムネイル６１が指示されると、第２タッチスクリーン１５及び第１タッチスクリーン１４にサムネイル一覧画像６０に替えて、その指示されたサムネイル６１が示す立上画像を表示する。
【０９９０】
また制御部２０は、第２タッチスクリーン１５から第１タッチスクリーン１４に亘り再生画像４６を表示すると、当該第１タッチスクリーン１４及び第２タッチスクリーン１５の一方の表面に対し近接操作が行われたかどうかを検出する。
【０９９１】
その結果、制御部２０は、近接操作が行われたことを検出すると、第２タッチスクリーン１５から第１タッチスクリーン１４に亘り再生画像４６に替えて、これよりも１階層上位の曲一覧画像４４を表示する。
【０９９２】
この状態で制御部２０は、近接操作において指が往復移動して表示の切り替えが指示されると、第２タッチスクリーン１５から第１タッチスクリーン１４に亘りジャンル一覧画像３５やアーティスト一覧画像３８等の何れかの階層の階層別一覧画像を切替表示する。
【０９９３】
この状態で制御部２０は、近接操作に連続してタップ操作で何れかのジャケット画像が指示されたときには、第２タッチスクリーン１５及び第１タッチスクリーン１４に階層別一覧画像に替えて、指示されたジャケット画像が示す新たな階層別一覧画像を表示する。
【０９９４】
また制御部２０は、近接操作に連続してタップ操作で何れかの再生指示アイコンが指示されたときには、第２タッチスクリーン１５及び第１タッチスクリーン１４に階層別一覧画像に替えて、指示された再生指示アイコンが示す新たな再生画像を表示する。
【０９９５】
従って制御部２０は、操作キーを特に操作させることなく、第１タッチスクリーン１４及び第２タッチスクリーン１５の一方の表面に指を近接させるだけで、複数のサムネイル６１を一覧表示することができる。
【０９９６】
そして制御部２０は、この際、操作キーを特に操作させることなく、第１タッチスクリーン１４及び第２タッチスクリーン１５の一方の表面に指を、近接に連続させて接触させるだけで、所望の立上画像をサムネイル６１として選択させて表示することができる。
【０９９７】
また制御部２０は、操作キーを特に操作させることなく、第１タッチスクリーン１４及び第２タッチスクリーン１５の一方の表面に指を近接させるだけで、複数のジャケット画像や再生指示アイコンを一覧表示することができる。
【０９９８】
そして制御部２０は、操作キーを特に操作させることなく、第１タッチスクリーン１４及び第２タッチスクリーン１５の一方の表面に指を、近接に連続させて接触させるだけで、所望の階層別一覧画像をジャケット画像として選択させて表示することができる。
【０９９９】
また制御部２０は、操作キーを特に操作させることなく、第１タッチスクリーン１４及び第２タッチスクリーン１５の一方の表面に指を、近接に連続させて接触させるだけで、所望の再生画像を再生指示アイコンとして選択させて表示することができる。
【１０００】
以上の構成によれば、携帯端末１０の制御部２０は、第１タッチスクリーン１４及び第２タッチスクリーン１５の一方の表面に対し指により近接操作が行われると、それぞれ異なる立上画像を示す複数のサムネイル６１をサムネイル一覧画像６０として一覧表示し、この状態で指によるタップ操作で何れかのサムネイル６１が指示されると、第１タッチスクリーン１４及び第２タッチスクリーン１５にサムネイル一覧画像６０に替えて、その指示されたサムネイル６１が示す立上画像を表示するようにした。
【１００１】
これにより携帯端末１０の制御部２０は、操作キーを特に操作させることなく、第１タッチスクリーン１４及び第２タッチスクリーン１５の一方の表面に指を近接させ、その近接に連続させて接触させるように当該第１タッチスクリーン１４及び第２タッチスクリーン１５の一方の表面上で近接操作及びタップ操作を順次行わせるだけの簡易な操作で、複数のサムネイル６１を一覧表示して所望の立上画像をサムネイル６１として選択させて表示することができる。よって携帯端末１０の制御部２０は、当該携帯端末１０の使い勝手を格段的に向上させることができる。
【１００２】
また以上の構成によれば、携帯端末１０の制御部２０は、第１タッチスクリーン１４及び第２タッチスクリーン１５の一方の表面に対し指により近接操作が行われると、それぞれ異なる階層別一覧画像や再生画像を示す複数のジャケット画像や再生指示アイコンを階層別一覧画像として一覧表示し、この状態で指によるタップ操作で何れかのジャケット画像や再生指示アイコンが指示されると、第１タッチスクリーン１４及び第２タッチスクリーン１５に階層別一覧画像に替えて、その指示されたジャケット画像や再生指示アイコンが示す新たな階層別一覧画像や再生画像を表示するようにした。
【１００３】
これにより携帯端末１０の制御部２０は、操作キーを特に操作させることなく、第１タッチスクリーン１４及び第２タッチスクリーン１５の一方の表面に指を近接させ、その近接に連続させて接触させるように当該第１タッチスクリーン１４及び第２タッチスクリーン１５の一方の表面上で近接操作及びタップ操作を順次行わせるだけの簡易な操作で、複数のジャケット画像や再生指示アイコンを一覧表示して所望の階層別一覧画像や再生画像をジャケット画像や再生指示アイコンとして選択させて表示することができる。よって携帯端末１０の制御部２０は、当該携帯端末１０の使い勝手を格段的に向上させることができる。
【１００４】
これに加え携帯端末１０の制御部２０は、第１タッチスクリーン１４及び第２タッチスクリーン１５の一方の表面に対し近接操作が行われても、サムネイル６１やジャケット画像等が指示される前に、当該表面から指が遠ざけられると、近接操作が終了したと判断するようにした。
【１００５】
従って携帯端末１０の制御部２０は、第２タッチスクリーン１５から第１タッチスクリーン１４に亘って表示したサムネイル一覧画像６０や階層別一覧画像上での所望の立上画像や階層別一覧画像等の選択が中断される場合も、操作キーを特に操作させることなく、当該第１タッチスクリーン１４及び第２タッチスクリーン１５の表面から指を遠ざけさせるだけで、その選択を容易に中断させることができる。
【１００６】
そして携帯端末１０の制御部２０は、このように第１タッチスクリーン１４及び第２タッチスクリーン１５の表面から指が遠ざけられて近接操作が終了したと判断すると、当該第１タッチスクリーン１４及び第２タッチスクリーン１５の表示を近接操作が行われる前の状態に戻すようにした。
【１００７】
よって携帯端末１０の制御部２０は、第２タッチスクリーン１５から第１タッチスクリーン１４に亘って表示したサムネイル一覧画像６０や階層別一覧画像上での所望の立上画像や階層別一覧画像等の選択が中断されたとき、操作キーを特に操作させることなく、当該第１タッチスクリーン１４及び第２タッチスクリーン１５に対する表示を容易に元に戻すことができる。
【１００８】
また携帯端末１０の制御部２０は、近接操作が行われた場合、人差し指の近接領域を注目領域として特定し、その注目領域が重なったサムネイル６１やジャケット画像等を強調表示するようにした。
【１００９】
従って携帯端末１０の制御部２０は、例えば、ユーザが人差し指でタップ操作を行う場合、その一指し指が、指示すべきサムネイル６１やジャケット画像等に重なったかどうかを容易に確認させることができる。
【１０１０】
よって携帯端末１０の制御部２０は、タップ操作により所望のサムネイル６１やジャケット画像等を指示するとき、そのサムネイル６１やジャケット画像等に隣接する他のサムネイル６１やジャケット画像等を誤って指示することを回避させることができる。
【１０１１】
さらに携帯端末１０の制御部２０は、近接操作で指が所望の方向に移動している間、注目領域が重なったサムネイル６１やジャケット画像等を強調表示しつつも、第１タッチスクリーン１４及び第２タッチスクリーン１５の一方に、その強調表示したサムネイル６１やジャケット画像等を拡大して表示するようにした。
【１０１２】
従って携帯端末１０の制御部２０は、近接操作で指が所望の方向に移動して、指示すべきサムネイル６１やジャケット画像等を捜すような場合、第１タッチスクリーン１４及び第２タッチスクリーン１５の一方を介してサムネイル６１やジャケット画像等の内容を確認し易くすることができる。
【１０１３】
さらに携帯端末１０の制御部２０は、近接操作において複数の指の間隔が広げられると、第２タッチスクリーン１５から第１タッチスクリーン１４に亘って表示していたサムネイル一覧画像６０や階層別一覧画像を拡大するようにした。
【１０１４】
従って携帯端末１０の制御部２０は、サムネイル一覧画像６０内や階層別一覧画像内のサムネイル６１やジャケット画像等の内容を容易に確認し易くすることができる。
【１０１５】
これに対し携帯端末１０の制御部２０は、近接操作において複数の指の間隔が狭められると、第２タッチスクリーン１５から第１タッチスクリーン１４に亘って表示していたサムネイル一覧画像６０や階層別一覧画像を縮小するようにした。
【１０１６】
従って携帯端末１０の制御部２０は、サムネイル一覧画像６０や階層別一覧画像において一度に表示し得る表示範囲を広げて、一度に表示し得るサムネイル６１やジャケット画像等の個数を増やすことができる。
【１０１７】
その結果、携帯端末１０の制御部２０は、複数のサムネイル６１や複数のジャケット画像等を容易に比較させ易くすることができる。
【１０１８】
＜２．変形例＞
［２−１  変形例１］
なお上述した実施の形態においては、複数の立上画像の表示を待機させた状態で近接操作が行われると、一律の表示サイズのサムネイル６１を画像の縦方向と平行な一律の行数で配置するサムネイル一覧画像６０を表示するようにした場合について述べた。
【１０１９】
しかしながら本発明は、これに限らず、複数の立上画像の表示を待機させた状態で近接操作が行われると、その立上画像の個数に応じた表示サイズのサムネイルを、その表示サイズに応じた行数で配置するサムネイル一覧画像を表示するようにしても良い。
【１０２０】
例えば、本発明は、立上画像の個数について、表示サイズを所定の最大サイズにするための下限の個数と所定の最小サイズにするための上限の個数とを選定する。
【１０２１】
そして本発明は、立上画像の個数が少ないほどサムネイルの表示サイズを可変して大きくし、下限以下の個数では表示サイズを最大サイズに固定し、上限以上の個数では表示サイズを最小サイズに固定するようにしても良い。
【１０２２】
また図４６及び図４７に示すように、本発明は、複数のサムネイル７０及び７１を表示サイズに応じて、第１タッチスクリーン１４及び第２タッチスクリーン１５の右端から左端までの範囲に収め、サムネイル一覧画像７２及び７３を左右にスクロールしなくても見せることができる行数で配置して表示するようにしても良い。
【１０２３】
さらに本発明は、複数のサムネイルを、立上画像の個数に応じて表示サイズを変えるものの、一律の行数で配置して表示するようにしても良い。
【１０２４】
かかる構成によれば、本発明は、サムネイル一覧画像を表示した場合、サムネイルの表示サイズにより、立上画像の個数を直感的に認識させることができる。
【１０２５】
また本発明は、階層別一覧画像についても、複数の音楽データを分類する際のジャンルやアーティスト、アルバム、当該アルバム内の曲の個数に応じて、ジャケット画像及び再生指示アイコンの表示サイズや配置の行数を、同様に可変するようにしても良い。
【１０２６】
［２−２  変形例２］
また上述した実施の形態においては、近接操作において指の間隔が広げられると、サムネイル一覧画像や階層別一覧画像を一律の拡大率で拡大するようにした場合について述べた。
【１０２７】
しかしながら本発明は、これに限らず、近接操作において指の間隔が広げられると、当該間隔が広いほど拡大率を大きくするように、その間隔の広さの程度に応じた拡大率でサムネイル一覧画像や階層別一覧画像を拡大するようにしても良い。
【１０２８】
また本発明は、このように指の間隔の広さの程度に応じて拡大率を可変する場合、サムネイル一覧画像や階層別一覧画像の横方向の表示サイズは変えずに、サムネイルやジャケット画像等を指の間隔の広さの程度に応じた拡大率で拡大する。
【１０２９】
そして本発明は、サムネイルやジャケット画像等を拡大後の表示サイズに応じて画像の縦方向と平行な行を減らし横方向と平行な列を増やすように配置し直して表示するようにしても良い。
【１０３０】
かかる構成によれば、本発明は、サムネイルやジャケット画像等をユーザの希望通りの大きさに拡大して見せることができる。
【１０３１】
また本発明は、かかる構成により、サムネイルやジャケット画像等を拡大した場合、右方向や左方向へのスクロールを指示させる必要がなく、操作を簡易化することもできる。
【１０３２】
［２−３  変形例３］
さらに上述した実施の形態においては、近接操作において指の間隔が狭められると、サムネイル一覧画像や階層別一覧画像を一律の縮小率で縮小するようにした場合について述べた。
【１０３３】
しかしながら本発明は、これに限らず、近接操作において指の間隔が狭められると、当該間隔が狭いほど縮小率を大きく（表示サイズを小さく）するように、その間隔の狭さの程度に応じた縮小率でサムネイル一覧画像や階層別一覧画像を縮小するようにしても良い。
【１０３４】
また本発明は、このように指の間隔の狭さの程度に応じて縮小率を可変する場合、サムネイル一覧画像や階層別一覧画像の横方向の表示サイズは変えずに、サムネイルやジャケット画像等を指の間隔の狭さの程度に応じた縮小率で縮小する。
【１０３５】
そして本発明は、サムネイルやジャケット画像等を縮小後の表示サイズに応じて画像の縦方向と平行な行を増やし横方向と平行な列を減らすように配置し直して表示するようにしても良い。
【１０３６】
かかる構成によれば、本発明は、サムネイルやジャケット画像等をユーザの希望通りの大きさに縮小して見せることができる。
【１０３７】
また本発明は、かかる構成により、サムネイルやジャケット画像等を縮小した場合、右方向や左方向へのスクロールを指示させる必要がなく、操作を簡易化することもできる。
【１０３８】
［２−４  変形例４］
さらに上述した実施の形態においては、携帯端末１０に２個の第１タッチスクリーン１４及び第２タッチスクリーン１５を設けるようにした場合について述べた。
【１０３９】
しかしながら本発明は、これに限らず、例えば、第１筐体にタッチスクリーンを設け、第２筐体に液晶パネルを設けるようにして、第１筐体の第１タッチスクリーンの表面に対してのみ、近接操作やタッチ操作を行わせるようにしても良い。
【１０４０】
また本発明は、携帯端末を１個の筐体で構成して、例えば、上述の第１タッチスクリーン１４や第２タッチスクリーン１５と同様構成の１個のタッチスクリーンを設けるようにする。
【１０４１】
そして本発明は、携帯端末において、タッチスクリーンの表面に対し近接操作が行われると、そのタッチスクリーンにサムネイル一覧画像や階層別一覧画像を表示するようにしても良い。
【１０４２】
また本発明は、かかる構成の携帯端末において、近接操作を行っている指が所望の方向に移動した場合、そのサムネイル一覧画像や階層別一覧画像の一部に、強調表示するサムネイルやジャケット画像等を拡大して重ねて表示するようにしても良い。
【１０４３】
［２−５  変形例５］
さらに上述した実施の形態においては、近接操作に応じて、再生対象の音楽データを選択するために階層別一覧画像を表示するようにした場合について述べた。
【１０４４】
しかしながら本発明は、これに限らず、映像データやテキストデータ、ゲームプログラム等のコンテンツデータを階層的に分類し、当該コンテンツデータを選択するために、そのコンテンツデータの階層的な分類を示す階層別一覧画像を表示するようにしても良い。
【１０４５】
［２−６  変形例６］
さらに上述した実施の形態においては、近接操作に連続して第１操作面又は第２操作面に指を１回接触させるタップ操作によって所望のサムネイル６１やジャケット画像等を指示させるようにした場合について述べた。
【１０４６】
しかしながら本発明は、これに限らず、近接操作に連続して第１操作面又は第２操作面に指を２回連続して接触させるダブルタップ操作によって所望のサムネイル６１やジャケット画像等を指示させるようにしても良い。
【１０４７】
［２−７  変形例７］
さらに上述した実施の形態においては、サムネイル一覧画像６０や階層別一覧画像を表示した場合、上スクロール指示領域ＳＡ１、下スクロール指示領域ＳＡ２、右スクロール指示領域ＳＡ３及び左スクロール指示領域ＳＡ４上まで指を移動させてスクロールを指示させるようにした場合について述べた。
【１０４８】
しかしながら本発明は、これに限らず、サムネイル一覧画像６０や階層別一覧画像を表示した場合、第１操作面や第２操作面上で指を近接させたまま、あたかもフリック操作のように所望の方向へすばやく移動させることで、その移動方向に画像をスクロールさせるように指示させても良い。
【１０４９】
［２−８  変形例８］
さらに上述した実施の形態においては、タッチ操作が行われていない（接触領域を全く検出していない）状態で、１個の接触領域を接触開始時点の接触領域として検出すると、タッチ操作が開始されたと判断する。そのうえで上述した実施の形態においては、どのようなタッチ操作が行われたか否かを検出するようにした場合について述べた。
【１０５０】
しかしながら本発明は、これに限らず、接触領域を検出していない状態で１個の接触領域を接触開始時点の接触領域として検出すると、タッチ操作の開始を判断せずに、その後の接触領域の検出状況に応じてタッチ操作が行われたか否かを検出するようにしても良い。
【１０５１】
因みに、以下には、このようなタッチ操作が行われたか否かの検出手法について、第１タッチパネル１４Ｂの第１操作面に指が接触された場合を例にして説明する。
【１０５２】
すなわち、制御部２０は、第１操作面に対しタッチ操作が行われていない（接触領域を全く検出していない）状態で、１個の接触領域を接触開始時点の接触領域として検出すると、タイマにより接触時間の計時を開始する。
【１０５３】
因みに、制御部２０は、指の接触開始時点の接触領域を検出してから当該指の接触終了時点の接触領域を判別するまで（第１操作面に指が接触されてから（接触開始から）離されるまで（接触終了まで）の間）接触時間を計時する。
【１０５４】
また制御部２０は、このように指の接触開始時点の１個の接触領域を検出すると、当該接触開始時点の１個の接触領域の重心位置を起点として、その指の移動軌跡の検出も開始する。
【１０５５】
因みに、制御部２０は、指の移動軌跡の検出を開始すると、その後は領域検出処理を実行して当該指の接触領域を重心位置と共に追跡するように検出する毎に、起点から、その検出した重心位置を順に辿るようにして指の移動軌跡を検出する。
【１０５６】
この状態で制御部２０は、接触時間を種類判別時間と比較する。そして制御部２０は、接触時間が種類判別時間に達する前に第１操作面から指が離されて当該接触時間の計時を終了すると、そのときまでに検出した移動軌跡が、起点（重心位置）を中心にしたタッチ操作判別円内に収まっているか否かを判別する。
【１０５７】
その結果、制御部２０は、第１操作面に対する指の接触開始から接触終了までの移動軌跡が、タッチ操作判別円内に収まっていると、このとき第１操作面に対しタッチ操作としてタップ操作が行われたと判別する。
【１０５８】
この際、制御部２０は、タップ操作による指の接触終了時点の接触領域の重心位置（すなわち、画素位置の座標で示す重心位置）を、このとき第１液晶パネル１４Ａの表示面において、当該タップ操作により指示されたタップ指示位置とする。
【１０５９】
これに対し制御部２０は、この際、第１操作面に対する指の接触開始から接触終了までの移動軌跡が、例えば、起点からタッチ操作判別円の外側にまで伸びていると、このとき第１操作面に対しタッチ操作としてフリック操作が行われたと判別する。
【１０６０】
この際、制御部２０は、フリック操作による指の接触開始時点の接触領域の重心位置（起点）から当該指の接触終了時点の接触領域の重心位置へ向かう方向を、フリック操作による指の移動方向とする。そして制御部２０は、そのフリック操作による指の移動方向を、例えば、画像のスクロールに利用する。
【１０６１】
また制御部２０は、タイマにより計時している接触時間が種類判別時間を越えると、指の移動軌跡がタッチ操作判別円の外側にまで伸びているか否かを判別する。
【１０６２】
その結果、制御部２０は、種類判別時間を越えて第１操作面に接触している指の移動軌跡がタッチ操作判別円の外側にまで伸びていることを検出すると、このとき第１操作面に対しタッチ操作として摺動操作が行われていると判別する。
【１０６３】
この場合、制御部２０は、摺動操作判別時点以降も摺動操作が終了するまでの間、重心位置の検出に応じて指の移動軌跡を順次更新する。そして制御部２０は、その摺動操作による指の移動軌跡を、例えば、画像のスクロールに利用する。
【１０６４】
因みに、制御部２０は、種類判別時間を越えて第１操作面に接触している指の移動軌跡がタッチ操作判別円内に収まったまま、第１操作面から、その指が離されると、このとき第１操作面に指が誤って接触しており、タッチ操作は行われていないと判別する。
【１０６５】
このようにして制御部２０は、かかる検出手法によっても、第１タッチパネル１４Ｂの第１操作面に対し例えば、１本の指でタップ操作が行われたことを検出することができる。
【１０６６】
また制御部２０は、第１タッチパネル１４Ｂの第１操作面に対し例えば、１本の指でフリック操作が行われたことも検出することができる。
【１０６７】
さらに制御部２０は、第１タッチパネル１４Ｂの第１操作面に対し例えば、１本の指で摺動操作が行われたことも検出することができる。
【１０６８】
［２−９  変形例９］
さらに上述した実施の形態においては、本発明の表示制御装置を、図１乃至図４７について上述した携帯端末１０に適用するようにした場合について述べた。
【１０６９】
しかしながら本発明は、これに限らず、その表示制御装置を、タッチパネルと、液晶パネルのような表示部とが設けられたコンピュータや携帯電話機、ＰＤＡ（Personal  Digital  Assistance）、携帯型ゲーム機器等の情報処理装置に適用することができる。
【１０７０】
また本発明は、その表示制御装置を、デジタルスチルカメラやデジタルビデオカメラのような撮影装置、携帯型再生装置等のように、この他種々の構成の表示制御装置にも広く適用することができる。
【１０７１】
［２−１０  変形例１０］
さらに上述した実施の形態においては、本発明による表示制御プログラムを、図１乃至図４７について上述した不揮発性メモリ２１に予め記憶された表示制御プログラムに適用するようにした。
【１０７２】
そして制御部２０が、その表示制御プログラムに従って図４２乃至図４５について上述した第１表示制御処理手順ＲＴ１及び第２表示制御処理手順ＲＴ２を実行するようにした場合について述べた。
【１０７３】
しかしながら本発明は、これに限らず、携帯端末１０が表示制御プログラムの記憶されたコンピュータ読取可能な記憶媒体によって表示制御プログラムをインストールしても良い。
【１０７４】
そして制御部２０が、そのインストールした表示制御プログラムに従って第１表示制御処理手順ＲＴ１及び第２表示制御処理手順ＲＴ２を実行するようにしても良い。
【１０７５】
また携帯端末１０は、ローカルエリアネットワークやインターネット、デジタル衛星放送等の有線及び無線通信媒体を利用して外部から表示制御プログラムをインストールするようにしても良い。
【１０７６】
そして表示制御プログラムを携帯端末１０にインストールして実行可能な状態にするためのコンピュータ読取可能な記憶媒体としては、例えば、フレキシブルディスクのようなパッケージメディアで実現しても良い。
【１０７７】
また表示制御プログラムを携帯端末１０にインストールして実行可能な状態にするためのコンピュータ読取可能な記憶媒体としては、例えば、ＣＤ−ＲＯＭ（Compact  Disc-Read  Only  Memory）のようなパッケージメディアで実現しても良い。
【１０７８】
さらに表示制御プログラムを携帯端末１０にインストールして実行可能な状態にするためのコンピュータ読取可能な記憶媒体としては、例えば、ＤＶＤ（Digital  Versatile  Disc）等のパッケージメディアで実現しても良い。
【１０７９】
さらに、かかるコンピュータ読取可能な記憶媒体としては、パッケージメディアのみならず、各種プログラムが一時的もしくは永続的に記憶される半導体メモリや磁気ディスク等で実現しても良い。
【１０８０】
また、これらコンピュータ読取可能な記憶媒体に表示制御プログラムを記憶する手段としては、ローカルエリアネットワークやインターネット、デジタル衛星放送等の有線及び無線通信媒体を利用するようにしても良い。
【１０８１】
さらにコンピュータ読取可能な記憶媒体には、ルータやモデム等の各種通信インタフェースを介して表示制御プログラムを記憶するようにしても良い。
【１０８２】
［２−１１  変形例１１］
さらに上述した実施の形態においては、表示面に対する指示物の近接を検出する近接検出部として、図１乃至図４７について上述した第１液晶パネル１４Ａ及び第１タッチパネル１４Ｂからなる第１タッチスクリーン１４と、第２液晶パネル１５Ａ及び第２タッチパネル１５Ｂからなる第２タッチスクリーン１５とを適用するようにした場合について述べた。
【１０８３】
しかしながら本発明は、これに限らず、近接検出部として、有機ＥＬ（Electro  Luminescence）ディスプレイや陰極線管等の表示部と、静電容量式又は感圧式のタッチパネルとからなる１又は複数の操作スクリーンを適用することができる。
【１０８４】
また本発明は、近接検出部として、液晶パネルの個々の画素位置に赤外線発光素子及び赤外線受光素子が配置されて形成された１又は複数のタッチスクリーンを適用することもできる。
【１０８５】
さらに本発明は、近接検出部として、静電容量式や感圧式のタッチパネル等のように、この他種々の構成の近接検出部も広く適用することができる。
【１０８６】
［２−１２  変形例１２］
さらに上述した実施の形態においては、表示面に対する指示物の接触を検出する接触検出部として、図１乃至図４７について上述した第１液晶パネル１４Ａ及び第１タッチパネル１４Ｂからなる第１タッチスクリーン１４と、第２液晶パネル１５Ａ及び第２タッチパネル１５Ｂからなる第２タッチスクリーン１５とを適用するようにした場合について述べた。
【１０８７】
しかしながら本発明は、これに限らず、接触検出部として、有機ＥＬディスプレイや陰極線管等の表示部と、静電容量式又は感圧式のタッチパネルとからなる１又は複数の操作スクリーンを適用することができる。
【１０８８】
また本発明は、接触検出部として、液晶パネルの個々の画素位置に赤外線発光素子及び赤外線受光素子が配置されて形成された１又は複数のタッチスクリーンを適用することもできる。
【１０８９】
さらに本発明は、接触検出部として、静電容量式や感圧式のタッチパネル等のように、この他種々の構成の接触検出部も広く適用することができる。
【１０９０】
［２−１３  変形例１３］
さらに上述した実施の形態においては、近接検出部が表示面に対する指示物の近接を検出すると、複数の指示対象を表示面に表示させ、接触検出部が検出した表示面に対する指示物の接触に基づいて、複数の指示対象のうち一の指示対象が選択されたと判断すると、当該一の指示対象に対応する画像を表示面に表示させる制御部として、図１乃至図４７について上述したＣＰＵでなる制御部２０を適用するようにした場合について述べた。
【１０９１】
しかしながら本発明は、これに限らず、制御部として、マイクロプロセッサやＤＳＰ（Digital  Signal  Processor）を適用することができる。
【１０９２】
また本発明は、制御部として、近接検出部が表示面に対する指示物の近接を検出すると、複数の指示対象を表示面に表示させ、接触検出部が検出した表示面に対する指示物の接触に基づいて、複数の指示対象のうち一の指示対象が選択されたと判断すると、当該一の指示対象に対応する画像を表示面に表示させるハードウェア回路構成の制御回路等のように、この他種々の構成の制御部も広く適用することができる。
【産業上の利用可能性】
【１０９３】
本発明は、携帯端末やコンピュータ、携帯電話機、携帯型ゲーム機器等の表示制御装置に利用することができる。
【符号の説明】
【１０９４】
１……表示制御装置、２……近接検出部、３……接触検出部、４……制御部、１０……携帯端末、１４……第１タッチスクリーン、１４Ａ……第１液晶パネル、１４Ｂ……第１タッチパネル、１５……第２タッチスクリーン、１５Ａ……第２液晶パネル、１５Ｂ……第２タッチパネル、２０……制御部、３２……Ｗｅｂ画像、３５……ジャンル一覧画像、３６……ジャンルアイコン、３７、４０、４３……ジャケット画像、３８……アーティスト一覧画像、３９……アーティストアイコン、４１……アルバム一覧画像、４２……アルバムアイコン、４４……曲一覧画像、４５……曲アイコン、４６……再生画像、６０、７１、７３……サムネイル一覧画像、６０Ａ……サムネイル一覧拡大画像、６０Ｂ……サムネイル一覧縮小画像、６１、６１Ａ、６１Ｂ、７０、７２……サムネイル、ＣＡ１乃至ＣＡ８……近接領域、ＲＴ１……第１表示制御処理手順、ＲＴ２……第２表示制御処理手順、ＳＡ１……上スクロール指示領域、ＳＡ２……下スクロール指示領域、ＳＡ３……右スクロール指示領域、ＳＡ４……左スクロール指示領域。
【図１】
0005636678.tif 000002
【図２】
0005636678.tif 000003
【図３】
0005636678.tif 000004
【図４】
0005636678.tif 000005
【図５】
0005636678.tif 000006
【図６】
0005636678.tif 000007
【図７】
0005636678.tif 000008
【図８】
0005636678.tif 000009
【図９】
0005636678.tif 000010
【図１０】
0005636678.tif 000011
【図１１】
0005636678.tif 000012
【図１２】
0005636678.tif 000013
【図１３】
0005636678.tif 000014
【図１４】
0005636678.tif 000015
【図１５】
0005636678.tif 000016
【図１６】
0005636678.tif 000017
【図１７】
0005636678.tif 000018
【図１８】
0005636678.tif 000019
【図１９】
0005636678.tif 000020
【図２０】
0005636678.tif 000021
【図２１】
0005636678.tif 000022
【図２２】
0005636678.tif 000023
【図２３】
0005636678.tif 000024
【図２４】
0005636678.tif 000025
【図２５】
0005636678.tif 000026
【図２６】
0005636678.tif 000027
【図２７】
0005636678.tif 000028
【図２８】
0005636678.tif 000029
【図２９】
0005636678.tif 000030
【図３０】
0005636678.tif 000031
【図３１】
0005636678.tif 000032
【図３２】
0005636678.tif 000033
【図３３】
0005636678.tif 000034
【図３４】
0005636678.tif 000035
【図３５】
0005636678.tif 000036
【図３６】
0005636678.tif 000037
【図３７】
0005636678.tif 000038
【図３８】
0005636678.tif 000039
【図３９】
0005636678.tif 000040
【図４０】
0005636678.tif 000041
【図４１】
0005636678.tif 000042
【図４２】
0005636678.tif 000043
【図４３】
0005636678.tif 000044
【図４４】
0005636678.tif 000045
【図４５】
0005636678.tif 000046
【図４６】
0005636678.tif 000047
【図４７】
0005636678.tif 000048